(57)【要約】【課題】遊技者の興趣の低下を抑制できる遊技機を提供すること。【解決手段】始動条件の成立を契機とした当り抽選に当選したことを条件として、大入賞口を開放する大当り遊技を付与するパチンコ遊技機において、主基板に搭載されたＣＰＵは、大当り確率を定めた複数の設定値のうち何れかの設定値を設定する制御を少なくとも可能に構成されており、設定変更状態及び設定確認状態への移行条件には、設定器をオン状態とする操作が含まれている。そして、設定変更状態又は設定確認状態へ移行するとセキュリティ信号が出力され、設定変更状態の終了後には、セキュリティ信号の再出力又は出力延長が行なわれる一方で、設定確認状態の終了後には何れも行われない。【選択図】図１６
2020192406.tif 000002
【特許請求の範囲】
【請求項１】
始動条件の成立を契機とした大当り抽選に当選したことを条件として、大入賞口を開放する大当り遊技を付与する遊技機において、
枠体と、
前記枠体が開状態であるときに所定の操作を可能に構成された設定操作手段と、
前記設定操作手段の操作を受付け可能であって、設定情報を設定する制御を少なくとも可能に構成された設定制御手段と、
前記設定制御手段によって設定された設定情報に応じた大当り確率にて、前記大当り抽選を行う大当り抽選手段と、
変動ゲームを表示可能に構成され、前記変動ゲームにおいて最終的に前記大当り抽選の結果に応じた図柄を表示する図柄表示手段と、
前記大当り抽選に当選したことを条件として、大当りの変動ゲームの終了後に前記大入賞口を開放する制御を行い、前記大当り遊技を付与する大当り遊技付与手段と、
外部信号の出力を可能に構成された外部信号出力手段と、
所定の情報を表示可能に構成され、前記枠体が開状態であるときに表示内容を視認可能である情報表示手段と、を備え、
前記設定情報を設定可能な設定変更状態への第１移行条件、及び、前記設定情報を確認可能な設定確認状態への第２移行条件には、前記設定操作手段の第１態様操作が含まれており、前記設定変更状態の終了条件、及び、前記設定確認状態の終了条件には、前記設定操作手段の第２態様操作が含まれており、
前記設定変更状態への移行に応じて特定の外部信号が出力され、前記設定確認状態への移行に応じて前記特定の外部信号が出力され、前記設定変更状態が終了すると前記特定の外部信号が再出力される、又は、前記特定の外部信号の出力が延長される一方で、前記設定確認状態が終了すると前記特定の外部信号が再出力されず、且つ、前記特定の外部信号の出力が延長されないように構成され、
前記図柄表示手段は、前記設定変更状態であることの報知と、前記設定確認状態であることの報知と、を実行可能であって、前記設定変更状態であることの報知と、前記設定確認状態であることの報知とは、互いに異なる報知態様にて実行され、
前記情報表示手段は、前記設定変更状態への移行に応じて設定情報を特定可能な数値を表示可能であり、前記設定確認状態への移行に応じて設定情報を特定可能な数値を表示可能であり、前記設定操作手段の前記第２態様操作がされないまま前記枠体が閉状態とされても設定情報を特定可能な数値の表示が維持されることを特徴とする遊技機。
【発明の詳細な説明】
【技術分野】
【０００１】
本発明は、遊技機に関するものである。
【背景技術】
【０００２】
従来、パチンコ遊技機は、始動口への入球を契機として大当り抽選を行い、当該大当り抽選に当選すると、大入賞口を開放する特別遊技（所謂、大当り遊技）を付与するように構成されている（例えば、特許文献１）。遊技者は、大当り遊技において多数の賞球を獲得し得ることから、その興趣が向上される。
【先行技術文献】
【特許文献】
【０００３】
【特許文献１】特開２００５−２６１７１１号公報
【発明の概要】
【発明が解決しようとする課題】
【０００４】
しかしながら、従来のパチンコ遊技機では、大当り確率など、特別遊技に関する有利度合いが機種ごとに固定されているから、長時間の遊技の結果、飽きによって遊技者の興趣を低下させてしまう虞があった。
【０００５】
本発明は、このような従来の技術に鑑みてなされたものであり、その目的は、遊技者の興趣の低下を抑制できる遊技機を提供することにある。
【課題を解決するための手段】
【０００６】
上記課題を解決する遊技機は、始動条件の成立を契機とした大当り抽選に当選したことを条件として、大入賞口を開放する大当り遊技を付与する遊技機において、枠体と、前記枠体が開状態であるときに所定の操作を可能に構成された設定操作手段と、前記設定操作手段の操作を受付け可能であって、設定情報を設定する制御を少なくとも可能に構成された設定制御手段と、前記設定制御手段によって設定された設定情報に応じた大当り確率にて、前記大当り抽選を行う大当り抽選手段と、変動ゲームを表示可能に構成され、前記変動ゲームにおいて最終的に前記大当り抽選の結果に応じた図柄を表示する図柄表示手段と、前記大当り抽選に当選したことを条件として、大当りの変動ゲームの終了後に前記大入賞口を開放する制御を行い、前記大当り遊技を付与する大当り遊技付与手段と、外部信号の出力を可能に構成された外部信号出力手段と、所定の情報を表示可能に構成され、前記枠体が開状態であるときに表示内容を視認可能である情報表示手段と、を備え、前記設定情報を設定可能な設定変更状態への第１移行条件、及び、前記設定情報を確認可能な設定確認状態への第２移行条件には、前記設定操作手段の第１態様操作が含まれており、前記設定変更状態の終了条件、及び、前記設定確認状態の終了条件には、前記設定操作手段の第２態様操作が含まれており、前記設定変更状態への移行に応じて特定の外部信号が出力され、前記設定確認状態への移行に応じて前記特定の外部信号が出力され、前記設定変更状態が終了すると前記特定の外部信号が再出力される、又は、前記特定の外部信号の出力が延長される一方で、前記設定確認状態が終了すると前記特定の外部信号が再出力されず、且つ、前記特定の外部信号の出力が延長されないように構成され、前記図柄表示手段は、前記設定変更状態であることの報知と、前記設定確認状態であることの報知と、を実行可能であって、前記設定変更状態であることの報知と、前記設定確認状態であることの報知とは、互いに異なる報知態様にて実行され、前記情報表示手段は、前記設定変更状態への移行に応じて設定情報を特定可能な数値を表示可能であり、前記設定確認状態への移行に応じて設定情報を特定可能な数値を表示可能であり、前記設定操作手段の前記第２態様操作がされないまま前記枠体が閉状態とされても設定情報を特定可能な数値の表示が維持されることを要旨とする。
【発明の効果】
【０００７】
本発明によれば、遊技者の興趣の低下を抑制できる。
【図面の簡単な説明】
【０００８】
【図１】パチンコ遊技機の全体斜視図。
【図２】遊技盤の正面図。
【図３】遊技盤の後側の斜視図。
【図４】主基板ユニットの分解斜視図。
【図５】主基板ユニットの正面図。
【図６】パチンコ遊技機の電気的構成を示すブロック図。
【図７】遊技状態と遊技状態毎の遊技を説明する説明図。
【図８】主基板に搭載される表示器の正面図。
【図９】（ａ），（ｂ）は表示器の表示状態を説明する説明図。
【図１０】表示器の表示間隔を説明するタイミングチャート。
【図１１】ベース値の計数制御、及び表示制御を説明する説明図。
【図１２】ベース値の計数制御、及び表示制御を説明する説明図。
【図１３】第２の実施形態の主基板ユニットの正面図。
【図１４】パチンコ遊技機の電気的構成を示すブロック図。
【図１５】設定値（設定情報）を説明する説明図。
【図１６】電源投入時における制御内容の概略を説明する説明図。
【図１７】設定値（設定情報）とベース値の表示状態の遷移を説明する説明図。
【図１８】電源投入処理を説明するフローチャート。
【図１９】エラーの種類と外部信号の出力態様を説明する説明図。
【図２０】設定確認状態へ移行したときの制御内容を説明するタイミングチャート。
【図２１】設定確認を行うときの操作手順を説明する説明図。
【図２２】設定変更状態へ移行したときの制御内容を説明するタイミングチャート。
【図２３】設定変更を行うときの操作手順を説明する説明図。
【発明を実施するための形態】
【０００９】
（第１の実施形態）
以下、パチンコ遊技機に具体化した第１の実施形態を図１〜図１２にしたがって説明する。
【００１０】
図１に示すように、遊技機としてのパチンコ遊技機１０は、枠体Ｗを備えている。枠体Ｗは、パチンコ遊技機１０の機体を構成している。枠体Ｗは、パチンコ遊技機１０の機体を遊技場などの島設備（遊技機設置設備）へ固定するための固定枠（設置枠）としての外枠ＷＳと、各種の部品（遊技用構成部材）を搭載する搭載枠（搭載部）としての中枠ＷＮ及び前枠ＷＭと、を備えている。中枠ＷＮは外枠ＷＳの開口前面側に開放及び着脱自在に組み付けられているとともに、前枠ＷＭは中枠ＷＮの前面側に開閉及び着脱自在に組み付けられている。搭載枠を構成する枠体数は、１つでもよく、３つ以上でもよい。
【００１１】
前枠ＷＭは、中枠ＷＮに搭載される遊技盤ＹＢを保護する保護ガラスＧを備えている。図１において保護ガラスＧは、一部を残して図示が省略されているが、実際には前枠ＷＭの開口部ＷＭａの全体を覆っている。また、前枠ＷＭは、前面に装飾ランプＬａを備えている。装飾ランプＬａは、内蔵された発光体の点灯、点滅及び消灯による発光演出を行う際に用いられるとともに、エラー報知といった各種報知を行う際にも用いられる。また、前枠ＷＭは、前面にスピーカＳｐを備えている。スピーカＳｐは、楽曲や効果音などの音を出力する音声演出を行う際に用いられるとともに、エラー音を出力するエラー報知といった各種報知を行う際にも用いられる。この実施形態において、装飾ランプＬａ及びスピーカＳｐは、所定の報知を可能に構成された特定報知手段、特別報知手段、及び予め定めた報知を可能に構成された特殊報知手段である。
【００１２】
また、前枠ＷＭは、前面下部に遊技球の発射ハンドルＨＤを備えているとともに、前面下部に遊技球を貯留する球皿（貯留皿）として上皿Ｓａと下皿Ｓｂとを備えている。上皿Ｓａは、主に発射ハンドルＨＤの操作によって遊技盤ＹＢの遊技領域ＹＢａに向けて打ち出される遊技球であって、機内に取り込まれる遊技球を貯留する貯留皿である。下皿Ｓｂは、主にパチンコ遊技機１０から払出される遊技球であって、上皿Ｓａから溢れ出た遊技球を貯留する貯留皿である。なお、図示しないが、前枠ＷＭの後側には、遊技球を下皿Ｓｂへ排出する各種の排出通路が搭載されている。排出通路には、例えば、上皿Ｓａから溢れ出た遊技球の排出通路、上皿Ｓａに貯留されている遊技球の排出通路、遊技領域ＹＢａへ向けて打ち出されたが当該遊技領域ＹＢａへ到達せずに戻り球となった遊技球の排出通路がある。また、上皿Ｓａの上面には、図１に示すように、遊技者が演出の一つである操作演出において操作可能な演出ボタンＢＴや、遊技者がパチンコ遊技機１０から貸し球を貸し受ける際に操作する球貸操作部ＴＳなどが設けられている。
【００１３】
中枠ＷＮには、遊技盤ＹＢ、各種の制御基板、遊技球を払出すための各種部材（球タンク（図示しない）、図６に示す払出ユニットＨＳ）などが搭載されている。また、図示しないが、中枠ＷＮには、遊技球の案内通路が搭載されている。案内通路には、例えば、球タンクに貯留されている遊技球を払出ユニットＨＳへ案内する案内通路、払出ユニットＨＳから払出された遊技球（賞球又は貸し球）を上皿Ｓａへ案内する案内通路、遊技に使用された有効球を機外（遊技機設置設備）に案内する案内通路がある。有効球については後に詳しく説明する。
【００１４】
図２に示すように、遊技盤ＹＢの盤面には、正面視ほぼ円形状の遊技領域ＹＢａが画成されている。そして、遊技領域ＹＢａのほぼ中央には、画像表示部ＧＨを有する演出表示装置１１が設けられている。演出表示装置１１の画像表示部ＧＨは、例えば液晶ディスプレイ型の表示部である。演出表示装置１１では、演出図柄（飾り図柄）を用いた図柄変動ゲームなど、画像を用いた各種の表示演出が表示される。また、演出表示装置１１は、エラー画像を表示するエラー報知といった各種報知を行う際にも用いられる。この実施形態において、演出表示装置１１は、所定の報知を可能に構成された特定報知手段、特別報知手段、及び予め定めた報知を可能に構成された特殊報知手段である。
【００１５】
また、遊技盤ＹＢの遊技領域ＹＢａには、遊技球が入球可能な複数の入賞口（入球口）が配設されている。入賞口には、第１始動口１２と、第２始動口１３と、大入賞口１５と、普通入賞口１６，１７と、を含む。
【００１６】
第１始動口１２は、図柄変動ゲームの始動条件を成立させるに際して遊技球を入球させる入賞口である。この実施形態において第１始動口１２は、演出表示装置１１の下方に位置しており、常時、遊技球を入球させることができるように開口されている。第１始動口１２には入球した遊技球を遊技盤ＹＢの後側に導く図示しない球通路が連設されており、その球通路には第１始動口１２に入球した遊技球を検知する手段（図６に示す始動口スイッチ（センサ）Ｓ１）が配設されている。
【００１７】
第２始動口１３は、図柄変動ゲームの始動条件を成立させるに際して遊技球を入球させる入賞口である。この実施形態において第２始動口１３は、第１始動口１２の右方に位置している。第２始動口１３は、所定条件（普通図柄の当選）が成立していないときには遊技球を入球させることができない、若しくは入球し難いように閉鎖されている。そして、第２始動口１３は、所定条件（普通図柄の当選）の成立により、遊技球を入球させることができる、若しくは入球し易いように開放される。第２始動口１３は、アクチュエータ（ソレノイドやモータなど）から動力を受けて開放する。この実施形態において第２始動口１３を開放させるアクチュエータは、図６に示すアクチュエータＡＣ１である。また、第２始動口１３には入球した遊技球を遊技盤ＹＢの後側に導く図示しない球通路が連設されており、その球通路には第２始動口１３に入球した遊技球を検知する手段（図６に示す始動口スイッチ（センサ）Ｓ２）が配設されている。第２始動口１３は、所謂「普通電動役物」である。
【００１８】
大入賞口１５は、賞球の払出条件を成立させるに際して遊技球を入球させる入賞口である。この実施形態において大入賞口１５は、演出表示装置１１の右下方に位置している。大入賞口１５は、所定条件（特別図柄の当選）が成立していないときには遊技球を入球させることができないように閉鎖されている。そして、大入賞口１５は、所定条件（特別図柄の当選）の成立により、遊技球を入球させることができる、若しくは入球し易いように開放される。大入賞口１５は、アクチュエータ（ソレノイドやモータなど）から動力を受けて開放する。この実施形態において大入賞口１５を開放させるアクチュエータは、図６に示すアクチュエータＡＣ２である。また、大入賞口１５には入球した遊技球を遊技盤ＹＢの後側に導く図示しない球通路が連設されており、その球通路には大入賞口１５に入球した遊技球を検知する手段（図６に示すカウントスイッチ（センサ）Ｓ３）が配設されている。
【００１９】
普通入賞口１６，１７は、賞球の払出条件を成立させるに際して遊技球を入球させる入賞口である。この実施形態において普通入賞口１６，１７は遊技領域ＹＢａの左方の領域と右方の領域のそれぞれに位置している。また、普通入賞口１６，１７は、常時、遊技球を入球させることができるように開口されている。
【００２０】
左方の普通入賞口１６は、主に第１始動口１２を狙って発射された遊技球が入球可能な位置にあり、大入賞口１５を狙って発射された遊技球は入球不能な位置にある。この実施形態において左方の領域には、複数の普通入賞口１６が設けられている。そして、左方の各普通入賞口１６には入球した遊技球を遊技盤ＹＢの後側に導く図示しない球通路が連設されており、その球通路には各普通入賞口１６に入球した遊技球を検知する手段（図６に示す普通口スイッチ（センサ）Ｓ５）が配設されている。左方の普通入賞口１６に連設された球通路は、各普通入賞口１６に入球した遊技球を受け入れる複数の分岐通路と、各分岐通路を案内された遊技球を受け入れる集合通路によって構成されており、当該集合通路に単一の普通口スイッチＳ５が配設されている。
【００２１】
右方の普通入賞口１７は、主に大入賞口１５を狙って発射された遊技球が入球可能な位置にあり、第１始動口１２を狙って発射された遊技球は入球不能な位置にある。つまり、右方の普通入賞口１７は、大入賞口１５を狙って発射された遊技球が入球可能な位置に配置されている。この実施形態において右方の領域には、単数の普通入賞口１７が設けられている。そして、右方の普通入賞口１７には入球した遊技球を遊技盤ＹＢの後側に導く図示しない球通路が連設されており、その球通路には普通入賞口１７に入球した遊技球を検知する手段（図６に示す普通口スイッチ（センサ）Ｓ６）が配設されている。
【００２２】
この実施形態において上記した第１始動口１２、第２始動口１３、大入賞口１５及び普通入賞口１６，１７は、何れの入賞口も遊技球の入球によって賞球の払出条件が成立する入賞口であり、第１始動口１２、第２始動口１３及び普通入賞口１６，１７は大入賞口１５とは異なる複数の入賞口である。この実施形態では、第１始動口１２の賞球数を［４球］に、第２始動口１３の賞球数を［１球］に、大入賞口１５の賞球数を［１５球］に、普通入賞口１６，１７の各賞球数を［５球］に定めている。なお、各入賞口に定めた賞球数は、適宜変更してもよい。賞球数として定めた遊技球の個数は、１球の入球に対してパチンコ遊技機１０から払出される遊技球の個数である。第１始動口１２、第２始動口１３、大入賞口１５、及び普通入賞口１６，１７は、遊技球の入球によって賞球払出しの対象となる入球装置であり、パチンコ遊技機１０には前述したような賞球払出しの対象なる入球装置が複数備えられている。
【００２３】
また、遊技領域ＹＢａには、作動ゲート１８が配設されている。この実施形態において作動ゲート１８は、遊技領域ＹＢａの右方の領域であって、第２始動口１３や大入賞口１５の上方に位置している。作動ゲート１８には、常時、遊技球を入球させることができるように開放されたゲート口１８ａが開口されている。ゲート口１８ａには、入球し、通過する遊技球を検知する手段（図６に示すゲートスイッチ（センサ）Ｓ４）が配設されている。作動ゲート１８のゲート口１８ａは、普通図柄を用いた図柄変動ゲーム（以下、「普図変動ゲーム」と示す）の始動条件を成立させるに際して遊技球を入球させる入球口である。第２始動口１３は、作動ゲート１８へ遊技球が入球することによって行われる普通図柄の当り抽選に当選し、普図変動ゲームで導出された後、閉鎖態から開放状態へ動作する。なお、作動ゲート１８は、遊技球の入球によって賞球払出しの対象となる入球装置ではなく、作動ゲート１８を遊技球が入球しても賞球の払出条件は成立しない。
【００２４】
この実施形態において、遊技者は、発射ハンドルＨＤの発射強度の強弱を調整することで、左方の領域及び右方の領域に遊技球を打ち分け、第１始動口１２、第２始動口１３、大入賞口１５、普通入賞口１６，１７又は作動ゲート１８へ遊技球を入球させることが可能となる。具体的には、発射強度を強めに調整して遊技球を発射させた場合（所謂、右打ち）、遊技球は、右方の領域に流下案内され易く、第２始動口１３、大入賞口１５、右方の普通入賞口１７、又は作動ゲート１８へ入球する可能性がある。なお、右打ちは、遊技球を右方の領域へ到達させるために勢いよく発射させる必要があることから、発射強度を最大強度若しくは最大強度よりも若干弱い強度で調整して行う。
【００２５】
一方、発射強度を弱めに調整して遊技球を発射させた場合（所謂、左打ち）、遊技球は、左方の領域に流下案内され易く、第１始動口１２、又は左方の普通入賞口１６へ入球する可能性がある。また、左打ちは、右打ちのときほど遊技球を勢いよく発射させる必要がないので、発射させた遊技球が右方の領域へ到達しない程度の強度に調整して行う。なお、この実施形態では、右打ちを行った場合、第１始動口１２や左方の普通入賞口１６に遊技球が入球し得ないよう、遊技釘などの遊技部品によって遊技球の流路が形成されている。なお、遊技部品は、右打ちを行ったときには第１始動口１２や左方の普通入賞口１６への入球を規制するように配置されていてもよいし、左打ちを行ったときに比べて第１始動口１２や左方の普通入賞口１６へ入球し難い（入球する確率を極めて低くする）ように配置されていてもよい。
【００２６】
この実施形態において「左方の領域」とは、遊技盤ＹＢを正面視したときに遊技領域ＹＢａを左右に二等分する中心線Ｃよりも左側に位置する領域である。また、この実施形態において「右方の領域」とは、遊技盤ＹＢを正面視したときに前記中心線Ｃよりも右側に位置する領域である。パチンコ遊技機１０において発射ハンドルＨＤの操作によって発射された遊技球は、遊技盤ＹＢを正面視したときの左側に位置する打出通路１９で案内され、その打出通路１９の最下流に位置する逆戻り防止弁２０を通過して遊技領域ＹＢａに到達される。このため、「左方の領域」とは打出通路１９寄りの領域でもあり、その逆に「右方の領域」とは打出通路１９から離れた領域でもある。そして、左方の領域を流下案内される遊技球は、遊技領域ＹＢａに位置する演出表示装置１１の左側をとおり、遊技領域ＹＢａの最下方に位置するアウト口２１へ向かう。また、右方の領域を流下案内される遊技球は、遊技領域ＹＢａに位置する演出表示装置１１の右側をとおり、前記アウト口２１へ向かう。
【００２７】
ここで、前述した有効球について説明する。
この明細書において有効球は、パチンコ遊技機１０での遊技に使用された遊技球のことであり、より詳しくは発射ハンドルＨＤの操作によって打ち出され、遊技盤ＹＢの遊技領域ＹＢａへ到達した遊技球である。パチンコ遊技機１０では、発射ハンドルＨＤを連続して操作した場合、所定の間隔（１分間当り１００球の打ち出し間隔）で遊技球を打ち出し、その打ち出した遊技球のうち、打出通路１９で案内されて逆戻り防止弁２０を通過した遊技球が有効球に相当する。その一方で、打ち出した遊技球のうち、逆戻り防止弁２０を通過せずに打出通路１９を戻った又は逆流した遊技球（所謂、戻り球）は打出通路１９の途中に連通する排出通路を通じて下皿Ｓｂへ排出され、遊技者に返却されることから、遊技に使用されなかった遊技球（無効球）であり、有効球とはならない。
【００２８】
なお、遊技領域ＹＢａに到達した有効球としての遊技球は、遊技盤ＹＢの何れかの入賞口へ入球する場合もあれば、何れの入賞口へも入球せずにアウト口２１へ入球する場合もある。そして、何れかの入賞口へ入球した有効球は、入球した入賞口に連設されている球通路から中枠ＷＮにある案内通路へ導かれるとともに当該案内通路を通じて機外へと案内され、機外へ排出される。また、アウト口２１へ入球した遊技球は、アウト口２１に連設されている球通路から中枠ＷＮにある案内通路へ導かれるとともに当該案内通路を通じて機外へと案内され、機外へ排出される。
【００２９】
遊技盤ＹＢの説明に戻り、遊技盤ＹＢには、図６に示す、特図表示装置２３、保留表示装置２４、普図表示装置２５が配設されている。これらの表示装置は、パチンコ遊技機１０を正面視した場合に遊技者が視認可能な遊技盤ＹＢの部位に位置している。例えば、これらの表示装置は、遊技盤ＹＢの遊技領域に配設されている飾り部材や、遊技盤ＹＢのコーナー飾り部材などに配設されている。
【００３０】
特図表示装置２３は、特別図柄を用いた図柄変動ゲーム（以下、「特図変動ゲーム」と示す）を行い、当該特図変動ゲームにおいて大当り抽選の抽選結果に応じた特別図柄が導出される。特図表示装置２３には、第１特別図柄の図柄変動ゲーム（以下、「第１特図変動ゲーム」と示す）を行う第１特図表示装置と、第２特別図柄の図柄変動ゲーム（以下、「第２特図変動ゲーム」と示す）を行う第２特図表示装置と、がある。第１始動口１２に遊技球が入球し、検知された場合は、第１特図変動ゲームの始動条件が成立する。一方、第２始動口１３に遊技球が入球し、検知された場合は、第２特図変動ゲームの始動条件が成立する。第１特別図柄と第２特別図柄では、始動条件の成立を契機に大当り抽選が行われるが、その大当り抽選に当選する確率は同一確率である。その一方で、第１特別図柄と第２特別図柄では、大当り抽選に当選した場合に決定される大当りの種類や同一種類の大当りの決定割合を異ならせている。これにより、第１特別図柄と第２特別図柄では、大当り抽選に当選した際の有利度（例えば、賞球の多少、入球率向上状態の付与期間など）を異ならせている。なお、この実施形態では、大当り抽選に当選する確率（以下、「大当り確率」と示す）を定めた複数通りの設定値の中から何れかの設定値に変更して設定する設定機能を搭載していない。
【００３１】
また、始動条件が成立した場合には、大当り抽選の抽選結果を導出するために特図表示装置２３で特図変動ゲームが行われるとともに、当該特図変動ゲームで導出される特別図柄に応じた結果を導出する図柄変動ゲームが演出表示装置１１においても演出図柄を用いて行われる。
【００３２】
特図表示装置２３は、複数の発光体を備えた表示装置である。特図変動ゲームでは、表示装置を構成する発光体を任意に組み合わせたものが特別図柄として導出される。特別図柄には、大当り抽選に当選した場合に導出される大当り図柄と大当り抽選に当選しなかった場合に導出されるはずれ図柄とを含む。一方、演出図柄の図柄変動ゲームでは、複数列の演出図柄の組み合わせが導出される。演出図柄は、例えばアラビア数字を模した意匠で構成されている。そして、全列の演出図柄が同一の演出図柄となる組み合わせを大当り抽選に当選したことを特定可能な大当りの組み合わせとし、全列の演出図柄が同一の演出図柄とならない組み合わせを大当り抽選に当選しなかったことを特定可能なはずれの組み合わせとしている。
【００３３】
演出図柄の図柄変動ゲームで導出される結果は、特図変動ゲームで導出される結果に対応する。このため、特図変動ゲームでは大当り抽選の抽選結果を特別図柄で導出させる一方で、演出図柄の図柄変動ゲームにおいても大当り抽選の抽選結果を特定可能な情報が演出図柄で導出される。なお、第１特図変動ゲームと第２特図変動ゲームは同時に実行されず、演出表示装置１１では実行されている特別図柄に対応する演出図柄の図柄変動ゲームが行われる。
【００３４】
保留表示装置２４は、実行が保留されている特図変動ゲームの数（始動保留数）を表示する。保留表示装置２４には、第１特別図柄の始動保留数を表示する第１保留表示装置と、第２特別図柄の始動保留数を表示する第２保留表示装置と、がある。普図表示装置２５は普図変動ゲームを行い、当該普図変動ゲームにおいて普通図柄の当り抽選の抽選結果に応じた普通図柄が導出される。
【００３５】
また、図３に示すように、パチンコ遊技機１０は、遊技盤ＹＢの後側に組み付けられる枠搭載部材５０を備えている。枠搭載部材５０は、前方が開放された扁平な四角箱状の部材であり、各種の遊技部品が組み付けられる。枠搭載部材５０は、例えばねじなどの締結部品を用いて、遊技盤ＹＢの裏面に固定されている。
【００３６】
また、パチンコ遊技機１０は、遊技盤ＹＢの後側に、液晶パネルユニット６０、第１副基板ユニット７０、第２副基板ユニット７５、及び主基板ユニット８０を備えている。液晶パネルユニット６０、第１副基板ユニット７０、第２副基板ユニット７５、及び主基板ユニット８０は、枠搭載部材５０の後側に組み付けられている。
【００３７】
液晶パネルユニット６０は、画像表示部ＧＨを構成する液晶パネルと、液晶パネルの駆動基板（図示しない）と、液晶パネル及び駆動基板を収容しているパネルケース６１と、を備えている。この実施形態において液晶パネルユニット６０は、枠搭載部材５０の後壁５０ａに組み付けられている。
【００３８】
第１副基板ユニット７０は、第１副基板７１と、第１副基板７１を収容している第１副基板ケース７２と、を備えている。また、第２副基板ユニット７５は、第２副基板７６と、第２副基板７６を収容している第２副基板ケース７７と、を備えている。第１副基板ユニット７０及び第２副基板ユニット７５は、何れも液晶パネルユニット６０のパネルケース６１に固定されており、遊技盤ＹＢの左右方向に隣り合って配置されている。
【００３９】
この実施形態では、第１副基板ユニット７０の第１副基板ケース７２に収容している第１副基板７１を、サブ統括基板３２と音声・ランプ基板４７としている。また、この実施形態では、第２副基板ユニット７５の第２副基板ケース７７に収容している第２副基板７６を、演出表示基板４６としている。
【００４０】
演出表示基板４６は、演出表示装置１１を制御する。音声・ランプ基板４７は、装飾ランプＬａ及びスピーカＳｐを制御する。サブ統括基板３２は、複数の副基板を統括して制御する。演出表示基板４６、音声・ランプ基板４７及びサブ統括基板３２は、図６に示すように何れも副基板４２である。なお、サブ統括基板３２と音声・ランプ基板４７は、独立した制御基板として構成されていてもよいし、１枚の制御基板として構成されていてもよい。
【００４１】
主基板ユニット８０は、主基板３０と、主基板３０を収容している主基板ケース８１と、を備えている。主基板ユニット８０は、液晶パネルユニット６０のパネルケース６１に固定されており、第１副基板ユニット７０及び第２副基板ユニット７５の下方に配置されている。
【００４２】
以下、図４及び図５にしたがって主基板ユニット８０の構成を具体的に説明する。
主基板３０は、図示しない配線パターンをプリントしたプリント基板に各種の電子部品を実装して構成されている。図４には、主基板３０に実装されている電子部品として、ＣＰＵ３０ａ、接続端子１０３、ＲＷＭクリアボタン１０４、表示手段としての表示器１０５などを例示している。なお、主基板３０の構成などについては後に詳述する。
【００４３】
主基板３０を収容している主基板ケース８１は、ベース部材８２と、カバー部材８６と、を備えている。ベース部材８２とカバー部材８６とを組み付けることにより、その内部に、主基板３０を収容する空間が形成される。
【００４４】
図４に示すように、ベース部材８２は、左右方向に沿って延びている長方形の板状部材である。ベース部材８２は、左右方向に沿って延びている長方形の嵌込凹部８２ａを備えている。嵌込凹部８２ａには、主基板３０が嵌め込まれている。ベース部材８２は、嵌込凹部８２ａの上縁部に沿って延びている上ガイド溝８３Ｕと、嵌込凹部８２ａの下縁部に沿って延びている下ガイド溝８３Ｌと、を備えている。
【００４５】
ベース部材８２は、上ガイド溝８３Ｕの内部に、複数の係合部８３ａと単数の凹部８３ｂと、を備えている。上ガイド溝８３Ｕの係合部８３ａと凹部８３ｂは、上ガイド溝８３Ｕが延びている方向に沿って所定の間隔を開けて並んでいる。また、ベース部材８２は、下ガイド溝８３Ｌの内部に、複数の係合部８３ａと単数の凹部８３ｂと、を備えている。下ガイド溝８３Ｌの係合部８３ａと凹部８３ｂは、下ガイド溝８３Ｌが延びている方向に沿って所定の間隔を開けて並んでいる。上ガイド溝８３Ｕの係合部８３ａと下ガイド溝８３Ｌの係合部８３ａは主基板３０（嵌込凹部８２ａ）を挟んで上下方向に対向しているとともに、上ガイド溝８３Ｕの凹部８３ｂと下ガイド溝８３Ｌの凹部８３ｂは主基板３０（嵌込凹部８２ａ）を挟んで上下方向に対向している。
【００４６】
図４に示すように、カバー部材８６は、前方に向かって開口しており、且つ左右方向に沿って延びている長方形の箱状部材である。カバー部材８６は、後方に向かって突出している膨出部８６ａを備えている。膨出部８６ａは、主基板３０が備えている電子部品を収容する空間を確保するための部分である。また、カバー部材８６は、膨出部８６ａの下方に、主基板３０に近接した状態で広がる近接部８６ｂを備えている。カバー部材８６において、近接部８６ｂは、膨出部８６ａの下壁８６ｃと繋がっている。
【００４７】
カバー部材８６は、上縁部に沿って延びている上ガイドリブ８７Ｕと、下縁部に沿って延びている下ガイドリブ８７Ｌと、を備えている。また、カバー部材８６は、上ガイドリブ８７Ｕに、複数（上ガイド溝８３Ｕの係合部８３ａと同数）の係止片８７ａと単数の凸部８７ｃと、を備えている。上ガイドリブ８７Ｕの係止片８７ａと凸部８７ｃは、上ガイドリブ８７Ｕが延びる方向に沿って所定の間隔を開けて並んでいる。
【００４８】
また、カバー部材８６は、下ガイドリブ８７Ｌに、複数（下ガイド溝８３Ｌの係合部８３ａと同数）の係止片８７ａと単数の凸部８７ｃと、を備えている。下ガイドリブ８７Ｌの係止片８７ａと凸部８７ｃは、下ガイドリブ８７Ｌが延びる方向に沿って所定の間隔を開けて並んでいる。なお、各係止片８７ａは、上ガイドリブ８７Ｕ及び下ガイドリブ８７Ｌの平面視においてＬ字型に切り欠いた切欠き部８７ｂを形成することによって設けられている。上ガイドリブ８７Ｕの係止片８７ａと下ガイドリブ８７Ｌの係止片８７ａは主基板３０（嵌込凹部８２ａ）を挟んで上下方向に対向しているとともに、上ガイドリブ８７Ｕの凸部８７ｃと下ガイドリブ８７Ｌの凸部８７ｃは主基板３０（嵌込凹部８２ａ）を挟んで上下方向に対向している。
【００４９】
ベース部材８２とカバー部材８６とを組み付けた状態において、上ガイドリブ８７Ｕは、上ガイド溝８３Ｕに挿入される。そして、上ガイド溝８３Ｕにある複数の係合部８３ａは、それぞれ上ガイドリブ８７Ｕにある切欠き部８７ｂに挿入され、係止片８７ａと個別に係止される。また、ベース部材８２とカバー部材８６とを組み付けた状態において、下ガイドリブ８７Ｌは、下ガイド溝８３Ｌに挿入される。そして、下ガイド溝８３Ｌにある複数の係合部８３ａは、それぞれ下ガイドリブ８７Ｌにある切欠き部８７ｂに挿入され、係止片８７ａと個別に係止される。これにより、ベース部材８２とカバー部材８６とは、係合部８３ａと係止片８７ａとの係合によって、前後方向に分離することが規制される。
【００５０】
また、ベース部材８２とカバー部材８６とを組み付けた状態では、上ガイド溝８３Ｕにある凹部８３ｂと、上ガイドリブ８７Ｕにある凸部８７ｃとが係合する。また、ベース部材８２とカバー部材８６とを組み付けた状態では、下ガイド溝８３Ｌにある凹部８３ｂと、下ガイドリブ８７Ｌにある凸部８７ｃとが係合する。これにより、ベース部材８２とカバー部材８６とは、左右方向へと相互にスライドしてしまうことが抑制される。したがって、この実施形態では、ベース部材８２とカバー部材８６とが左右方向へと相互にスライドすることによって、複数の係合部８３ａと複数の係止片８７ａとによる係止が解除されてしまうことを抑制できる。
【００５１】
また、この実施形態の主基板ケース８１は、ベース部材８２が備える第１カシメ部８５とカバー部材８６が備える第２カシメ部８８とを含む不正開放防止手段を備えている。第１カシメ部８５と第２カシメ部８８とは、破壊することなく分離不能に固定されている。
【００５２】
ベース部材８２は、ベース部材８２の左右方向の一端部から外方へ突出する四角箱状の第１カシメ部８５を備えている。第１カシメ部８５は、前後方向に貫通している複数（この実施形態では２つ）の貫通孔８５ａ，８５ｂを備えている。一方、カバー部材８６は、カバー部材８６の左右方向の一端部から外方へ突出する四角箱状の第２カシメ部８８を備えている。第２カシメ部８８は、前後方向に貫通している複数（この実施形態では２つ）の貫通孔８８ａ，８８ｂを備えている。貫通孔８８ａ，８８ｂは、それぞれの開口部の周囲に沿って階段状に凹んでいる段部８８ｄを備えている。
【００５３】
そして、ベース部材８２とカバー部材８６とを組み付けた状態において、第１カシメ部８５にある貫通孔８５ａと、第２カシメ部８８にある貫通孔８８ａとは、後方から見たときに整合一致している。また、ベース部材８２とカバー部材８６とを組み付けた状態において、第１カシメ部８５にある貫通孔８５ｂと、第２カシメ部８８にある貫通孔８８ｂとは、後方から見たときに整合一致している。
【００５４】
図４に示すように、主基板ケース８１は、第１カシメ片９０を備えている。第１カシメ片９０は、ベース壁９０ａと、該ベース壁９０ａの左端部及び右端部から後方に向かって突出し、且つ上下方向に沿って延びている四角板状の側壁９０ｂ，９０ｂと、を備えている。第１カシメ片９０は、側壁９０ｂ，９０ｂのそれぞれに、係止片９０ｃ，９０ｃを備えている。係止片９０ｃ，９０ｃは、基端部が側壁９０ｂ，９０ｂのそれぞれに繋がっているとともに、先端部が側壁９０ｂ，９０ｂの間に突出している板状部材である。係止片９０ｃ，９０ｃの基端部は、係止片９０ｃ，９０ｃの先端部よりも、側壁９０ｂ，９０ｂの先端部側（後方）に配置されている。係止片９０ｃ，９０ｃは、左右方向へはそれぞれ基端部を中心として比較的容易に撓むことが可能であるが、側壁９０ｂ，９０ｂの突出方向（前後方向）へは撓み難く、所定の強度を備えている。
【００５５】
また、図４に示すように、主基板ケース８１は、第２カシメ片９１を備えている。第２カシメ片９１は、上下方向に沿って延びる四角板状のベース部９１ａと、該ベース部９１ａの前面（第１カシメ片９０側の面）から前方に向かって突出するとともに、上下方向に沿って延びているロック板９１ｂと、を備えている。ロック板９１ｂは、該ロック板９１ｂを厚さ方向（左右方向）に貫通するロック孔９１ｃを備えている。この実施形態において、ロック孔９１ｃの形状は、四角形である。
【００５６】
貫通孔８５ｂには、該貫通孔８５ｂの開口部のうち前側（パネルケース６１側）の開口部から、第１カシメ片９０が挿入されている。そして、貫通孔８５ｂの内部には上下方向に沿って図示しない支持部が延在されており、第１カシメ片９０のベース壁９０ａは支持部に係止される。この状態において、貫通孔８８ｂには、該貫通孔８８ｂの開口部のうち後側の開口部から、第２カシメ片９１が挿入されている。この状態において、第１カシメ片９０の係止片９０ｃ，９０ｃは、第２カシメ片９１のロック孔９１ｃに挿入され、係止片９０ｃ，９０ｃとロック孔９１ｃとが係止された状態となっている。係止片９０ｃ，９０ｃとロック孔９１ｃとが係止された状態では、第１カシメ片９０のベース壁９０ａと支持部との当接によって第２カシメ片９１を貫通孔８８ｂから引き抜くことが規制されている。同様に、係止片９０ｃ，９０ｃとロック孔９１ｃとが係止された状態では、第２カシメ片９１のベース部９１ａと段部８８ｄとの当接によって第１カシメ片９０を貫通孔８５ｂから引き抜くことが規制されている。
【００５７】
第１カシメ片９０や第２カシメ片９１を無理に引き抜いた場合には、係止片９０ｃ，９０ｃが破壊される。このため、第１カシメ片９０や第２カシメ片９１を引き抜いて主基板ケース８１を開封した場合には、第１カシメ片９０が破壊されてしまっているために、同じ第１カシメ片９０を用いて第１カシメ部８５と第２カシメ部８８とを固定することができない。すなわち、この実施形態の主基板ケース８１は、ベース部材８２とカバー部材８６とを分離して開封したときに、第１カシメ部８５及び第２カシメ部８８において開封の痕跡を残すことができる。なお、主基板ケース８１は、貫通孔８５ａ，８５ｂや貫通孔８８ａ，８８ｂを覆っている蓋部材を備えていてもよい。また、主基板ケース８１は、貫通孔８５ａに予め第１カシメ片９０を挿入しておくことで、予備の第２カシメ片９１を用い、再び、第１カシメ部８５と第２カシメ部８８とを固定できるようにしてもよい。
【００５８】
カバー部材８６の説明に戻り、カバー部材８６は、近接部８６ｂに、表示器１０５が挿通される表示器挿通孔９６を備えている。この実施形態の表示器１０５は、表示器１０５が備える情報表示部（表示面）１０５ａを正面視したときに四角形である。このため、表示器挿通孔９６は、情報表示部１０５ａの外形に対応した四角形である。そして、表示器挿通孔９６の周囲における近接部８６ｂの厚さは、他の部分におけるカバー部材８６の厚さと同一又は略同一である。このため、主基板３０が主基板ケース８１に収容された状態において、表示器１０５は、表示器挿通孔９６において近接部８６ｂの後面よりも後方へ突出している。つまり、表示器１０５が備える情報表示部（表示面）１０５ａは、カバー部材８６外に露出している。なお、表示器１０５の構成については後に詳述する。
【００５９】
また、カバー部材８６は、接続端子１０３が挿通される端子孔９７を備えている。端子孔９７の形状は、接続端子１０３の外形に対応した四角形である。
また、カバー部材８６は、近接部８６ｂに、近接部８６ｂから後方へと突出するボタン保護部９９を備えている。ボタン保護部９９の後面９９ａは、上方から見たときに、膨出部８６ａよりも後方に突出していない。ボタン保護部９９は、ＲＷＭクリアボタン１０４が挿通されるボタン孔９９ｂを備えている。そして、ボタン保護部９９は、ボタン孔９９ｂの周囲を囲っている凹部９９ｃを備えている。主基板３０が主基板ケース８１に収容された状態において、ＲＷＭクリアボタン１０４は、上方から見たときに、ボタン保護部９９の後面９９ａよりも後方へ突出していない。したがって、仮に主基板ユニット８０の上方から遊技球が落下してきた場合であっても、該遊技球がＲＷＭクリアボタン１０４に接触し難くなっている。
【００６０】
図５は、遊技盤ＹＢに組み付けられた主基板ユニット８０を後方から正面視した状態を示している。
この実施形態においてカバー部材８６は、無色透明の樹脂成型品である。このため、主基板ケース８１に収容している主基板３０の実装面（カバー部材８６と対向している側の面）は、主基板ケース８１（カバー部材８６）を透過して視認可能である。換言すれば、主基板３０に実装したＣＰＵ３０ａなどの電子部品も、主基板ケース８１（カバー部材８６）を透過して視認可能である。
【００６１】
また、カバー部材８６は、主基板３０の管理番号を表示する番号表示部１０１を備えている。番号表示部１０１は、粘着面を備えるシール材に管理番号を印刷したものであり、カバー部材８６の外に貼り付けられている。なお、主基板３０の管理番号は、パチンコ遊技機１０毎に異なる番号が付されており、どのパチンコ遊技機１０にどの主基板３０が搭載されているかを管理する番号である。
【００６２】
そして、主基板３０に搭載されている表示器１０５は、主基板３０を主基板ケース８１に収容し、主基板ユニット８０としてユニット化した場合でも、情報表示部１０５ａが露出することで視認可能とされている。つまり、この実施形態において表示器１０５は、主基板３０を主基板ケース８１で覆った状態で表示状態が視認可能に搭載されている。また、図５に示すように、表示器１０５を搭載した位置は、主基板ケース８１外に配置されている番号表示部１０１の位置とは上下方向に離間している。このため、表示器１０５の情報表示部１０５ａは、主基板ケース８１に収容している主基板３０を後方から正面視したときに番号表示部１０１と上下方向及び前後方向の何れでも重ならない位置に配置されている。
【００６３】
なお、パチンコ遊技機１０では、遊技盤ＹＢの後側に組み付けられた主基板ユニット８０のさらに後方に別の遊技部品は組み付けられていない。そして、主基板ケース８１のカバー部材８６は、少なくとも主基板３０の実装面が対向する部位については他の遊技部品で覆われていない。このため、遊技盤ＹＢを組み付けた中枠ＷＮを開放させた場合、主基板ユニット８０は露出した状態となり、図５に示すように視認可能である。したがって、中枠ＷＮを開放させた状態においては主基板ケース８１に収容している主基板３０の実装面が視認可能であるとともに、番号表示部１０１及び表示器１０５の情報表示部１０５ａがそれぞれ視認可能である。
【００６４】
そして、パチンコ遊技機１０は、常には図１に示す施錠装置ＳＳによって中枠ＷＮ及び前枠ＷＭの開放が規制されているが、遊技場の管理者が管理する枠キー（鍵）を用いて施錠装置ＳＳを操作することで中枠ＷＮ及び前枠ＷＭが解錠されて開放させることができる。このため、表示器１０５の情報表示部１０５ａに表示される情報は、中枠ＷＮを開放させることによって視認可能である。つまり、この実施形態において主基板３０に搭載した表示器１０５の情報は、施錠装置ＳＳを操作することができない遊技者の目には触れない位置に配置されていることになる。
【００６５】
次に、図６にしたがって、パチンコ遊技機１０の電気的構成を説明する。
パチンコ遊技機１０は、主基板３０、払出基板３１、サブ統括基板３２を含む各種制御基板を備えている。
【００６６】
主基板３０は、制御動作を所定の手順で実行することができる主制御用のＣＰＵ３０ａを備えている。また、演算素子としてのＣＰＵ３０ａは、パチンコ遊技機１０における遊技の進行を制御する。ＣＰＵ３０ａは、所定の処理を行う処理部（中央処理装置）である。この実施形態においてＣＰＵ３０ａは、メモリを内蔵しているとともに、該メモリには読み出し専用のＲＯＭ領域と、読み書きが可能なＲＷＭ領域とが設けられている。これにより、主基板３０は、図６に示すようにＲＯＭ領域に相当する主制御用のＲＯＭ３０ｂと、ＲＷＭ領域に相当する主制御用のＲＷＭ３０ｃと、を備えている。なお、メモリは、ＣＰＵ３０ａと別体であってもよい。また、主基板３０は、乱数生成回路３０ｄ、及び表示器（ベースモニタ）１０５を備えている。なお、主基板３０は、図示しないが、入出力回路、クロック生成回路などの電子部品も備えている。そして、主基板３０を主基板ケース８１に収容した状態において上記した電子部品は、主基板ケース８１のカバー部材８６を透過して視認可能である。
【００６７】
主基板３０には、始動口スイッチＳ１，Ｓ２、カウントスイッチＳ３、ゲートスイッチＳ４、普通口スイッチＳ５，Ｓ６が接続されている。そして、ＣＰＵ３０ａは、上記した各スイッチＳ１〜Ｓ６からの検知信号を受信可能である。また、ＣＰＵ３０ａは、各種表示装置（特図表示装置２３、保留表示装置２４、普図表示装置２５など）の表示内容を制御するとともに、アクチュエータＡＣ１，ＡＣ２の動作を制御する。また、主基板３０には、ＲＷＭクリアボタン１０４が接続されている。ＣＰＵ３０ａは、ＲＷＭクリアボタン１０４がオン状態に操作（押込操作）されたときに送信する操作信号を受信可能である。
【００６８】
ＲＯＭ３０ｂには、遊技に関する処理を実行するためのメイン制御プログラム、特別図柄の変動パターン（メイン変動パターン）を特定する情報や、各種の判定値などが格納されている。メイン変動パターンは、特別図柄が変動を開始してから特別図柄が確定停止表示される迄の間の変動時間（演出時間）を特定可能である。メイン変動パターンは、大当り変動用の変動パターンと、はずれ変動用の変動パターンとに分類可能である。また、各種の判定値には、大当り抽選に用いる大当り判定値、普通図柄の当り抽選に用いる普通当り判定値などを含む。また、ＲＷＭ３０ｃには、パチンコ遊技機１０の動作中に適宜書き換えられる各種情報（乱数値、タイマ値、フラグ、始動保留数など）が記憶される。つまり、ＣＰＵ３０ａは、自身による演算結果を示すデータ（制御情報）をメモリのＲＷＭ領域に記憶させる。
【００６９】
ＣＰＵ３０ａは、各種のソフトウェア乱数の値を所定の制御周期（割込み周期）毎に更新し、ＲＷＭ３０ｃに記憶させる乱数更新処理（ソフトウェア乱数生成処理）を実行する。ソフトウェア乱数には、特別図柄の大当り図柄を決定するときに用いる大当り図柄乱数、メイン変動パターンを振り分けるときに用いる変動パターン振分乱数などを含む。乱数生成回路３０ｄは、図示しないクロック生成回路から供給される内部システムクロック（例えば１０ＭＨｚ）の１周期毎に値を１更新することにより、ハードウェア乱数を生成する。ハードウェア乱数は、特別図柄の大当り抽選に用いる大当り乱数や、普通図柄の当り抽選に用いる普通当り乱数となる。
【００７０】
払出基板３１は、制御動作を所定の手順で実行することができる払出制御用のＣＰＵ３１ａと、ＣＰＵ３１ａの制御プログラムなどの制御用情報を格納する払出制御用のＲＯＭ３１ｂと、必要なデータの書き込み及び読み出しができる払出制御用のＲＷＭ３１ｃと、を備えている。払出基板３１は、中継端子板３７を介して主基板３０に接続されている。主基板３０と払出基板３１は、双方向に情報（制御信号）が送信されるように電気的に接続されている。払出基板３１は、主基板３０から送信される賞球の払出しを指示する賞球信号をもとに払出ユニットＨＳを駆動させ、所定個数の賞球を払出す。
【００７１】
主基板３０から払出基板３１に送信される賞球信号（賞球指定コマンド）は、賞球払出しの対象となる入賞口へ入球したことにより、その入賞口に対応する賞球数を特定可能に構成されている。例えば、第１始動口１２へ入球した場合の賞球信号は賞球数として［４球］を特定可能に構成されている。なお、例えば、主基板３０において払出すべき賞球数を合算した賞球総数を管理している場合、賞球信号は１球の賞球の払出しを指示するような構成とし、必要な回数分（賞球総数が零になるまで）、１球の賞球の払出しを指示する賞球信号を払出基板３１に送信するようにしてもよい。賞球信号は、２バイトのデータから構成されており、１バイト目のデータと２バイト目のデータの一方が賞球の払出しを指示していることを示すデータであり、他方が賞球数を示すデータである。
【００７２】
パチンコ遊技機１０は、電源ユニット３８を備えている。電源ユニット３８は、遊技場などの外部電源から供給される電源電圧を所定の電源電圧（Ｖ１）に変換するとともに、その変換後の電源電圧（Ｖ１）を主基板３０や払出基板３１などの各基板へ供給すべき電源電圧（Ｖ２）にさらに変換する。電源ユニット３８は、複数本の電源供給線を介して各基板（主基板３０や払出基板３１）と接続されており、各基板は電源供給線を通じて電力供給を受けることによって動作する。電源ユニット３８は、電源スイッチ（接点装置）３８ａを備えている。電源スイッチ３８ａは、オン状態及びオフ状態の何れかに切り替える操作が可能であって、切り替え後の操作状態を維持するように構成されている。この実施形態では、外部電源からパチンコ遊技機１０へ電力が供給されている状態において、電源スイッチ３８ａをオフ状態からオン状態に操作にすると、各基板に電力が供給され、さらにオフ状態に操作すると各基板への電力供給が遮断される。したがって、パチンコ遊技機１０を起動するためには、電源スイッチ３８ａをオン状態に操作したまま、外部電源からの電力供給を開始するか、外部電源からの電力供給をしている状態のまま、電源スイッチ３８ａをオフ状態からオン状態に操作にする。以下の説明では、電源スイッチ３８ａを操作するなどして、各基板に対して電力が供給されている状態にすることを、「電源投入」又は「電力供給を開始する」と示し、各基板に対して電力が供給されていない状態にすることを、「電源断（電源遮断）」又は「電力供給を停止する」と示す。
【００７３】
払出基板３１には、アウトスイッチＳ７が接続されている。アウトスイッチ（センサ）Ｓ７は、遊技に使用された有効球（アウト球）を検知するスイッチである。ＣＰＵ３１ａは、アウトスイッチＳ７からの検知信号を受信可能である。この実施形態のパチンコ遊技機１０においてアウトスイッチＳ７は、遊技盤ＹＢの搭載枠である中枠ＷＮに備えられている。
【００７４】
パチンコ遊技機１０において遊技盤ＹＢの遊技領域ＹＢａに打ち出され、その後に遊技領域ＹＢａを流下案内される遊技球（有効球）は、賞球払出しの対象となる各種の入賞口へ入賞する場合、何れの入賞口にも入賞せずにアウト口２１へ入球する場合、作動ゲート１８を通過した後にアウト口２１へ入球する場合などがある。そして、何れかの入賞口へ入賞した遊技球、及びアウト口２１へ入球した遊技球は、最終的には中枠ＷＮに搭載された案内通路を通って機外へ排出される。
【００７５】
このため、この実施形態のパチンコ遊技機１０においてアウトスイッチＳ７は、入賞口へ入賞した遊技球、及びアウト口２１へ入球した遊技球が集合する案内通路に配置されている。つまり、案内通路に配置されているアウトスイッチＳ７は、遊技盤ＹＢのアウト口２１よりも下方の位置にあり、さらに詳しく言えば、案内通路のほぼ最下流（案内通路に開口する機外への球排出口の付近）に相当する中枠ＷＮの最下部位に位置している。
【００７６】
この実施形態では、アウトスイッチＳ７が遊技に使用された遊技球を検知する有効球検知手段に相当する。そして、この実施形態のパチンコ遊技機１０は、単数（単一）の有効球検知手段を備えている。また、この実施形態では、始動口スイッチＳ１，Ｓ２、及び普通口スイッチＳ５，Ｓ６が、有効球のうち、大入賞口１５とは異なる入賞口としての第１始動口１２、第２始動口１３、及び普通入賞口１６，１７へ入球した遊技球を検知する入球検知手段に相当する。そして、この実施形態のパチンコ遊技機１０は、複数の入球検知手段を備えている。
【００７７】
パチンコ遊技機１０は、外部接続手段としての外部端子板４０を備えている。外部端子板４０は、払出基板３１に接続されている。払出基板３１と外部端子板４０は、払出基板３１から一方向で情報（信号）が送信されるように払出基板３１と電気的に接続されている。外部端子板４０は、遊技場に設置された各パチンコ遊技機の動作状態を管理するために遊技場の管理室などに設置される外部装置としてのホールコンピュータＨＣとパチンコ遊技機１０とを接続する基板である。外部端子板４０は、複数の入力端子と複数の出力端子とを備える。そして、外部端子板４０の入力端子には、払出基板３１から送信される複数種類の信号を別々に受信可能となるように別々の信号線が接続されている。また、外部端子板４０の出力端子には、受信した各信号を別々に送信可能となるように別々の信号線が接続される。
【００７８】
ここで、外部端子板４０を通じてホールコンピュータＨＣへ送信可能な情報（信号）について説明する。
この実施形態のパチンコ遊技機１０では、外部信号として、外部端子板４０を通じて情報信号と、扉開放信号と、セキュリティ信号と、賞球予定信号と、賞球情報信号と、アウト信号を送信可能である。外部端子板４０は、外部信号の出力を可能に構成された外部信号出力手段である。セキュリティ信号は、特定の外部信号に相当する。扉開放信号は、所定の外部信号に相当する。
【００７９】
情報信号は、パチンコ遊技機１０の遊技に関する情報を特定可能とした信号である。例えば、これらの情報としては、大当り遊技などの状態、始動口（第１始動口１２、第２始動口１３）へ遊技球が入球したこと、特図変動ゲーム及び普図変動ゲームが終了したこと、などである。扉開放信号は、パチンコ遊技機１０の搭載枠（前枠ＷＭ、中枠ＷＮ）が開放されたことを特定可能とした信号である。セキュリティ信号は、パチンコ遊技機１０で発生したエラーを特定可能とした信号である。例えば、エラーとしては、ＲＷＭクリア、磁気エラー、振動エラー（誘導磁界検知エラー）、大入賞口不正入賞エラー、及び普通電動役物不正入賞エラーなどである。
【００８０】
賞球予定信号は、払出ユニットＨＳにより賞球の払出動作が行われたか否かに拘わらず、予め定めた一定数単位（例えば１０球）の賞球としての遊技球を払出す予定がある旨を特定可能とした信号である。賞球予定信号は、賞球信号の受信を契機に計数した賞球予定球数（払出予定球数）が一定の球数（例えば１０球）を超える毎に送信される。賞球情報信号は、予め定めた一定数単位（例えば１０球）の賞球としての遊技球を払出した旨を特定可能とした信号である。賞球情報信号は、一定数単位の賞球としての遊技球の払出しが完了する毎に送信される。アウト信号は、アウトスイッチＳ７で有効球を検知する毎に計数した有効球の数が一定の球数（例えば１０球）を超える毎に送信される。
【００８１】
賞球予定信号、賞球情報信号、及びアウト信号は、一定時間（例えば１２８ｍｓ）、送信される。また、賞球予定信号、賞球情報信号、及びアウト信号は、連続して送信される場合、一定間隔（例えば１２８ｍｓ）をあけて送信される。なお、上記信号が送信される一定時間と一定間隔は同じ時間である。また、連続して送信される場合とは、例えばアウト信号であれば、一定時間送信されている間にアウトスイッチＳ７で検知された有効球の一定の球数に達している場合である。そして、この場合、アウト信号は、一定時間の経過後、一定間隔をあけて送信される。なお、このような信号の送信は、賞球予定信号及び賞球情報信号でも同じである。
【００８２】
賞球予定信号、賞球情報信号、及びアウト信号は、第１状態（例えばオン（Ｈｉ）状態）と第２状態（例えばオフ（Ｌｏｗ）状態）とを取り得る２値の信号であり、具体的に言えば送信時は第１状態となり、未送信時は第２状態となる。なお、賞球予定信号、賞球情報信号、及びアウト信号がオン状態を取り得る時間は任意に変更可能であり、連続して送信される場合の間隔（オフ状態を取り得る時間）は任意に変更可能である。
【００８３】
また、図６に示すように、主基板３０と払出基板３１は、制御信号を送受信する複数本の情報信号線によって電気的に接続されている。そして、パチンコ遊技機１０は、情報信号線として、主基板３０から払出基板３１へ制御信号を一方向で送信する情報信号線Ｌ１と、払出基板３１から主基板３０へ制御信号を一方向で送信する情報信号線Ｌ２と、を有する。情報信号線Ｌ１は、主基板３０を基準としたとき、主基板３０から払出基板３１に制御信号を送信する送信線である。情報信号線Ｌ２は、主基板３０を基準としたとき、主基板３０が払出基板３１の送信した制御信号を受信する受信線である。また、パチンコ遊技機１０は、情報信号線として、情報信号線Ｌ１，Ｌ２に加え、制御信号を送受信する単数又は複数の情報信号線Ｌ３を有する。
【００８４】
この実施形態のパチンコ遊技機１０では、情報信号線Ｌ１と情報信号線Ｌ２とを用いて、主基板３０と払出基板３１との間で賞球の払出しに関する制御信号を送受信する。なお、情報信号線Ｌ１と情報信号線Ｌ２は、シリアル通信線である。また、この実施形態のパチンコ遊技機１０では、情報信号線Ｌ３を用いて、主基板３０と払出基板３１との間で賞球の払出し以外に関する制御信号を送受信する。賞球の払出し以外に関する制御信号には、例えば払出基板３１を介して外部端子板４０へ送信される信号である。具体的に言えば、情報信号、扉開放信号、セキュリティ信号、賞球予定信号、賞球情報信号、及びアウト信号である。
【００８５】
また、パチンコ遊技機１０は、バックアップ機能を搭載している。この実施形態において主基板３０と払出基板３１は、バックアップ機能を搭載している。バックアップ機能を搭載したパチンコ遊技機１０は、外部電源からの電力供給が停止した場合でも遊技制御に関する情報（以下、「遊技情報」と示す）を含む各種情報を所定期間保持し、電力供給が開始されたときには前記各種情報に基づいて復帰可能である。
【００８６】
遊技制御に関する遊技情報には、特図変動ゲームに関する情報、大当り遊技に関する情報、遊技状態に関する情報、賞球の払出しに関する情報を含む。特図変動ゲームに関する情報としては、例えば大当り抽選の抽選結果を特定可能な情報、特図変動ゲームの変動パターンを特定可能な情報、特図変動ゲームで導出される特別図柄を特定可能な情報などである。大当り遊技に関する情報としては、大当り遊技の進行状況を特定可能な情報などである。遊技状態に関する情報としては、確率変動状態であるかを特定可能な情報や入球率向上状態であるかを特定可能な情報などである。賞球の払出しに関する情報としては、未送信の賞球信号を特定可能な情報などである。また、所定期間は、バックアップ用電源（例えば電気二重層コンデンサ）が放電され、そのバックアップ用電源が電力供給不能になるまでの期間である。バックアップ用電源は、電源ユニット３８に搭載されている。バックアップ用電源は、各種情報のバックアップを可能に構成されたバックアップ手段である。
【００８７】
そして、パチンコ遊技機１０に電源を供給して起動させると（復電時を含む）、主制御用のＣＰＵ３０ａ及び払出制御用のＣＰＵ３１ａは、ＲＷＭの初期化指示を受けていない場合、記憶内容が正常であるかを確認し、正常であるときには記憶されている遊技制御に関する情報（記憶内容）に基づいて復帰させる処理を行う。これにより、パチンコ遊技機１０は、ＲＷＭの記憶内容（電源遮断時における遊技制御に関する情報）に基づいて復帰される。記憶内容が正常であるか、異常であるかの確認は、例えばバックアップフラグの状態確認とチェックサムの一致確認によって行われる。一方で、ＲＷＭの初期化指示を受けていない場合であっても、ＲＷＭの記憶内容が異常であるときにはＲＷＭの初期化を行って初期値を設定し、ＲＷＭの初期化指示を受けたときと同様に制御を開始する。つまり、ＲＷＭの記憶内容が異常であるときには、前述した遊技制御に関する情報は初期化される。ＲＷＭの初期化指示は、パチンコ遊技機１０の電源投入時にＲＷＭクリアボタン１０４をオン状態に操作することによって行うことができる。このように、ＲＷＭクリアボタン１０４は、遊技情報の初期化を指示する操作を可能に構成された初期化操作手段である。
【００８８】
また、図６に示すように、サブ統括基板３２は、主基板３０から一方向で情報（制御信号）が送信されるように主基板３０と電気的に接続されている。サブ統括基板３２は、何れも図示しないＣＰＵと、ＲＯＭと、ＲＷＭと、を有する。サブ統括基板３２のＣＰＵは、ＲＯＭに格納されている制御プログラムにしたがって制御動作を所定の手順で実行するとともに、ＲＷＭには制御動作で生じたデータが一時的に格納される。
【００８９】
また、サブ統括基板３２には、演出表示装置１１の表示内容を制御する演出表示基板４６と、装飾ランプＬａの発光を制御するとともにスピーカＳｐの音声出力を制御する音声・ランプ基板４７と、が接続されている。この実施形態のパチンコ遊技機１０において、サブ統括基板３２、演出表示基板４６、及び音声・ランプ基板４７は、主基板３０から送信される制御信号をもとに主に遊技演出の制御を司る副基板４２である。また、サブ統括基板３２には演出ボタンＢＴが接続されており、演出ボタンＢＴからの操作信号を受信可能である。
【００９０】
以下、主基板３０のＣＰＵ３０ａが、遊技を制御するために行う処理（通常処理）について説明する。
最初に、各種スイッチＳ１，Ｓ２，Ｓ３，Ｓ４，Ｓ５，Ｓ６からの遊技球の検知信号の受信に関する処理（受信処理（入力処理））について説明する。
【００９１】
主制御用のＣＰＵ３０ａは、第１始動口１２への入球によって始動口スイッチＳ１からの検知信号を受信している場合、第１特別図柄の始動保留数（以下、「第１特図保留数」と示す）が上限数（この実施形態では４）未満であるかを判定する。そして、ＣＰＵ３０ａは、第１特図保留数が上限数未満である場合、第１特図保留数を１加算して書き換えるとともに、加算後の第１特図保留数を表示させるように第１特図保留数用の保留表示装置２４を制御する。一方、ＣＰＵ３０ａは、第１特図保留数が上限数に達している場合、第１特図保留数を加算しない。
【００９２】
また、ＣＰＵ３０ａは、第２始動口１３への入球によって始動口スイッチＳ２からの検知信号を受信している場合、第２特別図柄の始動保留数（以下、「第２特図保留数」と示す）が上限数（この実施形態では４）未満であるかを判定する。そして、ＣＰＵ３０ａは、第２特図保留数が上限数未満である場合、第２特図保留数を１加算して書き換えるとともに、加算後の第２特図保留数を表示させるように第２特図保留数用の保留表示装置２４を制御する。一方、ＣＰＵ３０ａは、第２特図保留数が上限数に達している場合、第２特図保留数を加算しない。
【００９３】
ＣＰＵ３０ａは、図柄変動ゲームの始動条件を成立させる始動口（第１始動口１２又は第２始動口１３）へ遊技球が入球し、始動保留数（第１特図保留数又は第２特図保留数）が上限数未満であるという条件の成立を契機に始動保留数を計数する計数手段である。また、保留表示装置２４は、始動保留数の計数結果を表示可能な手段である。例えば、パチンコ遊技機１０は、保留表示装置２４として、数字を直接的に表示する装置を搭載したり、複数の発光体を備え、その点灯個数によって始動保留数を表示する装置を搭載したりしている。また、ＣＰＵ３０ａによって計数された始動保留数は、ＲＷＭ３０ｃに記憶される特図変動ゲームに関する情報であり、電力供給が停止した場合でも保持され、さらに電力供給が開始されたときには復帰可能な情報である。つまり、パチンコ遊技機１０は、例えば始動保留数として「４」を特定可能な情報を保持している場合、電力供給が開始されたときには始動保留数を「４」として復帰可能であり、復帰時の保留表示装置２４には復帰した始動保留数が表示される。一方、ＣＰＵ３０ａによって計数された始動保留数は、ＲＷＭの初期化指示によって初期化される情報である。このため、初期化された場合の保留表示装置２４は、初期値である「０（零）」を示すことになる。
【００９４】
また、ＣＰＵ３０ａは、始動保留数（第１特図保留数又は第２特図保留数）を加算した場合、加算後の始動保留数を特定可能な情報（保留指定コマンドなど）を副基板４２に送信する。副基板４２は、加算後の始動保留数を特定可能な情報を報知する。例えば、演出表示装置１１の画像表示部ＧＨには、加算後の始動保留数を特定可能な情報として保留数を示す画像が表示される。
【００９５】
また、ＣＰＵ３０ａは、始動保留数の上限数未満で遊技球が入球した場合、その入球を契機に各種乱数の値を取得するとともに、該取得した各種乱数の値を特定可能な乱数情報を、ＲＷＭ３０ｃに記憶させる。乱数情報は、乱数の値によって構成されていてもよいし、乱数の値を当該値を特定可能な他の情報に変換した情報によって構成されていてもよい。また、ＣＰＵ３０ａは、乱数情報を記憶させる場合、その乱数の値の取得契機となった遊技球の入球順序（情報の記憶順序）と、先に入球した遊技球の入球順序（情報の記憶順序）とが特定可能なようにＲＷＭ３０ｃに記憶させる。なお、ＣＰＵ３０ａは、乱数の値を取得する場合、大当り乱数の値を乱数生成回路３０ｄから取得し、大当り図柄乱数の値や変動パターン振分乱数の値をＲＷＭ３０ｃから取得する。
【００９６】
また、ＣＰＵ３０ａは、始動口スイッチＳ１，Ｓ２、カウントスイッチＳ３、及び普通口スイッチＳ５，Ｓ６からの検知信号を受信した場合の処理において、賞球を払出すための賞球処理を行う。賞球処理では、払出基板３１に送信する賞球信号（賞球指定コマンド）を生成して、送信する。賞球信号を受信した払出基板３１のＣＰＵ３１ａは、払出ユニットＨＳを作動させて、賞球信号で指示された個数の遊技球を賞球として払出す。
【００９７】
また、ＣＰＵ３０ａは、ゲートスイッチＳ４からの検知信号を受信した場合の処理において、普図変動ゲームの保留を記憶する処理や普通図柄の当り抽選などに用いる各種乱数を取得する処理を行う。なお、ＣＰＵ３０ａは、普図変動ゲームの始動条件を成立させる作動ゲート１８へ遊技球が入球し、普通図柄の始動保留数が上限数（この実施形態では４）未満であるという条件の成立を契機に普通図柄の始動保留数を計数する計数手段である。普通図柄の始動保留数は、ＣＰＵ３０ａが制御する図示しない普通図柄保留表示装置に表示される。また、普通図柄の始動保留数は、特別図柄の始動保留数とともにＲＷＭ３０ｃに記憶され、同様に電力供給が停止した場合でも保持される情報であって、電力供給が開始されたときには復帰可能な情報である。また、普通図柄の始動保留数は、ＲＷＭの初期化指示によって初期化される情報である。
【００９８】
次に、大当り抽選の抽選結果を導出させる特図変動ゲームの実行に関する処理（特図変動処理）について説明する。なお、主制御用のＣＰＵ３０ａは、所定の制御周期（例えば４ｍｓ）毎に特図変動処理を実行する。
【００９９】
特図変動処理においてＣＰＵ３０ａは、特図変動ゲームの開始条件が成立したかを判定する。この判定においてＣＰＵ３０ａは、特図変動ゲームの実行中ではなく、且つ大当り遊技中ではない場合に開始条件が成立したと判定する一方で、特図変動ゲームの実行中、又は大当り遊技中である場合に開始条件が成立していないと判定する。そして、ＣＰＵ３０ａは、開始条件が成立していない場合、特図変動処理を終了する。
【０１００】
ＣＰＵ３０ａは、前述した開始条件が成立している場合、第２特図保留数を読み出し、その読み出した第２特図保留数が零よりも大きいかを判定する。そして、第２特図保留数が零よりも大きい場合、ＣＰＵ３０ａは、第２特図変動ゲームを開始させるように所定の処理を行う。一方、ＣＰＵ３０ａは、第２特図保留数が零の場合、第１特図保留数を読み出し、その読み出した第１特図保留数が零よりも大きいかを判定する。そして、第１特図保留数が零よりも大きい場合、ＣＰＵ３０ａは、第１特図変動ゲームを開始させるように所定の処理を行う。この実施形態のパチンコ遊技機１０は、第１特図変動ゲームと第２特図変動ゲームとを同時に実行させず、第２特図変動ゲームを優先的に実行させる仕様である。
【０１０１】
なお、第１特図保留数と第２特図保留数の何れもが零の場合、ＣＰＵ３０ａは、デモンストレーション演出（以下、「デモ演出」と示す）を実行させるための処理を行う。デモ演出は、パチンコ遊技機１０が待機状態であることを例えば演出表示装置１１などの装置を利用して報知し、客寄せ効果を得るための演出である。
【０１０２】
第２特図変動ゲームを開始させる場合、ＣＰＵ３０ａは、第２特図保留数を１減算して書き換えるとともに、減算後の第２特図保留数を表示させるように第２特図保留数用の保留表示装置２４を制御する。また、ＣＰＵ３０ａは、第２特図保留数を減算した場合、減算後の第２特図保留数を特定可能な情報（保留指定コマンドなど）を副基板４２に送信する。
【０１０３】
次に、ＣＰＵ３０ａは、ＲＷＭ３０ｃに記憶されている乱数情報のうち、最先に記憶された乱数情報を取得する。
乱数情報を取得したＣＰＵ３０ａは、大当り乱数の値と大当り判定値とを比較し、大当り抽選を行う。大当り抽選においてＣＰＵ３０ａは、遊技状態を特定可能な情報をもとに大当り抽選時（すなわち、特図変動処理の実行時）が確率変動状態であるか、非確率変動状態であるかを判定し、その判定結果をもとに異なる当選確率で大当り抽選を行う。
【０１０４】
大当り抽選においてＣＰＵ３０ａは、ＲＷＭ３０ｃから取得した大当り乱数の値が大当り判定値と一致するかを判定する。そして、大当り乱数の値と大当り判定値とが一致した場合には、大当り抽選に当選する。大当り抽選に当選した場合、ＣＰＵ３０ａは、大当り処理を行う。具体的に言えば、ＣＰＵ３０ａは、取得した乱数情報から特定される大当り図柄乱数の値に基づき、特別図柄の大当り図柄を決定する。この決定した大当り図柄が、特図変動ゲームにて導出される確定停止図柄となる。なお、特別図柄の大当り図柄は、大当りの種類に対応付けられている。このため、大当り図柄を決定することは大当りの種類を決定することになる。また、ＣＰＵ３０ａは、取得した乱数情報から特定される変動パターン振分乱数の値に基づき、大当りに当選した場合に選択可能な大当り変動用の変動パターンの中から変動パターンを決定する。
【０１０５】
また、ＣＰＵ３０ａは、大当り抽選に当選しなかった場合、はずれ処理を行う。はずれ処理においてＣＰＵ３０ａは、特別図柄のはずれ図柄を決定する。この決定したはずれ図柄が、特図変動ゲームにて導出される確定停止図柄となる。また、ＣＰＵ３０ａは、取得した乱数情報から特定される変動パターン振分乱数の値に基づき、はずれ変動用の変動パターンを決定する。はずれ変動用の変動パターンを決定する場合、ＣＰＵ３０ａは、リーチありの変動パターン又はリーチなしの変動パターンの何れかを決定する。
【０１０６】
なお、ＣＰＵ３０ａは、第１特図変動ゲームを開始させる場合、前述した第２特別図柄の制御と同様の制御を第１特別図柄を対象にして行う。つまり、ＣＰＵ３０ａは、第１特別図柄の始動保留数の減算、大当り抽選、大当り抽選の結果に基づく大当り処理又ははずれ処理を行う。
【０１０７】
また、ＣＰＵ３０ａは、特図変動ゲームの実行に関する処理として、前述した処理の結果をもとに、副基板４２に遊技演出の制御を指示する制御情報（制御コマンド）を生成する処理を行う。当該処理で生成された各種の制御情報は、ＣＰＵ３０ａが行うコマンド送信処理によって所定のタイミングで副基板４２に送信される。
【０１０８】
ＣＰＵ３０ａは、特図変動ゲームを開始させる場合、制御情報として図柄変動ゲームを開始させることを特定可能な変動開始コマンド（変動開始情報）を生成する。変動開始コマンドには、前述した大当り処理又ははずれ処理において決定した変動パターンを特定可能な情報も含む。また、ＣＰＵ３０ａは、特図変動ゲームを開始させる場合、制御情報として特別図柄を特定可能な特図コマンド（特図情報）を生成する。特別図柄の大当り図柄は大当りの種類と対応していることから、特図情報によって大当りの種類が特定可能である。このため、特図コマンドは、当否を特定可能な情報でもあり、また大当りの種類を特定可能な情報でもある。
【０１０９】
また、ＣＰＵ３０ａは、特図変動ゲームを開始させてからの経過時間が所定の変動時間（変動パターンに定められている時間）に達した場合、制御情報として特図変動ゲームを終了させることを特定可能な変動停止コマンド（変動終了情報）を生成する。なお、主制御用のＣＰＵ３０ａは、特図変動ゲームを開始させる場合、第１特別図柄又は第２特別図柄の変動を開始させるように特図表示装置２３の表示内容を制御するとともに、変動時間の計測を開始する。そして、ＣＰＵ３０ａは、決定したメイン変動パターンに定められている変動時間の経過時に、決定している特別図柄を導出させるように特図表示装置２３の表示内容を制御する。
【０１１０】
特図変動ゲームの変動パターンには、特図変動ゲームの変動時間（特別図柄を導出するまでの時間）が規定されている。パチンコ遊技機１０は、変動時間を異ならせた複数種類の特図変動ゲームの変動パターンを備えている。特図変動ゲームの変動パターンのうち、大当り変動用及びはずれ変動用のリーチありの変動パターンの変動時間は、はずれ変動用のリーチなしの変動パターンの変動時間に比して長い時間に規定されている。これは、演出図柄の図柄変動ゲームにおいてリーチ演出が行われない変動の時間を長くすることによって遊技の消化（始動保留球の消化）を妨げないようにしているからである。はずれ変動用の変動パターンの変動時間は、比較的短い時間に規定されており、例えば通常遊技時（低確かつ低ベース）において５０００〜１００００ｍｓ程度の時間である。また、例えば通常遊技時以外（高確時や高ベース時）では、通常遊技時よりもさらに短い時間が規定されており、例えば１０００〜３０００ｍｓ程度の時間である。また、変動開始時の始動保留数によって変動時間を短縮させる機能を搭載している場合は、例えば通常遊技時においても例えば１０００ｍｓ程度の変動時間が規定されている短縮変動の変動パターンが決定される場合もある。
【０１１１】
次に、大当り抽選に当選したことによって行われる大当り遊技の進行に関する処理について説明する。
この実施形態の大当り遊技は、大当り遊技の開始に伴うオープニングと、大入賞口１５を開放させるラウンド遊技と、大当り遊技の終了に伴うエンディングと、から構成されている。つまり、大当り遊技は、オープニング→ラウンド遊技→エンディングというように段階的に進行する。そして、ＣＰＵ３０ａは、大当り遊技の進行に関する処理として、副基板４２に遊技演出の制御を指示する制御情報（制御コマンド）を生成する処理と、大入賞口１５を開放及び閉鎖させる処理を行う。前記処理で生成された各種の制御情報は、ＣＰＵ３０ａが行うコマンド送信処理によって所定のタイミングで副基板４２に送信される。
【０１１２】
次に、遊技状態に関する処理について説明する。
この処理においてＣＰＵ３０ａは、制御情報として遊技状態を特定可能な制御情報を生成する。前記処理で生成された各種の制御情報は、ＣＰＵ３０ａが行うコマンド送信処理によって所定のタイミングで副基板４２に送信される。
【０１１３】
ここで、図７にしたがって、この実施形態のパチンコ遊技機１０における遊技状態を説明する。
この実施形態のパチンコ遊技機１０は、確率変動機能を備えている。確率変動機能は、大当り遊技の終了後に大当り抽選の当選確率を低確率（通常確率）から高確率に変動させる確率変動状態を付与することができる機能である。確率変動状態は、大当り抽選の当選確率が低確率である非確率変動状態に比して、大当り抽選に当選し易く、遊技者にとって有利な遊技状態である。確率変動状態は、例えば、次回、大当り抽選に当選するまで付与される。
【０１１４】
また、この実施形態のパチンコ遊技機１０は、入球率向上機能を備えている。入球率向上機能は、特定始動口としての第２始動口１３への単位時間当たりの遊技球の入球率を向上させる入球率向上状態を付与することができる機能である。入球率向上状態は、所謂「電サポ状態」、「高ベース状態」である。なお、以下の説明では、入球率向上状態が付与されていない状態を「非入球率向上状態」と示す場合がある。非入球率向上状態は、所謂「非電サポ状態」、「低ベース状態」である。
【０１１５】
入球率向上状態は、例えば次に示す４つの制御のうち任意に選択された１の制御を実行すること、又は複数の制御を組み合わせて実行すること、により実現できる。第１の制御は、普図変動ゲームの変動時間を、非入球率向上状態のときよりも短くする普通図柄の変動時間短縮制御である。第２の制御は、普通図柄の当り抽選に当選する確率（普通当り確率）を、非入球率向上状態のときよりも高確率に変動させる普通図柄の確率変動制御である。第３の制御は、普通図柄の当り抽選に当選したことに基づく第２始動口１３の合計開放時間を、非入球率向上状態のときよりも長くする開放時間延長制御である。なお、開放時間延長制御としては、普通図柄の当り抽選に当選したことに基づく第２始動口１３の開放回数を、非入球率向上状態のときよりも多くする制御、及び普通図柄の当り抽選に当選したことに基づく第２始動口１３の１回の開放時間を非入球率向上状態のときよりも長くする制御のうち、少なくとも一方の制御を実行するとよい。第４の制御は、特別図柄変動ゲームの変動時間（例えば平均の変動時間）を、非入球率向上状態のときよりも短くなり易くする特別図柄の変動時間短縮制御である。特別図柄の変動時間短縮制御を実行する場合、入球率向上状態は、所謂「変動時間短縮状態（時短状態）」となる。
【０１１６】
入球率向上状態は、例えば、次回、大当り抽選に当選するまで、又は入球率向上状態が付与されてから規定上限回数（例えば１００回）の特図変動ゲームが実行されるまで、若しくは規定上限回数に達する前に大当り抽選に当選するまで付与される。なお、第１特別図柄と第２特別図柄を用いるパチンコ遊技機１０の場合、規定上限回数は第１特図変動ゲームと第２特図変動ゲームとの合算回数である。
【０１１７】
そして、パチンコ遊技機１０の遊技状態は、確率変動状態の有無と入球率向上状態の有無との組み合わせによって規定することができる。
具体的に言えば、遊技状態には、確率変動状態が付与されておらず、さらに入球率向上状態が付与されていない第１遊技状態（図７の「低確＋低ベース」）と、確率変動状態は付与されていないが、入球率向上状態が付与されている第２遊技状態（図７の「低確＋高ベース」）と、がある。また、遊技状態には、確率変動状態は付与されているが、入球率向上状態が付与されていない第３遊技状態（図７の「高確＋低ベース」）と、確率変動状態が付与されているとともに入球率向上状態も付与されている第４遊技状態（図７の「高確＋高ベース」）と、がある。
【０１１８】
パチンコ遊技機１０において遊技状態が変化する契機には、第１の状態変化契機と、第１の状態変化契機とは異なる第２の状態変化契機と、がある。
第１の状態変化契機は、大当り抽選に当選することである。パチンコ遊技機１０において大当り遊技中の遊技状態は、低確かつ低ベースである。このため、低確かつ低ベース以外の遊技状態中に大当り抽選に当選した場合は、その当選によって付与される大当り遊技の開始に伴って遊技状態が低確かつ低ベースに変化する。
【０１１９】
また、大当り抽選に当選したときに決定される大当りの種類には大当り遊技の終了後の遊技状態を対応付けている。具体的に例示すると、大当りの種類として第１大当りと第２大当りとを備えている場合に、第１大当りに当選したときには大当り遊技の終了後が高確かつ高ベースとなり、第２大当りに当選したときには大当り遊技の終了後が低確かつ高ベースとなる。大当りの種類は、大当り抽選に当選したことによって決定されることから、前述した例示のように大当り遊技の終了後の遊技状態の変化契機は、大当り抽選に当選したことであると言える。
【０１２０】
第２の状態変化契機は、確率変動状態及び入球率向上状態のうち少なくとも何れか一方が付与されている場合に確率変動状態及び入球率向上状態の終了条件が成立することである。具体的に例示すると、上記した第２大当りに当選したときの入球率向上状態の終了条件に規定上限回数（例えば１００回）の特図変動ゲームが実行されるまでという条件を含む場合、規定上限回数に達するまでの間に大当り抽選に当選しなかったときには規定上限回数に達したことで「高ベース」から「低ベース」となる。
【０１２１】
なお、パチンコ遊技機１０には、例えば確率変動状態を、大当り遊技中に、遊技盤ＹＢに予め定められている特定領域に遊技球を通過させることを付与条件としている仕様がある。この仕様における遊技状態の状態変化契機は、遊技球が特定領域を通過したか否かである。また、この実施形態では、パチンコ遊技機１０が備える遊技状態として低確かつ低ベースと、低確かつ高ベースと、高確かつ低ベースと、高確かつ高ベースと、を挙げているが、パチンコ遊技機１０が何れの遊技状態を取り得るかはパチンコ遊技機１０の仕様によって異なる。例えば、パチンコ遊技機１０は、低確かつ低ベースと、低確かつ高ベースと、高確かつ高ベースと、を取り得る仕様としてもよい。
【０１２２】
そして、遊技状態に関する処理においてＣＰＵ３０ａは、遊技状態を特定可能な状態指定コマンド（遊技状態情報）を生成する。生成された遊技状態情報は、例えば電源投入時（復電時）や遊技状態の変遷時などに副基板４２へ送信される。例えば、大当り遊技終了後の遊技状態を高確かつ高ベースとする場合、大当り遊技の終了に伴って高確かつ高ベースを特定可能な状態指定コマンドが副基板４２へ送信される。また、ＣＰＵ３０ａは、入球率向上状態の付与期間をゲーム回数で管理する場合、実行された特図変動ゲームの回数をカウントし、入球率向上状態の終了条件が成立したときに入球率向上状態の終了を特定可能な状態指定コマンドとして終了コマンド（遊技状態情報）を生成する。
【０１２３】
また、図７には、各遊技状態においてパチンコ遊技機１０で行われる遊技の分類を示している。
具体的に言えば、低確かつ低ベースでは、特図変動ゲームの始動条件が成立することによって特図変動ゲームが行われるとともに、普図変動ゲームの始動条件が成立することによって普図変動ゲームが行われる。また、低確かつ低ベースでは、特別図柄の大当り抽選に当選したことによって大当り遊技が行われる。また、その他の低確かつ高ベース、高確かつ低ベース、及び高確かつ高ベースでも、特図変動ゲームや普図変動ゲームが行われる。この明細書では、図７に示すように、遊技状態が低確かつ低ベースであって、大当り遊技が行われていないときの遊技を第１遊技（通常遊技）とする。一方で、この明細書では、図７に示すように、遊技状態が低確かつ低ベースであって、大当り遊技が行われているときの遊技、及び低確かつ低ベース以外の遊技状態での遊技を、通常遊技以外の第２遊技とする。このうち、大当り遊技が行われているときの遊技は特別遊技に相当する。
【０１２４】
また、ＣＰＵ３０ａは、前述した処理の他にも以下に説明する処理を行う。例えば、ＣＰＵ３０ａは、普通図柄の当り抽選の抽選結果を導出させる普図変動ゲームの実行に関する処理（普図変動処理）を実行する。普図変動処理においてＣＰＵ３０ａは、普通当り乱数を用いた普通図柄の当り抽選、その抽選結果をもとに普図変動ゲームで導出する普通図柄の決定、及び普図変動ゲームの変動パターンの決定を行う。また、ＣＰＵ３０ａは、上記した決定事項にしたがって普図表示装置２５にて普図変動ゲームを実行させる処理、及び普通図柄の当り抽選に当選した場合には普図変動ゲームの終了後に第２始動口１３を所定の開放パターンで開放させる処理を行う。
【０１２５】
普図変動ゲームの変動パターンには、普図変動ゲームの変動時間（普通図柄を導出するまでの時間）が規定されている。パチンコ遊技機１０は、変動時間を異ならせた複数種類の普図変動ゲームの変動パターンを備えていてもよい。複数種類の普図変動ゲームの変動パターンを備える場合、これらの変動パターンは、同一の遊技状態において決定可能な変動パターンを複数としてもよいし、遊技状態に応じて変動時間が異なる変動パターンを決定可能とし、変動パターンを複数備えるようにしてもよい。普図変動ゲームの変動パターンに規定する変動時間は、例えば、「低ベース」であれば６０００ｍｓ、「高ベース」であれば１０００ｍｓとし、高ベース時には普通図柄が導出されるまでの時間を短縮してもよい。
【０１２６】
また、パチンコ遊技機１０は、第２始動口１３の開放パターンとして開放態様を異ならせた複数種類の開放パターンを備えていてもよい。複数種類の開放パターンを備える場合、これらの開放パターンは、同一の遊技状態において決定可能な開放パターンを複数としてもよいし、遊技状態に応じて開放態様が異なる開放パターンを決定可能とし、開放パターンを複数備えるようにしてもよい。開放態様は、開放時間と開放回数の組み合わせによって規定することができる。具体的に例示すれば、３８０ｍｓで１回開放させる開放パターンと、４５００ｍｓで１回開放させる開放パターンとでは、開放時間が異なることによって開放態様が異なる。また、３８０ｍｓで１回開放させる開放パターンと、３８０ｍｓで３回開放させる開放パターンとでは、開放回数が異なることによって開放態様が異なる。そして、開放パターンとしては、例えば、「低ベース」であれば３８０ｍｓの１回開放とし、「高ベース」であれば４５００ｍｓの１回開放とし、高ベース時には第２始動口１３へ入球し易くしてもよい。
【０１２７】
なお、上記した普図変動ゲームの変動パターンや、第２始動口１３の開放パターンは、パチンコ遊技機１０の仕様に応じて任意に設定可能である。そして、パチンコ遊技機１０では、普図変動ゲームの変動パターンや第２始動口１３の開放パターンを複数備える場合、決定可能な変動パターンの種類や開放パターンの種類は遊技状態毎に設定され、遊技状態が変化することによって決定可能な変動パターンの種類や第２始動口１３の開放パターンの種類も変更される。
【０１２８】
また、ＣＰＵ３０ａは、デモ演出に関する処理では、保留されている特別図柄の図柄変動ゲームが存在せずにデモ演出の実行条件が成立した場合、制御情報として待機状態になることを特定可能なデモコマンド（待機状態情報）を生成する。このデモコマンドは、ＣＰＵ３０ａが行うコマンド送信処理によって所定のタイミングで副基板４２に送信される。なお、デモ演出は、遊技状態に関係なく行われる。つまり、デモ演出は、例えば遊技状態が低確かつ低ベースであるとき、遊技状態が高確かつ高ベースであるときの何れでも、デモ演出の実行条件（特図保留数が零）が成立することによって行われる。また、エラーに関する処理では、パチンコ遊技機１０で生じた各種のエラーを検知することによって報知を行わせるなどの処理を行う。また、エラーに関する報知も、遊技状態に関係なく行われる。
【０１２９】
次に、副基板４２が実行する各種処理について説明する。副基板４２は、主制御用のＣＰＵ３０ａから制御コマンドを受信すると、その制御コマンドに応じて各種処理を実行する。
【０１３０】
最初に、演出図柄変動処理について説明する。
演出図柄変動処理において、副基板４２の１つであるサブ統括基板３２のＣＰＵは、特図コマンドを受信すると、特図コマンドにより指定された特別図柄に基づき、演出図柄の図柄変動ゲームで導出させる演出図柄の組み合わせを決定する。サブ統括基板３２のＣＰＵは、特別図柄の大当り図柄が指定された場合には、演出図柄による大当りの組み合わせを決定する。また、サブ統括基板３２のＣＰＵは、特別図柄のはずれ図柄が指定された場合には、変動開始コマンドから特定されるメイン変動パターンに基づき、演出図柄の図柄変動ゲームで導出させる演出図柄の組み合わせを決定する。具体的に言えば、サブ統括基板３２のＣＰＵは、リーチありのはずれ変動用のメイン変動パターンが指定されたときには、リーチ形成図柄を含むはずれの組み合わせを決定する。また、サブ統括基板３２のＣＰＵは、リーチなしのはずれ変動用のメイン変動パターンが指定されたときには、リーチ形成図柄を含まないはずれの組み合わせを決定する。
【０１３１】
この実施形態において演出図柄の図柄変動ゲームは、左列、中列、右列からなる３列の演出図柄による組み合わせを導出させる。そして、演出図柄の図柄変動ゲームでは、所定の複数列（この実施形態では左列と右列の２列）に同一の演出図柄が導出されることによってリーチが形成され、残りの列（この実施形態では中列の１列）を導出させるためのリーチ演出が行われる。このため、所定の複数列に導出された同一の演出図柄がリーチ形成図柄となり、リーチ形成図柄を含むはずれの組み合わせは所定の複数列が同一の演出図柄であって、残りの列が所定の複数列の演出図柄とは異なる演出図柄である組み合わせとなる。また、リーチ形成図柄を含まないはずれの組み合わせは所定の複数列が異なる図柄であって、残りの列については所定の複数列の演出図柄との一致性を問わない組み合わせとなる。因みに、この実施形態の大当りの組み合わせは、全列の演出図柄が同一の演出図柄となる組み合わせである。つまり、大当りの組み合わせにも、リーチ形成図柄を含んでいる。
【０１３２】
また、サブ統括基板３２のＣＰＵは、変動開始コマンドを受信すると、当該コマンドから特定可能なメイン変動パターンの種類をもとに、演出表示装置１１（画像表示部ＧＨ）の表示内容などを制御するためのサブ変動パターンを決定する。サブ変動パターンは、演出図柄の図柄変動ゲームの演出内容を特定可能である。サブ統括基板３２のＣＰＵは、決定した演出図柄及び決定したサブ変動パターンを特定可能な情報をそれぞれ演出表示基板４６のＣＰＵ及び音声・ランプ基板４７のＣＰＵに送信する。
【０１３３】
演出表示基板４６のＣＰＵは、サブ変動パターンで特定される演出内容で演出図柄の図柄変動ゲームが表示されるように演出表示装置１１（画像表示部ＧＨ）の表示内容を制御する。また、音声・ランプ基板４７のＣＰＵは、演出図柄の図柄変動ゲームの開始に伴い、当該図柄変動ゲームに付随する発光演出や音声演出を行わせるように装飾ランプＬａの発光態様やスピーカＳｐの音声出力態様を制御する。
【０１３４】
そして、演出表示基板４６のＣＰＵは、メイン変動パターンから特定される変動時間の経過により、演出図柄の図柄変動ゲームを終了させ、演出図柄の組み合わせを導出させるように画像表示部ＧＨの表示内容を制御する。なお、この実施形態では、変動停止コマンドの受信を契機として、演出図柄の図柄変動ゲームを終了させているが、演出表示基板４６のＣＰＵの制御によりメイン変動パターンから特定される変動時間を計時し、演出図柄の図柄変動ゲームを終了させるようにしてもよい。つまり、主基板３０から変動停止コマンドを送信せずに、演出図柄の図柄変動ゲームの終了を制御してもよい。
【０１３５】
なお、演出表示装置１１の制御において演出表示基板４６のＣＰＵは、実行させる画像演出を選択し、その選択した画像演出に必要なデータをＲＯＭから読み出す。なお、演出表示基板４６には、演出表示装置１１に表示させるキャラクタ画像データ、具体的には人物、文字、図形又は記号（飾り図柄を含む）を予め格納したキャラクタＲＯＭを備え、キャラクタＲＯＭから必要なデータを読み出してもよい。そして、演出表示基板４６のＣＰＵは、読み出したデータをＶＤＰ（ビデオディスプレイプロセッサ）に出力する。ＶＤＰは、入力されたデータに基づいて表示制御を実行し、画像表示部ＧＨに画像を表示させる。
【０１３６】
上記のように構成したこの実施形態のパチンコ遊技機１０は、ベース値を計数し、その計数したベース値を報知するベース報知機能を搭載している。
ベース値は、有効球の総数に対する賞球の総数の割合を示す値である。そして、この実施形態のパチンコ遊技機１０は、ベース値として通常遊技時における有効球の総数に対する通常遊技時における賞球の総数を示すベース値を計数し、そのベース値を所定の報知態様で報知する機能を搭載している。通常遊技は、図７に示したように、この明細書においては低確かつ低ベースであって、大当り遊技が行われていないときの遊技である。また、ベース値は、通常遊技時における有効球の総数と通常遊技時における賞球の総数とを比較したときの割合、つまり比率である。そして、後に詳述するが、報知されるベース値は、大当り遊技中ではないことを前提として、（低確かつ低ベース時（低確時短無）の賞球の総数÷低確かつ低ベース時の有効球の総数）×１００の計算式によって計数（計算）された数値である。なお、以下の説明において単に「ベース」又は「ベース値」と記載した場合は、特に断りがない限り、上記計算式で計数した通常遊技時のベース値を表すものとする。この実施形態では、ＣＰＵ３０ａによってベース値を計数することが、ベース値計数手段に相当する。
【０１３７】
最初に、図８にしたがって、ベース値を報知する手段としてのモニタについて説明する。
この実施形態のモニタは、図５に示した情報表示部１０５ａを有する表示器１０５である。表示器１０５は、図４及び図５を用いて説明したように、主基板３０に搭載されており、パチンコ遊技機１０を組み付けた状態において中枠ＷＮを開放させることによって情報表示部１０５ａの表示内容を外部から視認可能である。
【０１３８】
表示器１０５は、７つの発光ダイオード（ＬＥＤ）を全体として［８（数値）］の字に配置して７つのセグメント（部分）を構成した所謂、７セグメントＬＥＤを含む表示要素を４つ備えている。表示要素は、第１表示要素Ｄ１、第２表示要素Ｄ２、第３表示要素Ｄ３、第４表示要素Ｄ４である。また、表示器１０５は、第１〜第４表示要素Ｄ１〜Ｄ４毎に、７つのセグメントを構成する７つのＬＥＤに加え、ドットを表示するＬＥＤを１つずつ備えている。これにより、表示器１０５の第１〜第４表示要素Ｄ１〜Ｄ４は、７つのセグメントによる数字などを表示可能な部分と、ドットを表示可能な部分と、を備えている。ドットを表示可能な部分は、７つのセグメントによる数字などを表示可能な部分に対し、図８に示すように情報表示部１０５ａを正面視した場合の右下に位置している。そして、この実施形態の表示器１０５は、４つの表示要素（第１〜第４表示要素Ｄ１〜Ｄ４）を横並びに配置している。
【０１３９】
この実施形態の表示器１０５には、第１〜第４表示要素Ｄ１〜Ｄ４が備える各８つのＬＥＤを点灯及び消灯させる駆動回路が内蔵されている。なお、主基板３０には、表示器１０５の駆動回路を別体として搭載してもよいし、この実施形態のように駆動回路とユニット化した表示器１０５として搭載してもよい。
【０１４０】
図９（ａ），（ｂ）は、表示器１０５によるベース値の報知例を示している。
この実施形態の表示器１０５は、第１〜第４表示要素Ｄ１〜Ｄ４のうち、２つの表示要素を一組とし、その一組の表示要素で所定の情報を報知するように構成されている。具体的に言えば、第１表示要素Ｄ１と第２表示要素Ｄ２とが組となり、この２つの表示要素の表示の組み合わせで１つの情報を構成し、第３表示要素Ｄ３と第４表示要素Ｄ４とが組となり、この２つの表示要素の表示の組み合わせで１つの情報を構成する。
【０１４１】
第３，第４表示要素Ｄ３，Ｄ４は、ベース値を表示する。ベース値は、［００］〜［９９］までの２桁の数字によって表され、１００以上の場合は［９９．］というように第４表示要素Ｄ４にドットを表示して表される。
【０１４２】
一方で、第１，第２表示要素Ｄ１，Ｄ２は、第３，第４表示要素Ｄ３，Ｄ４に表示されたベース値を識別する識別子を表示する。この実施形態のパチンコ遊技機１０は、ベース値を識別する識別子として［ｂＬ．］と［ｂ６．］とを備えている。識別子［ｂＬ．］は、第１表示要素Ｄ１にアルファベットの［ｂ］を表示するとともに第２表示要素Ｄ２にアルファベットの［Ｌ］とドットとを表示することによって構成される。また、識別子［ｂ６．］は、第１表示要素Ｄ１にアルファベットの［ｂ］を表示するとともに第２表示要素Ｄ２に数字の［６］とドットとを表示することによって構成される。
【０１４３】
この実施形態のパチンコ遊技機１０は、表示器１０５の表示状態（表示内容）として第１表示状態と第２表示状態とを備えている。第１表示状態と第２表示状態は、何れの表示状態もベース値を表示するものであるが、表示されるベース値の種別が異なる。この実施形態において第１表示状態と第２表示状態は、それぞれ、第１，第２表示要素Ｄ１，Ｄ２の識別子と第３，第４表示要素Ｄ３，Ｄ４のベース値との組み合わせによって構成されている。
【０１４４】
具体的に言えば、図９（ａ）に示す、［ｂＬ．３６］は、後に詳述するが、所定の計数周期で計数されたベース値を表示しており、この実施形態では表示器１０５の表示状態が第１表示状態であるときの表示である。また、図９（ｂ）に示す、［ｂ６．３６］は、後に詳述するが、所定期間で計数されたベース値の最終のベース値を表示しており、この実施形態では表示器１０５の表示状態が第２表示状態であるときの表示である。このように表示器１０５では、ベース値とともに当該ベース値の識別子を並べて表示することで、表示されているベース値の種別を識別可能である。
【０１４５】
識別子［ｂＬ．］は第１表示状態に対応した表示であるとともに［ｂ６．］は第２表示状態に対応した表示であるが、ベース値［ＸＸ（Ｘ：数字）］はそれぞれの表示状態において変動する表示である。図９（ａ）、（ｂ）に示したベース値［３６］は単なる例示であり、この値は前述したように変動値である。この実施形態では、第３，第４表示要素Ｄ３，Ｄ４によってベース値を構成するベース表示部を構成し、第１，第２表示要素によってベース表示部に表示されているベース値の識別子を表示する識別子表示部を構成している。
【０１４６】
また、図１０に示すように、この実施形態において表示器１０５の表示状態は、所定の周期毎（図中に示す時間Ｔ毎）に切り替わる。具体的に言えば、表示器１０５は、第１表示状態を時間Ｔの間、維持した後、時間Ｔの経過によって第２表示状態に切り替わり、その第２表示状態を時間Ｔの間、維持した後、時間Ｔの経過によって再び第１表示状態に切り替わり、以降は第２表示状態→第１表示状態→第２表示状態→・・を繰り返す。このように２つの表示状態を所定の周期毎に切り替えることで、１つの表示器１０５で、異なる情報を報知することが可能である。なお、時間Ｔは、例えば４〜６秒程度である。
【０１４７】
なお、図１０は、表示器１０５の表示状態として第１表示状態→第２表示状態→第１表示状態→・・というように切り替わる順を例示したが、第２表示状態→第１表示状態→第２表示状態→・・というように切り替わる順としてもよい。この実施形態の表示器１０５は、電源投入後に表示を開始するが、そのときに最初に表示される表示状態は第１表示状態又は第２表示状態の何れでもよい。
【０１４８】
以下、図１１及び図１２にしたがって、この実施形態のパチンコ遊技機１０に搭載されているベース報知機能の具体的な制御内容をその作用とともに説明する。
制御内容には、大別して、ベース値の計数に関する制御と、ベース値の表示に関する制御と、がある。これらの制御は、主基板３０のＣＰＵ３０ａが行う。
【０１４９】
ＣＰＵ３０ａは、ベース値を計数するにあたって、次に説明する３つの数を計数し、その計数値をＣＰＵ３０ａのＲＷＭ領域（ＲＷＭ３０ｃ）に格納する。
具体的に言えば、ＣＰＵ３０ａは、第１の数として、パチンコ遊技機１０から通常遊技時に払出された賞球の総数を計数する。以下、第１の数を「通常時賞球数」と示す。通常時賞球数は、ＲＷＭ領域に設定されている所定の領域に格納され、通常時賞球数を格納する領域は通常遊技時に払出された賞球の総数のカウンタ（以下、「通常時賞球カウンタ」と示す）として機能する。また、ＣＰＵ３０ａによって通常遊技時に払出された賞球の総数を計数することが、通常時賞球計数手段に相当する。
【０１５０】
また、ＣＰＵ３０ａは、第２の数として、通常遊技時における有効球の総数を計数する。以下、第２の数を「通常時有効球数」と示す。通常時有効球数は、ＲＷＭ領域に設定されている所定の領域に格納され、通常時有効球数を格納する領域は通常遊技時における有効球の総数のカウンタ（以下、「通常時有効球カウンタ」と示す）として機能する。また、ＣＰＵ３０ａによって通常遊技時における有効球の総数を計数することが、通常時有効球計数手段に相当する。
【０１５１】
また、ＣＰＵ３０ａは、第３の数として、全ての遊技状態における有効球の総数を計数する。以下、第３の数を「全状態時有効球数」と示す。全状態時有効球数は、ＲＷＭ領域に設定されている所定の領域に格納され、全状態時有効球数を格納する領域は全ての遊技状態における有効球の総数のカウンタ（以下、「全状態時有効球カウンタ」と示す）として機能する。また、ＣＰＵ３０ａによって全ての遊技状態時における有効球の総数を計数することが、全状態時有効球計数手段に相当する。
【０１５２】
ここで、通常時賞球数、通常時有効球数、及び全状態時有効球数を計数する処理を具体的に説明する。
ＣＰＵ３０ａのＲＷＭ領域（ＲＷＭ３０ｃ）は、遊技状態を特定可能な情報（フラグ）を格納する領域（以下、「状態格納領域」と示す）と、大当り遊技中であるかを特定可能な情報（フラグ）を格納する領域（以下、「大当り格納領域」と示す）と、を備えている。状態格納領域には、現在の遊技状態に応じた情報が格納される。例えば、現在の遊技状態が「低確かつ低ベース」であれば当該遊技状態を特定可能な情報が格納されるとともに、現在の遊技状態が高確かつ高ベースであれば当該遊技状態を特定可能な情報が格納される。また、大当り格納領域には、大当り遊技中であれば大当り遊技中であることを特定可能な情報が格納されるとともに、大当り遊技中でなければ大当り遊技中でないことを特定可能な情報が格納される。
【０１５３】
通常時賞球数は、状態格納領域の情報と大当り格納領域の情報とから通常遊技であること、つまり低確かつ低ベースであって、大当り遊技中ではないことを特定できる場合、ＣＰＵ３０ａが計数する。このとき、ＣＰＵ３０ａは、大入賞口１５を除く賞球払出しの対象となる入賞口へ遊技球が入球する毎にその入球した入賞口に対応する賞球数を通常時賞球カウンタに累積加算する。具体的に言えば、ＣＰＵ３０ａは、始動口スイッチＳ１の検知信号を受信した場合は第１始動口１２の賞球数を累積加算するとともに、始動口スイッチＳ２の検知信号を受信した場合は第２始動口１３の賞球数を累積加算する。また、ＣＰＵ３０ａは、普通口スイッチＳ５の検知信号を受信した場合は普通入賞口１６の賞球数を累積加算するとともに、普通口スイッチＳ６の検知信号を受信した場合は普通入賞口１７の賞球数を累積加算する。
【０１５４】
通常時有効球数は、状態格納領域の情報と大当り格納領域の情報とから通常遊技であること、つまり低確かつ低ベースであって、大当り遊技中ではないことを特定できる場合、ＣＰＵ３０ａが計数する。このとき、ＣＰＵ３０ａは、有効球が発生する毎に１を通常時有効球カウンタに累積加算する。具体的に言えば、ＣＰＵ３０ａは、アウトスイッチＳ７の検知信号を受信する毎に１を累積加算する。
【０１５５】
全状態時有効球数は、状態格納領域の情報と大当り格納領域の情報が如何なる内容の情報、つまり何れの遊技状態であっても、さらに大当り遊技中であるとき又は大当り遊技中ではないときであっても、ＣＰＵ３０ａが計数する。このとき、ＣＰＵ３０ａは、有効球が発生する毎に１を全状態時有効球カウンタに累積加算する。具体的に言えば、ＣＰＵ３０ａは、アウトスイッチＳ７の検知信号を受信する毎に１を累積加算する。
【０１５６】
そして、ＣＰＵ３０ａは、全状態時有効球数が所定数に達した場合、その達した時点で計数されている通常時賞球数を、ＲＷＭ領域に設定されている所定の領域に格納する。このときに通常時賞球数を格納する領域は全状態時有効球数が所定数に達したときに計数されている通常時賞球数を記憶するバッファ（以下、「通常時賞球バッファ」と示す）として機能する。そして、ＣＰＵ３０ａによって全状態時有効球数が所定数に達したときに計数されている通常時賞球数を記憶することが、賞球記憶手段に相当する。
【０１５７】
また、ＣＰＵ３０ａは、全状態時有効球数が所定数に達した場合、その達した時点で計数されている通常時有効球数を、ＲＷＭ領域に設定されている所定の領域に格納する。このときに通常時有効球数を格納する領域は全状態時有効球数が所定数に達したときに計数されている通常時有効球数を記憶するバッファ（以下、「通常時有効球バッファ」と示す）として機能する。そして、ＣＰＵ３０ａによって全状態時有効球数が所定数に達したときに計数されている通常時有効球数を記憶することが、有効球記憶手段に相当する。
【０１５８】
通常時賞球数と通常時有効球数は、所定の条件の成立時にＣＰＵ３０ａが零クリアする。具体的に言えば、ＣＰＵ３０ａは、全状態時有効球数が所定数に達したことで通常時賞球カウンタの通常時賞球数を通常時賞球バッファに格納したことで、通常時賞球カウンタを零クリアする。また、ＣＰＵ３０ａは、全状態時有効球数が所定数に達したことで通常時有効球カウンタの通常時有効球数を通常時有効球バッファに格納したことで、通常時有効球カウンタを零クリアする。なお、所定数は、ベース値を計数する基準となる数値（有効球の数）であり、例えば６００００である。このため、ＣＰＵ３０ａは、全状態時有効球カウンタの計数値を参照し、その計数値から全状態時有効球数が所定数に達したことを特定した場合に通常時賞球数と通常時有効球数をそれぞれのバッファに格納するとともにそれぞれのカウンタを零クリアする。つまり、全状態時有効球数は、全状態時有効球カウンタの計数値から全状態時有効球数が所定数に達したか否かを制御的に判断することができれば、例えば所定数として定めた６００００を計数する毎に零クリアして零から再び計数してもよい。また、全状態時有効球数は、全状態時有効球カウンタの計数値から全状態時有効球数が所定数に達したか否かを制御的に判断することができれば、例えばＣＰＵ３０ａが６００００の倍数に達したことを所定数に達したこととして判断することで、零クリアせずに継続して計数してもよい。
【０１５９】
そして、ＣＰＵ３０ａは、通常時賞球カウンタの通常時賞球数と通常時有効球カウンタの通常時有効球数を用いて表示器１０５が第１表示状態であるときに表示するベース値を計数する。つまり、ＣＰＵ３０ａは、所定の計数周期毎に通常時賞球カウンタの計数値と通常時有効球カウンタの計数値を取得し、（低確かつ低ベース時（低確時短無）の賞球の総数÷低確かつ低ベース時の有効球の総数）×１００の計算式によって計数（計算）する。この実施形態では、このときに計数されるベース値が第１ベース値に相当する。また、第１ベース値は、全状態時有効球数が所定数に達するまでに計数されるベース値である。以下の説明では、通常時賞球カウンタの通常時賞球数と通常時有効球カウンタの通常時有効球数を用いて計数するベース値を「第１ベース値」と示す。なお、第１ベース値は、低確かつ低ベースであって、大当り遊技中ではないときの通常遊技時のベース値である。
【０１６０】
また、ＣＰＵ３０ａは、通常時賞球バッファの通常時賞球数と通常時有効球バッファの通常時有効球数を用いて表示器１０５が第２表示状態であるときに表示するベース値を計数する。つまり、ＣＰＵ３０ａは、所定数に達する毎に格納される通常時賞球バッファの値と通常時有効球バッファの値を取得し、（低確かつ低ベース時（低確時短無）の賞球の総数÷低確かつ低ベース時の有効球の総数）×１００の計算式によって計数（計算）する。この実施形態では、このときに計数されるベース値が第２ベース値に相当する。また、第２ベース値は、全状態時有効球数が所定数に達したときのベース値である。以下の説明では、通常時賞球バッファの通常時賞球数と通常時有効球バッファの通常有効数を用いて計数するベース値を「第２ベース値」と示す。なお、第２ベース値は、低確かつ低ベースであって、大当り遊技中ではないときの通常遊技時のベース値である。
【０１６１】
以下、前述したベース値の計数に関する制御で計数したベース値を表示器１０５に表示する制御について説明する。
表示器１０５の表示状態である第１表示状態と第２表示状態のそれぞれは、全状態時有効球数に応じた表示態様で制御される。
【０１６２】
図１１に示す、時点Ｘ１〜Ｘ２までの期間は、全状態時有効球数が０（零）から球数Ｙ１（例えば３００球）に達するまでの期間である。時点Ｘ１は、工場出荷時などのテストにおいてパチンコ遊技機１０に初めて電源が投入された初回投入の時点である。全状態時有効球数の計数は、初回投入の時点で有効球の発生によって計数される。
【０１６３】
時点Ｘ１〜Ｘ２の期間において表示器１０５は、第１表示状態のとき、識別子［ｂＬ．］が所定の周期で点滅表示されるとともにベース表示部には［−−（バー）］が点灯表示される。また、時点Ｘ１〜Ｘ２の期間において表示器１０５は、第２表示状態のとき、識別子［ｂ６．］が所定の周期で点滅表示されるとともにベース表示部には［−−（バー）］が点灯表示される。
【０１６４】
表示器１０５の表示状態は、時点Ｘ１〜Ｘ２の期間においても、図１０を用いて説明したように所定の周期で切り替わる。また、識別子の点滅表示は、例えば点灯０．３秒、消灯０．３秒の周期０．６秒で行われる。また、時点Ｘ１〜Ｘ２の期間でベース表示部に表示される［−−］は、ベース値を報知していないことを意味する。なお、この実施形態においてＣＰＵ３０ａは、時点Ｘ１〜Ｘ２までの期間中、通常時賞球数及び通常時有効球数を計数するが、第１ベース値を計数しない。また、ＣＰＵ３０ａは、時点Ｘ１〜Ｘ２までの期間中、全状態時有効球数が所定数に達していないことから、第２ベース値を計数しない。換言すれば、ＣＰＵ３０ａは、所定数に達していないので第２ベース値を計数することができない。
【０１６５】
図１１に示す、時点Ｘ２〜Ｘ３までの期間は、全状態時有効球数が球数Ｙ１を超えてから球数Ｙ２（例えば６０００球）に達するまでの期間である。
時点Ｘ２〜Ｘ３の期間において表示器１０５は、第１表示状態のとき、識別子［ｂＬ．］が所定の周期で点滅表示されるとともにベース表示部には計数された第１ベース値Ｂ１（図中は［３４］を例示している）が点灯表示される。ＣＰＵ３０ａは、パチンコ遊技機１０の初回投入後、全状態時有効球数が球数Ｙ１を超えることによって第１ベース値の計数を開始する。この実施形態において識別子［ｂＬ．］は、第１ベース値を識別する第１識別子に相当する。また、時点Ｘ２〜Ｘ３の期間において表示器１０５は、第２表示状態のとき、識別子［ｂ６．］が所定の周期で点滅表示されるとともにベース表示部には［−−（バー）］が点灯表示される。つまり、時点Ｘ２〜Ｘ３の期間における第２表示状態は、時点Ｘ１〜Ｘ２の期間における第２表示状態と同一の表示である。
【０１６６】
図１１に示す、時点Ｘ３〜Ｘ４までの期間は、全状態時有効球数が球数Ｙ２を超えてから球数Ｙ３（例えば６００００球）に達するまでの期間である。球数Ｙ３は、第２ベース値を計数する契機となる所定数に一致する数である。
【０１６７】
時点Ｘ３〜Ｘ４の期間において表示器１０５は、第１表示状態のとき、識別子［ｂＬ．］が点灯表示されているとともにベース表示部には計数された第１ベース値Ｂ１（図中は［３４］を例示している）が点灯表示される。ＣＰＵ３０ａは、全状態時有効球数が球数Ｙ１を超えることによって第１ベース値の計数を開始していることから、時点Ｘ２〜Ｘ４の期間において表示器１０５が第１表示状態のときに表示される第１ベース値は計数結果によって変動し、同じ数値を表示する場合もあれば、異なる数値を表示する場合もある。また、時点Ｘ３〜Ｘ４の期間において表示器１０５は、第２表示状態のとき、識別子［ｂ６．］が所定の周期で点滅表示されるとともにベース表示部には［−−（バー）］が点灯表示される。つまり、時点Ｘ３〜Ｘ４の期間における第２表示状態は、時点Ｘ１〜Ｘ３の期間における第２表示状態と同一の表示である。
【０１６８】
以上の説明は、パチンコ遊技機１０の初回投入〜全状態時有効球数が初めて所定数に達するまでの表示器１０５の表示に関する制御である。なお、ＣＰＵ３０ａのＲＷＭ領域（ＲＷＭ３０ｃ）は、ベース値の表示を制御する情報（フラグ）を格納する領域を備えている。この領域には、初回投入後、全状態時有効球数が球数Ｙ１に達するまでの期間であることを特定可能な情報と、初回投入後、全状態時有効球数が最初に所定数に達するまでの期間であることを特定可能な情報と、が格納されるようになっている。また、前記領域には、全状態時有効球数が最初に所定数を超えた以降の期間であることを特定可能な情報が格納されるようになっている。これらの情報をもとにＣＰＵ３０ａは、表示器１０５の表示を制御する。
【０１６９】
以下、パチンコ遊技機１０の初回投入後、最初に所定数に達した以降の表示に関する制御を説明する。
図１１に示す、時点Ｘ４〜Ｘ５までの期間は、全状態時有効球数が０（零）〜球数Ｙ２（例えば６０００球）に達するまでの２回目の期間である。
【０１７０】
時点Ｘ４〜Ｘ５の期間において表示器１０５は、第１表示状態のとき、識別子［ｂＬ．］が所定の周期で点滅表示されるとともにベース表示部には計数された第１ベース値Ｂ２（図中は［３６］を例示している）が点灯表示される。また、時点Ｘ４では、１回目の期間である時点Ｘ１〜Ｘ４において全状態時有効球数が所定数に達していることから、第２ベース値が計数可能な状態である。このため、時点Ｘ４以降、表示器１０５は、第２表示状態のとき、識別子［ｂ６．］が点灯表示されるとともにベース表示部には計数された第２ベース値Ｂ１ｆ（図中は［３４］を例示している）が点灯表示される。第２ベース値Ｂ１ｆは、前回（この例示では１回目）の計数で所定数に達したときのベース値に相当する。第２ベース値（ベース値Ｂ１ｆ）の表示は、今回（２回目）、所定数に達するまでの間、第２表示状態において継続して表示される。この実施形態において識別子［ｂ６．］は、第２ベース値を識別する第２識別子に相当する。
【０１７１】
図１１に示す、時点Ｘ５〜Ｘ６までの期間は、全状態時有効球数が球数Ｙ２を超えてから球数Ｙ３（例えば６００００球）に達するまでの２回目の期間である。
時点Ｘ５〜Ｘ６の期間において表示器１０５は、第１表示状態のとき、識別子［ｂＬ．］が点灯表示されているとともにベース表示部には計数された第１ベース値Ｂ２（図中は［３６］を例示している）が点灯表示される。なお、第１ベース値Ｂ２は、計数結果によって変動し、同じ数値を表示する場合もあれば、異なる数値を表示する場合もある。
【０１７２】
図１２に示す、時点Ｘ６〜Ｘ７までの期間は、全状態時有効球数が０（零）〜球数Ｙ２（例えば６０００球）に達するまでの３回目の期間である。
時点Ｘ６〜Ｘ７の期間において表示器１０５は、第１表示状態のとき、識別子［ｂＬ．］が所定の周期で点滅表示されるとともにベース表示部には計数された第１ベース値Ｂ３（図中は［３２］を例示している）が点灯表示される。また、時点Ｘ６では、２回目の期間である時点Ｘ４〜Ｘ６において全状態時有効球数が所定数に達していることから、第２ベース値が計数可能な状態である。このため、時点Ｘ６以降、表示器１０５は、第２表示状態のとき、識別子［ｂ６．］が点灯表示されるとともにベース表示部には計数された第２ベース値Ｂ２ｆ（図中は［３６］を例示している）が点灯表示される。第２ベース値Ｂ２ｆは、前回（この例示では２回目）、所定数に達したときのベース値に相当する。第２ベース値（ベース値Ｂ２ｆ）の表示は、今回（３回目）、所定数に達するまでの間、第２表示状態において継続して表示される。
【０１７３】
図１２に示す、時点Ｘ７〜Ｘ８までの期間は、全状態時有効球数が球数Ｙ２を超えてから球数Ｙ３（例えば６００００球）に達するまでの３回目の期間である。
時点Ｘ７〜Ｘ８の期間において表示器１０５は、第１表示状態のとき、識別子［ｂＬ．］が点灯表示されているとともにベース表示部には計数された第１ベース値Ｂ３（図中は［３２］を例示している）が点灯表示される。なお、第１ベース値Ｂ３は、計数結果によって変動し、同じ数値を表示する場合もあれば、異なる数値を表示する場合もある。
【０１７４】
そして、図１２に示す、時点Ｘ８からのｎ回目の期間は、前述した２回目の期間及び３回目の期間と同様に表示器１０５における表示の制御を繰り返す。つまり、全状態時有効球数が球数Ｙ２に達するまでの間、表示器１０５は、第１表示状態のとき、識別子［ｂＬ．］が所定の周期で点滅表示されるとともにベース表示部には計数された第１ベース値Ｂｎ（図中のＸＸは計数された任意の数値）が点灯表示される。また、全状態時有効球数が球数Ｙ２を超えてから球数Ｙ３に達するまでの間、表示器１０５は、第１表示状態のとき、識別子［ｂＬ．］が点灯表示されているとともにベース表示部には計数された第１ベース値Ｂｎが点灯表示される。
【０１７５】
また、表示器１０５は、第２表示状態のとき、識別子［ｂ６．］が点灯表示されるとともにベース表示部には計数された第２ベース値Ｂｎ−１ｆ（図中のＸＸは計数された任意の数値）が点灯表示される。第２ベース値Ｂｎ−１ｆは、前回（この例示ではｎ−１回目）、所定数に達したときのベース値に相当する。第２ベース値（ベース値Ｂｎ−１ｆ）の表示は、今回（ｎ回目）、所定数に達するまでの間、第２表示状態において継続して表示される。
【０１７６】
以上、説明したように、表示器１０５の表示に関する制御は、全状態時有効球数が所定数（例えば６００００球）に達するまでを１回の制御単位としている。そして、パチンコ遊技機１０の初回投入から最初に全状態時有効球数が所定数に達するまでの１回目の期間では、全状態時有効球数が所定数よりも小さい一定数（例えば３００球）に達するまでの間、第１ベース値が表示されない（図中に示す［−−］）。また、全状態時有効球数が所定数に達するまでの各期間において、第１ベース値を識別する第１識別子は、所定数よりも小さい特定数（例えば６０００球）に達するまでは点滅表示され、特定数に達してからは点灯表示されることから、特定数に達するまでと達してからとで異なる表示態様で表示される。また、図１１に示す１回目の期間では、第２ベース値が計数不能であり、パチンコ遊技機１０は第２ベース値を保持していない状態である。一方、図１１及び図１２に示す２回目以降の期間では、第２ベース値が計数可能であり、パチンコ遊技機１０は第２ベース値を保持している状態である。このため、第２ベース値を識別する第２識別子は、第２ベース値を保持していない場合には点滅表示され、第２ベース値を保持している場合には点灯表示されることから、第２ベース値を保持している場合と保持していない場合とで異なる表示態様で表示される。
【０１７７】
なお、表示器１０５のベース表示部に表示されるベース値（第１ベース値と第２ベース値）は、前述した計算式によって計数され、その計数結果が表示されるが、表示器１０５のベース表示部に表示可能な値は２桁である。このため、表示器１０５のベース表示部には、計数されたベース値を四捨五入した値が表示される。この実施形態では、計数後の小数点第１位を四捨五入し、四捨五入後の値を表示する。また、四捨五入後の値が１０未満の場合、ベース値の十の位（第３表示要素Ｄ３に表示される値）には［０］を表示する（例えば［０９］と表示する）。また、この実施形態では、四捨五入後の値が１００以上の場合、ベース表示部には、図１２に示すようにベース値として［９９．］を表示する。
【０１７８】
次に、ＣＰＵ３０ａのＲＷＭ領域（ＲＷＭ３０ｃ）を初期化する初期化処理について説明する。初期化処理は、バックアップされている遊技情報を初期化する初期化制御に相当する。ＣＰＵ３０ａは、初期化制御を可能に構成された初期化制御手段である。
【０１７９】
ＲＷＭ領域の初期化は、パチンコ遊技機１０の電源投入時に初期化手段であるＲＷＭクリアボタン１０４を操作することによって行うことができる。ＣＰＵ３０ａは、ＲＷＭクリアボタン１０４の操作によって初期化指示を受けると、ＲＷＭ領域に記憶している情報、すなわちパチンコ遊技機１０への電力供給が停止した場合でも保持されている情報を原則、初期化するが、ベース値に関する情報を格納している領域の初期化は行わない。つまり、ＣＰＵ３０ａは、ＲＷＭクリアボタン１０４の操作によって初期化指示を受けると、各種情報のうち遊技情報を格納している領域の初期化を行なう。これに対して、ＣＰＵ３０ａは、ＲＷＭクリアボタン１０４の操作によって初期化指示を受けても、ベース値の計数に必要な情報、及びベース値の表示に必要な情報を格納している領域の初期化を行わず、ベース値の計数に必要な情報をそのまま保持する。具体的に言えば、ＣＰＵ３０ａは、通常時賞球カウンタ、通常時有効球カウンタ、全状態時有効球カウンタ、通常時賞球バッファ、及び通常時有効球バッファに相当するＲＷＭ領域の各領域を初期化しない。また、ＣＰＵ３０ａは、ベース値の表示を制御する情報を格納するＲＷＭ領域の各領域を初期化しない。換言すれば、この実施形態のパチンコ遊技機１０では、ＲＷＭクリアボタン１０４の操作によるベース値に関する情報の初期化は不能とされている。
【０１８０】
これにより、電源供給が開始されたときの表示器１０５には、電力供給が停止した際に表示されていたベース値の表示が復帰する。つまり、表示器１０５の識別子表示部及びベース表示部の表示内容は、電力供給が開始されると、電力供給が停止したときの状態に復帰する。上記した表示器１０５の表示内容が復帰することは、ベース値の表示が復帰することを意味し、電力供給が開始されたときに表示器１０５の表示状態（第１表示状態と第２表示状態）を電力供給が停止したときと同じ表示状態に戻すことを意味するものではない。そして、表示器１０５の表示内容の復帰は、パチンコ遊技機１０の電源投入が幾度となく繰り返される場合であっても、同様に復帰する。なお、電力供給が停止することには、例えば遊技場の営業時間の終了によって遊技場の管理者がパチンコ遊技機１０への電力供給をＯＦＦする場合や、遊技場の営業時間中に例えば停電などの発生によってパチンコ遊技機１０への電力供給が強制的に遮断される場合などを含む。
【０１８１】
なお、ＲＷＭ領域は、ＣＰＵ３０ａが初期化指示を受けていないときであっても、記憶内容が異常、つまり電源供給が停止したときと同じ状態で復帰できないときには初期化される。この場合の初期化では、ＲＷＭ領域に異常が発生していることから、遊技制御に関する情報とともにベース値の計数に必要な情報及びベース値の表示に必要な情報も、初期化される。ベース値の計数に必要な情報及びベース値の表示に必要な情報が初期化された場合、これらの情報はパチンコ遊技機１０の初回投入の状態に戻ることから、電源供給が開始されたときの表示器１０５は、図１１に示す時点Ｘ１からと同じ表示を行うことになる。つまり、ＣＰＵ３０ａは、ベース値の計数に必要な情報及びベース値の表示に必要な情報が初期化されることで、パチンコ遊技機１０の初回投入と同様にベース値の計数に関する制御とベース値の表示に関する制御を行う。これにより、表示器１０５には、例えば図１１に示す時点Ｘ１〜Ｘ２の期間であれば、第１表示状態及び第２表示状態の何れでも識別子が点滅表示されるとともにそれぞれのベース値として［−−］が点灯表示される。
【０１８２】
また、この実施形態のパチンコ遊技機１０は、ベース値を報知する機能を搭載しているが、計数したベース値がどのような値を取り得ても、パチンコ遊技機１０におけるその他の制御には何ら影響を与えていない。つまり、パチンコ遊技機１０では、ベース値と直接的な関わりはなく、その他の制御が行われる。換言すれば、ベース値を報知する機能を搭載していないパチンコ遊技機で行われる各種の制御は、ベース値を報知する機能を搭載しているパチンコ遊技機１０においてもベース値に関係なく同様に行われ、ベース値の計数及び表示に関する制御とその他の制御は独立して行われる。
【０１８３】
例えば、特別図柄に関する制御（大当り遊技を含む）、普通図柄に関する制御（第２始動口１３を開放する普通図柄の当り遊技を含む）、遊技状態（確率変動状態、入球率向上状態）に関する制御、賞球の払出しに関する制御、エラー報知に関する制御など、主基板３０に関する制御はベース値に関係なく行われる。また、副基板４２に関する制御はベース値に関係なく行われる。副基板４２に関する制御は、例えば、演出図柄の図柄変動ゲームに関する制御（モード演出なども含む）、装飾ランプＬａの発光演出に関する制御、スピーカＳｐの音声演出に関する制御、演出ボタンＢＴに関する制御、演出用の可動体を備えている場合には可動体による可動演出に関する制御など、がある。また、スピーカＳｐの音量を調整する機能や装飾ランプＬａの光量を調整する機能など、遊技者のカスタマイズ機能をパチンコ遊技機１０に搭載している場合、これらのカスタマイズ機能に関する制御もベース値に関係なく行われる。
【０１８４】
また、このパチンコ遊技機１０に搭載したベース値を報知する機能には、表示器１０５の表示態様を変更することが含まれている。具体的に言えば、識別子の点滅表示と点灯表示が切り替わることによる表示態様の変更や、第１表示状態と第２表示状態が切り替わることによる表示態様の変更である。このように表示器１０５の表示態様が変更される場合であっても、その変更に何ら影響を受けることなくパチンコ遊技機１０の遊技は継続して行うことが可能であり、また副基板４２の制御による演出（例えば演出ボタンＢＴの操作やカスタマイズ機能による操作など）も継続して行うことが可能である。また、図１１及び図１２を用いて説明したように、表示器１０５の表示態様は全状態時有効球数に応じて変更されるが、その変更タイミングにおいて表示器１０５の表示態様が変更されることは何ら報知されない。例えば、演出表示装置１１を用いて表示器１０５の表示態様が変更されることは報知されない。そして、この実施形態のパチンコ遊技機１０において表示器１０５は主基板３０に搭載されており、主基板３０には表示器１０５以外の表示器（７セグメントＬＥＤによる表示器など）は搭載されていない。
【０１８５】
したがって、この実施形態によれば、以下に示す効果を得ることができる。
（１−１）通常遊技時のベース値を計数し、その計数したベース値を報知する機能を搭載した。パチンコ遊技機１０は、大当り遊技中や入球率向上状態中などの有利遊技中は賞球を容易に獲得し得る傾向にあり、その結果、これらの遊技を考慮したベース値は比較的高めである。一方、通常遊技では、賞球を獲得するために主に第１始動口１２や普通入賞口１６，１７へ遊技球を入球させて賞球の払出条件を成立させる必要がある。このため、通常遊技時のベース値を報知する機能を搭載することで、通常遊技時において遊技者がどの程度の割合で賞球を獲得しているかを直接的に知り得ることが可能である。したがって、上記機能を搭載することで、パチンコ遊技機１０に関する有用な情報となり得る通常遊技時のベース値を報知することができ、その報知によって有用な情報を得ることができる。
【０１８６】
（１−２）また、通常遊技時のベース値の計数及び報知（表示）は、パチンコ遊技機１０にアウトスイッチＳ７を搭載したことで実現可能である。このため、通常遊技時のベース値をパチンコ遊技機１０毎に、かつパチンコ遊技機１０から直接得ることができるようになる。その結果、例えばパチンコ遊技機１０から機外に排出される有効球を検出する手段を遊技機設置設備に設置し、その検知結果を例えばホールコンピュータＨＣに送信してベース値を得るなどの仕組みに比較して構成を簡素化することができる。また、パチンコ遊技機１０自体で通常遊技時のベース値を得られることで、その得られた情報をもとに各パチンコ遊技機１０で何らかの報知又は演出を行うことも可能であり、拡張性又は柔軟性に富んだ仕組みを構築することができる。
【０１８７】
（１−３）通常遊技時のベース値を報知する手段（表示器１０５）を、主基板３０に搭載した。主基板３０は、不正対策の観点からパチンコ遊技機１０の後側であっても、比較的視認性の高い状態で配置されている。このため、表示器１０５自体の視認性を向上させることもできる。また、主基板３０のＣＰＵ３０ａによって表示器１０５を直接制御することができ、表示器１０５の報知の信頼性を維持又は向上させることができる。例えば副基板４２などに搭載して制御する場合、ベース値を計数するために必要な情報、又はベース値を表示するために必要な情報を主基板３０から副基板４２に送信する必要がある。このため、送信過程において例えば情報の欠落や受信不能などの通信エラーが発生してしまうと、表示器１０５による報知の信頼性を損なわせる可能性がある。
【０１８８】
（１−４）また、主基板３０は、バックアップ機能を搭載している。このため、パチンコ遊技機１０への電力供給が停止した場合でも、電力供給が再開された際にはベース値の計数結果を電力供給が停止したときの状態に復帰させることができる。特に、遊技場の営業時間中に不慮の停電などが生じた場合でも、ベース値の計数に関する情報を失うことなく、復旧後はベース値の計数結果を電力供給が停止したときの状態に復帰させることができる。その結果、ベース値を営業時間を通して、かつ日を跨いで継続的に計数することができ、情報の信頼性を向上させることができる。
【０１８９】
（１−５）また、この実施形態のパチンコ遊技機１０では、ベース値の計数に関する情報をＲＷＭクリアボタン１０４の操作によるＲＷＭ領域の初期化の対象外としている。つまり、電源投入時にＲＷＭ領域の初期化の指示を受けても初期化しない。このため、ベース値の計数結果は、パチンコ遊技機１０をＲＷＭ領域の初期化を行って起動させても、電力供給が停止したときの状態に復帰させることができる。その結果、ベース値を営業時間を通して、かつ日を跨いで継続的に計数することができ、情報の信頼性を向上させることができる。
【０１９０】
（１−６）主基板３０は、不正対策の観点から個々に管理番号を付し、その管理番号は例えば管理番号を印刷したシール（番号表示部１０１）などを主基板ケース８１に貼り付けることで明示されている。そして、表示器１０５は、その情報表示部１０５ａが番号表示部１０１と重ならないように主基板３０に配置されている。このため、表示器１０５及び番号表示部１０１のそれぞれの視認性を損なわせることなく、ベース値を報知することができる。
【０１９１】
（１−７）また、主基板３０に搭載した表示器１０５は、主基板ケース８１で覆われているので、外部から表示器１０５へ容易にアクセスできない構成とすることができる。また、主基板ケース８１は、不正開放防止手段を備えており、この観点からも外部から表示器１０５へ容易にアクセスできない構成とすることができる。したがって、表示器１０５の交換や構造変更などを容易にできないようにすることができる。また、表示器１０５は、主基板ケース８１で覆われることで、例えばパチンコ遊技機１０が備える球タンクなどから落下した遊技球の衝突や、その衝突による故障などを抑制することができる。
【０１９２】
（１−８）図１１及び図１２に示すように、全状態時有効球数に応じて識別子及びベース値を異なる表示態様で表示させることで、現在、表示器１０５に表示されている情報の意味合いを視覚的に又は直感的に捉えることができ、表示器１０５の視認性を向上させることができる。例えば、第１識別子を所定数（球数Ｙ３）よりも小さい特定数（球数Ｙ２）に達するまでと特定数に達してからとで異なる表示態様とすることで、現在、表示されているベース値を計数する際の有効球の総数を把握することができる。
【０１９３】
（１−９）また、図１１に示すように、１回目の期間において、全状態時有効球数が一定数（球数Ｙ１）に達するまではベース値を計数せずに表示させないが、表示器１０５には［−−］を表示している。図１１に示す時点Ｘ１〜Ｘ２は、主に工場出荷時のテストにおいてパチンコ遊技機１０に電源を投入したことを想定したものである。このため、信頼性の低い状態でのベース値の計数や表示を行うことなく、その一方で第３，第４表示要素Ｄ３，Ｄ４には［−−］を表示させることで表示器１０５の初期不良などをテストすることも可能である。
【０１９４】
（１−１０）また、図１１に示すように、第２識別子は、パチンコ遊技機１０が第２ベース値を保持している場合と第２ベース値を保持していない場合、すなわち１回目の期間である場合と２回目以降の期間である場合とで異なる表示態様で表示させる。これにより、現在、表示器１０５に表示されている情報の意味合いを視覚的に又は直感的に捉えることができ、表示器１０５の視認性を向上させることができる。
【０１９５】
（１−１１）表示器１０５の表示状態として、第１ベース値と第１識別子を表示する第１表示状態と、第２ベース値と第２識別子を表示する第２表示状態と、を備える。これにより、意味合いの異なる情報を単一の表示器１０５によって報知することができ、複数の表示器を用いる場合に比して主基板３０の構成を簡素化することができる。
【０１９６】
（１−１２）そして、表示器１０５の表示状態である第１表示状態と第２表示状態は、所定の周期後に切り替えられる。このため、例えば遊技場の管理者などが表示器１０５を確認する場合でも、複数の情報を視認するにあたって表示状態をわざわざ切り替える操作を行う必要がなく、容易である。また、表示状態を切り替える手段を備える必要がないので、主基板３０や表示器１０５の構成を簡素化することができる。
【０１９７】
（１−１３）外部端子板４０は、アウトスイッチＳ７によって検知された有効球が一定の球数に達する毎に情報を送信する端子を備えている。これにより、外部装置（ホールコンピュータＨＣ）を前記端子に接続することで、有効球に関する情報を外部にも送信することができる。このため、有効数の総数に関する情報を外部でも得ることができる。
【０１９８】
（１−１４）また、アウトスイッチＳ７によって検知された有効球が一定の球数に達する毎に送信される情報は、一定時間送信されるとともに、一定時間の間にさらに一定の球数に達したときには一定時間の経過後、一定間隔をあけて送信される。このため、前記情報を一定の球数（有効球）毎の情報として、外部装置に確実に受信させることができる。
【０１９９】
（第２の実施形態）
次に、パチンコ遊技機に具体化した第２の実施形態を図１３〜図２３にしたがって説明する。以下に説明する実施形態において、既に説明した実施形態と同一構成及び同一制御内容についてはその重複する説明を省略又は簡略する。
【０２００】
この実施形態のパチンコ遊技機１０は、大当り確率を定めた複数通りの設定値の中から何れかの設定値に変更して設定する設定機能を搭載している。この実施形態において、大当り確率は、特別遊技（大当り遊技）に関する有利度合いに相当し、設定値は、特別遊技に関する有利度合いを定めた設定情報に対応する。
【０２０１】
図１３に示すように、主基板３０は、表示器１０５に加え、設定器１０６を備えている。つまり、表示器１０５と設定器１０６は、同一基板に実装されている。設定器１０６は、有利度合いを定めた複数の設定情報のうち何れかの設定情報を内部制御に用いる内部的な情報として設定する契機を与える変更契機手段である。また、設定器１０６は、特別遊技に関する有利度合いを定めた設定情報に関する操作を可能に構成された設定操作手段である。この実施形態の設定器１０６は、設定情報の変更又は確認を許容する設定制御モード（設定変更モード又は設定確認モード）へ移行するかの許可及び禁止を選択的に指示できる。設定制御モードの詳細については後述する。設定キーによる操作は、例えば遊技場の管理者による人的操作である。
【０２０２】
この実施形態の設定器１０６は、ＲＷＭクリアボタン１０４とは別の操作手段である。設定器１０６は、主基板３０に固定される基端部１０６ｃと、図示しない設定キー（鍵）を差し込む鍵穴１０６ａを有する円柱状のシリンダ１０６ｂを備えている。鍵穴１０６ａは、シリンダ１０６ｂの先端面に開口している。設定器１０６は、設定キーを鍵穴１０６ａに差し込んだ状態で所定方向へ回動させたオン状態と、前記所定方向へ回動させていないオフ状態のうち、何れかの操作状態（指示状態）に切り替える操作を可能に構成されている。設定キーを用いて設定器１０６をオン状態にした状態が第１操作状態に相当し、設定キーを用いて又は用いないで設定器１０６をオフ状態にした状態が第２操作状態に相当する。そして、設定器１０６は、設定キーを用いた切り替え後の操作状態（オン状態又はオフ状態）を、人的操作なしに戻ることなく、そのまま維持するように構成されている。なお、設定器１０６は、オフ状態に切り替えた操作状態でなければ、鍵穴１０６ａから設定キーを抜くことができないように構成されている。
【０２０３】
主基板ケース８１を構成するカバー部材８６には、設定器１０６のシリンダ１０６ｂが挿通される設定器挿通孔１０８を備えている。設定器挿通孔１０８は、設定器１０６のシリンダ１０６ｂ（先端面）の外形に対応した円形である。主基板３０が主基板ケース８１に収容された状態において、シリンダ１０６ｂの先端面は、設定器挿通孔１０８において膨出部８６ａの後面と面一（又は略面一）である。すなわち設定器１０６は、シリンダ１０６ｂの先端面（鍵穴１０６ａ）のみが主基板ケース８１から露出されている一方で、その他の部分は主基板ケース８１に覆われている。
【０２０４】
この実施形態において、電源スイッチ３８ａとＲＷＭクリアボタン１０４の間の距離は、電源スイッチ３８ａと設定器１０６の間の距離、及びＲＷＭクリアボタン１０４と設定器１０６の間の距離に比して狭い。つまり、ＲＷＭクリアボタン１０４は、設定器１０６に比して、電源スイッチ３８ａに近接している。このため、遊技場の管理者は、ＲＷＭクリアボタン１０４と電源スイッチ３８ａを同時に操作し易い一方で、設定器１０６とＲＷＭクリアボタン１０４や、設定器１０６と電源スイッチ３８ａとを同時に操作し難い。
【０２０５】
パチンコ遊技機１０は、パチンコ遊技機１０が設定変更を許容する設定変更モードへ移行しているときに、複数の設定値を選択的に指示する設定スイッチを備えている。設定スイッチは、設定情報の変更を指示する操作を可能に構成された変更操作手段である。設定スイッチは、押しボタン式に限らず、レバー式、ダイアル式など、任意に変更してもよい。また、設定スイッチの操作は、例えば遊技場の管理者による人的操作である。この実施形態の設定スイッチは、ＲＷＭクリアボタン１０４と兼用されている。つまり設定変更モードにおいて、ＲＷＭクリアボタン１０４は設定スイッチとして機能する。なお、設定スイッチは、エラー報知を解除するときに操作するエラー解除スイッチを設ける場合であれば、ＲＷＭクリアボタン１０４ではなくエラー解除スイッチと兼用されていてもよい。エラー解除スイッチは、エラー報知の終了を指示する操作を可能に構成された終了操作手段である。また、設定スイッチは、ＲＷＭクリアボタン１０４といった他のスイッチと兼用せず、専用の操作手段であってもよい。設定スイッチは、主基板３０に設けられている。
【０２０６】
設定器１０６及び設定スイッチは、中枠ＷＮを開放したときに遊技場の管理者が設定器１０６及び設定スイッチの操作部分をアクセス可能なように、前記操作部分は表示器１０５の情報表示部１０５ａと同様に主基板ケース８１から露出されている。また、設定器１０６及び設定スイッチは、表示器１０５と同様にパチンコ遊技機１０の施錠装置ＳＳを操作することができない遊技者の目に触れない位置に配置されている。
【０２０７】
図１４に示すように、主基板３０には、ＲＷＭクリアボタン１０４が接続されている。ＣＰＵ３０ａは、設定スイッチとしても機能するＲＷＭクリアボタン１０４の操作信号を受信可能である。ＲＷＭクリアボタン１０４の操作信号は、ＲＷＭクリアボタン１０４がオン状態に操作されていることを検知して出力する検知信号（情報）である。また、主基板３０には、設定器１０６が搭載されている。ＣＰＵ３０ａは、設定器１０６の操作信号を受信可能である。設定器１０６の操作信号は、設定器１０６がオン状態に操作されていることを検知して出力する検知信号（情報）である。
【０２０８】
主基板３０には、磁気スイッチ（センサ）Ｓ８、振動スイッチ（センサ）Ｓ９、及び枠スイッチ（センサ）Ｓ１０が接続されている。ＣＰＵ３０ａは、各スイッチＳ８〜Ｓ１０からの検知信号を受信可能である。磁気スイッチＳ８は、磁気を検知する磁気検知手段であり、磁気を検知すると検知信号を送信する。振動スイッチＳ９は、振動を検知する振動検知手段であり、振動を検知すると検知信号を送信する。例えば、各スイッチＳ８，Ｓ９は、遊技盤ＹＢの裏側に設けられている。枠スイッチＳ１０は、外枠ＷＳに対する搭載枠（中枠ＷＮ及び前枠ＷＭ）の開放を検知すると検知信号（以下、「枠開放信号」と示す）を送信する。
【０２０９】
図１５に示すように、この実施形態のパチンコ遊技機１０では、複数の設定情報として大当り抽選の大当り確率を設定可能である。具体的に言えば、この実施形態のパチンコ遊技機１０は、複数の設定情報として第１設定値（図中の［０１］）と第２設定値（図中の［０２］）と第３設定値（図中の［０３］）を備えている。第１設定値［０１］は、大当り確率Ｋ１を設定する情報であり、第２設定値［０２］は、大当り確率Ｋ２を設定する情報であり、第３設定値［０３］は、大当り確率Ｋ３を設定する情報である。図１５の例示では、大当り確率Ｋ１＜大当り確率Ｋ２＜大当り確率Ｋ３の順に高確率であり、大当り抽選に当選し易くなっている。大当り確率Ｋ１〜Ｋ３は、非確率変動状態時の低確率と確率変動状態時の高確率とをセットにしたものである。なお、何れの設定値に基づく大当り確率を設定したとしても、パチンコ遊技機１０においては大当りの種類に対応する特別図柄の振分け、変動パターンの振分け、確率変動状態への突入率（確変割合）は、一定であって差異がない。
【０２１０】
例えば、大当り確率Ｋ１は、低確率であるときに３１８．１４分の１であり、高確率であるときに１０６．０５分の１である。例えば、大当り確率Ｋ２は、低確率であるときに２９２．５７分の１であり、高確率であるときに９７．５２分の１である。例えば、大当り確率Ｋ３は、低確率であるときに２７７．６９分の１であり、高確率であるときに９２．５６分の１である。ここに示す大当り確率Ｋ１〜Ｋ３は、あくまで例示であり、適宜変更してもよい。また、設定値は、設定［０１］〜［０３］の３段階であることに限定されず、２段階であってもよく、４段階以上であってもよい。
【０２１１】
図１６に示すように、この実施形態では、設定値に関する制御を行う設定制御モード（設定制御状態）として、設定値の確認と変更が許容される設定変更モード（設定変更状態）と、設定値の確認が許容されるが変更は許容されない設定確認モード（設定確認状態）と、を備えている。
【０２１２】
パチンコ遊技機１０は、設定器１０６の操作状態とＲＷＭクリアボタン１０４の操作状態との組み合わせに応じて、設定変更モードと設定確認モードの何れかに移行可能である。設定変更モードは、設定器１０６を設定キーでオン状態に操作し、かつＲＷＭクリアボタン１０４をオン状態に操作しながら電源を投入したときに移行可能であって、パチンコ遊技機１０が設定値の変更を許容する設定変更状態へ移行するモードである。設定変更モードでは、設定スイッチを操作することによって設定する設定値を選択することができる。設定変更状態は、複数の設定値のうち何れかの設定値に変更して設定可能な制御状態である。設定変更モードでは、各種の報知が行われる。
【０２１３】
設定変更モードへ移行する場合、パチンコ遊技機１０は、ＲＷＭ領域（ＲＷＭ３０ｃ）の初期化も合わせて行う。この実施形態におけるＲＷＭ領域の初期化処理は、第１の実施形態と同様に、遊技制御に関する遊技情報を格納している領域を対象としており、ベース値の計数に必要な情報及びベース値の表示に必要な情報のほか、設定値に関する情報を格納している領域の初期化は行わない。ここで、設定値に関する情報とは、パチンコ遊技機１０に設定されている現在の設定値を特定可能な情報である。つまり、パチンコ遊技機１０が設定変更状態へ移行しても、ベース値の計数に必要な情報及びベース値の表示に必要な情報と、設定されている設定値はそのまま保持される。設定変更モード（設定変更状態）は、設定器１０６を設定キーでオフ状態に操作すると終了する。このように、この実施形態において、バックアップされている遊技情報は、設定変更状態へ移行する場合には初期化される一方で、バックアップされているベース値及び設定値は、設定変更状態へ移行する場合には初期化されない。
【０２１４】
一方、設定確認モードは、設定器１０６を設定キーでオン状態に操作し、ＲＷＭクリアボタン１０４をオン状態に操作せずに電源を投入したときに移行可能であって、パチンコ遊技機１０が現在設定されている設定値を報知する設定確認状態へ移行するモードである。設定確認状態は、複数の設定値のうち、その時点において設定されている設定値を確認できるように表示手段（後述するように、この実施形態では表示器１０５）を制御する制御状態である。この実施形態において、設定変更状態及び設定確認状態は、設定値に関する制御を行う設定制御状態である。設定制御状態は、通常制御状態とは異なる制御状態である。設定確認モードにおいてパチンコ遊技機１０は設定値の変更を許容しない。つまり、設定確認モードでは、設定スイッチを操作しても設定値を変更することはできない。設定確認モードでは、各種の報知が行われる。設定確認モードへ移行する場合、パチンコ遊技機１０は、ＲＷＭ領域（ＲＷＭ３０ｃ）の初期化を行わない。設定確認モード（設定変更状態）は、設定器１０６を設定キーでオフ状態に操作すると終了する。
【０２１５】
なお、設定器１０６を設定キーでオン状態に操作せず（オフ状態に操作し）、かつＲＷＭクリアボタン１０４をオン状態に操作しながら電源を投入したときには、設定変更状態及び設定確認状態へ移行せず、ＲＷＭの初期化のみが行われる。また、設定器１０６を設定キーでオン状態に操作せず、かつＲＷＭクリアボタン１０４をオン状態に操作せずに電源を投入したときには、設定変更状態及び設定確認状態へ移行せず、かつＲＷＭの初期化も行われない。
【０２１６】
そして、図１７に示すように、この実施形態のパチンコ遊技機１０は、設定制御モード（設定制御状態）において設定値を報知する手段として設定モニタを備えている。この実施形態では、主基板３０に搭載されている表示器１０５を、第１の実施形態で説明したベース値を報知する手段と設定制御モードにおいて設定値を報知する設定モニタとで兼用している。なお、設定モニタは、表示器１０５とは別の表示手段と兼用されていてもよく、設定情報を報知する手段として専用の表示手段であってもよい。
【０２１７】
図１７には、表示器１０５による設定値の報知例を示している。
この実施形態のパチンコ遊技機１０は、表示器１０５の表示状態（表示内容）として、第１の実施形態における第１表示状態及び第２表示状態に加えて、設定値を報知する表示を行う第３表示状態を備えている。この実施形態において第３表示状態は、ベース値及び識別子の何れも表示しない状態である。表示器１０５では、電源投入されたときに設定変更モード又は設定確認モードの何れかへの移行条件が成立している場合、表示器１０５の情報表示部１０５ａに現在設定されている設定値を報知する表示を行う。具体的に言えば、第１表示要素Ｄ１に［−］を表示し、第２表示要素Ｄ２に［−］を表示し、第３，第４表示要素Ｄ３，Ｄ４に設定値を示す値を表示する。例えば、第１設定値を報知する表示は［−−０１］であり、第２設定値を報知する表示は［−−０２］であり、第３設定値を報知する表示は［−−０３］である。
【０２１８】
設定変更モードでは、設定スイッチが操作される毎に、現在選択されている設定値が第１設定値→第２設定値→第３設定値→第１設定値・・・というように、ループするように切り替えられる。これに伴って、設定変更モードでは、現在設定中である設定値を報知する表示が［−−０１］→［−−０２］→［−−０３］→［−−０１］・・・というように、ループするように切り替わる。その一方で、設定確認モードでは、現在設定されている設定値を報知する表示が継続され、設定スイッチの操作によっては現在設定されている設定値が切り替えられず、かつ表示内容も変化しない。
【０２１９】
そして、表示器１０５では、設定器１０６がオフ状態に操作されることで設定変更モード又は設定確認モードが終了すると、第１の実施形態において説明したベース値を報知するように、表示内容が切り替わる。この実施形態では、設定変更モード又は設定確認モードの何れかに移行しているとき、表示器１０５の表示を、設定値を特定可能な表示のみとする。つまり、設定変更モード又は設定確認モードの何れかに移行しているとき、表示器１０５には、ベース値に関する情報を表示しない。
【０２２０】
この実施形態では、表示器１０５が設定情報を表示する設定情報表示部として機能する。表示器１０５は、情報表示手段に相当する。表示器１０５において、第１，第２表示状態であるときに表示される数値は、ベース値を特定可能な第１情報に相当し、第３表示状態であるときに表示される数値は、設定値を特定可能な第２情報に相当する。すなわち、表示器１０５は、第１情報を表示する表示手段と、第２情報を表示する表示手段として兼用されている。換言すれば、ベース値に関する情報を表示する表示手段と、設定情報に関する情報を表示する表示手段とは、表示器１０５において、その少なくとも一部の表示領域が兼用されている。そして、表示器１０５では、設定変更状態であるときには第２情報が表示され、設定変更状態の終了を契機として、第２情報に代えて第１情報が表示される。すなわち、表示器１０５では、表示が切り替わる。なお、詳しくは後述するが、設定制御状態においては遊技を行えないことから、ベース値に関する情報の報知は、設定制御状態においては発生しない事象に関する報知である。
【０２２１】
そして、この実施形態では、表示器１０５が第３表示状態であることによって、設定変更状態及び設定確認状態の何れかであることを認識可能である。その一方で、表示器１０５が第１表示状態又は第２表示状態であることによって、通常制御状態であることを認識可能である。すなわち表示器１０５は、特別報知手段としても機能し得る。そして、特別報知に相当する第３表示状態と、特別報知とは異なる報知に相当する第１，第２表示状態とにおいては、何れも第３，第４表示要素Ｄ３，Ｄ４に数値が表示されることから、その表示内容の一部が同じになるときがあるといえる。その一方で、第１，第２表示要素Ｄ１，Ｄ２には、第１，第２表示状態と、第３表示状態とにおいて異なる情報が表示される。すなわち表示器１０５における表示内容の少なくとも一部が異なるといえる。つまり、第３表示状態は、設定制御状態における専用態様である。
【０２２２】
また、設定変更モードに移行しているとき、特図表示装置２３では、パチンコ遊技機１０が設定変更状態であることを報知する。設定確認モードに移行しているとき、特図表示装置２３では、パチンコ遊技機１０が設定確認状態であることを報知する。
【０２２３】
具体的に言えば、この実施形態において、遊技盤ＹＢの表側から視認可能な特図表示装置２３では、当該特図表示装置２３を構成する複数の発光体の全てを点灯させることにより、設定変更状態又は設定確認状態であることを報知する。特図表示装置２３を構成する複数の発光体の全てを点灯させる表示パターン（以下、「設定報知パターン」と示す）は、特図変動ゲームで用いる特別図柄（大当り図柄とはずれ図柄）とは異なる専用の表示パターン（専用態様）である。つまり、設定変更状態又は設定確認状態であるときの特図表示装置２３の表示パターンは、大当り図柄の表示パターンではなく、さらにはずれ図柄の表示パターンでもない。このような特図表示装置２３による報知を行うことで、パチンコ遊技機１０が設定変更状態又は設定確認状態であることを表示器１０５の表示に限らず、認識することができる。
【０２２４】
この実施形態の特図表示装置２３は、予め定めた報知を可能に構成された特殊報知手段である。また、特図表示装置２３は、所定の報知を可能に構成された特別報知手段及び特別表示手段でもある。そして、設定報知パターンによる発光は、設定変更状態及び設定確認状態のうち一方又は両方であることを特定可能な特別報知となる。また、この実施形態において、特図変動ゲームによって導出される特別図柄は、大当り抽選の結果を報知（以下、「当落報知」と示す場合がある）するものであるから、特図表示装置２３は、これら特別報知とは異なる報知を行う報知手段として兼用されているともいえる。当落報知は、設定変更状態であるとき及び設定確認状態であるときには発生しない事象（大当り抽選）に関する報知である。なお、特図表示装置２３を構成する複数の発光体に注目したとき、設定報知パターンと、大当り図柄やはずれ図柄の表示パターンとは、少なくとも一部の発光体における点灯（消灯）状態が異なっておればよく、一部の発光体における点灯（消灯）状態が同一であるものを含む。
【０２２５】
なお、設定変更状態と設定確認状態とで特図表示装置２３の表示を異なる表示パターンとしてもよいし、特図表示装置２３の表示を同じ表示パターンとしてもよい。異なる表示パターンとする場合には、例えば表示内容自体を異ならせてもよいし、表示内容は同じであるが、設定変更状態のときには点灯させ、設定確認状態のときには点滅させるというように表示態様を異ならせてもよい。また、設定変更状態又は設定確認状態であることの報知は、第１特図変動ゲームを行う第１特図表示装置又は第２特図変動ゲームを行う第２特図表示装置の何れか一方のみを用いて行ってもよいし、両方を同時に用いて行ってもよい。また、設定変更状態の報知を第１特図表示装置で行い、設定確認状態の報知を第２特図表示装置で行うというように、特図表示装置を異ならせてもよい。
【０２２６】
以下、ＣＰＵ３０ａが実行する電源投入処理について説明する。
ＣＰＵ３０ａは、電源投入がなされ、主基板３０への供給電圧がＣＰＵ３０ａの動作に必要な電圧に達すると起動処理（ブート処理）を実行し、各種処理を実行可能な状態へ移行する。ＣＰＵ３０ａは、起動処理の終了後、以下に説明する電源投入処理を実行する。
【０２２７】
図１８に示すように、電源投入処理において、ＣＰＵ３０ａは、ＲＷＭクリアボタン１０４から操作信号を受信しているか否かに基づいて、ＲＷＭクリアボタン１０４がオン状態に操作されているか否かを判定する（Ｓ１０１）。
【０２２８】
ＲＷＭクリアボタン１０４がオン操作に操作されている場合（Ｓ１０１：ＹＥＳ）、ＣＰＵ３０ａは、外部情報出力をＯＮする（Ｓ１０２）。具体的に言えば、ＣＰＵ３０ａは、外部端子板４０からセキュリティ信号の出力を開始させる。この実施形態において、セキュリティ信号の出力は、ステップＳ１０２の処理で出力を開始した場合、後述するステップＳ１１２の処理において出力が停止されるまで継続される。
【０２２９】
次に、ＣＰＵ３０ａは、ＲＷＭクリア（ＲＷＭ領域の初期化処理）を行う（Ｓ１０３）。ステップＳ１０３の初期化処理において、ＣＰＵ３０ａは、遊技制御に関する遊技情報を格納している領域を初期化する一方で、ベース値の計数に必要な情報、ベース値の表示に必要な情報、及び設定値に関する情報を格納している領域の初期化を行わない。次に、ＣＰＵ３０ａは、設定器１０６から操作信号を受信しているか否かに基づいて、設定キーＯＮされているか否か、つまり設定器１０６がオン状態に操作されているか否かを判定する（Ｓ１０４）。
【０２３０】
設定器１０６がオン状態に操作されている場合（Ｓ１０４：ＹＥＳ）、ＣＰＵ３０ａは、設定変更報知コマンドを副基板４２に送信する（Ｓ１０５）。ここで、副基板４２は、設定変更報知コマンドを受信すると、設定変更モード（設定変更状態）中であることを特定可能な情報の報知（以下、「設定変更報知」と示す）を行う。例えば、演出表示装置１１の画像表示部ＧＨには、設定変更モード中であることを特定可能な情報として、「設定変更中」などの文字列を示す画像が表示される。例えば、スピーカＳｐでは、設定変更モード中であることを特定可能な情報として、設定変更モードに専用の音が出力される。設定変更報知を構成する専用音は、例えば「設定変更中」の文字列を読み上げた音声を１の単位報知とし、当該単位報知を繰返す（ループする）ことにより構成されている。例えば、装飾ランプＬａでは、設定変更モード中であることを特定可能な情報として、設定変更モードに専用の発光が行われる。設定変更報知を構成する専用発光は、例えば設定変更モードに専用の発光パターンによる発光を１の単位報知とし、当該単位報知を繰返す（ループする）ことにより構成されている。なお、設定変更報知は、表示演出、発光演出、及び音声演出のうち１つ、又は２つを組み合わせて構成してもよい。設定変更報知は、第１種報知に相当する。
【０２３１】
電源投入処理の説明に戻り、ＣＰＵ３０ａは、ステップＳ１０５の処理を終了すると、設定値を表示させる（Ｓ１０６）。ステップＳ１０６の処理において、ＣＰＵ３０ａは、ＲＷＭ領域に記憶されている現在の設定値を読み出し、当該読み出した設定値を報知する表示を行うように表示器１０５を制御する。ここで表示される設定値は、直近の電源断がされたときに設定されていた設定値であって、かつバックアップ機能によって記憶保持されている設定値である。つまり、表示器１０５では、設定変更状態へ移行したことを契機として、複数の設定値のうち、その時点において設定されている設定値を特定可能な情報が最初に表示される。また、表示器１０５では、設定変更状態へ移行したことを契機として、設定スイッチの操作を必要とせずに、複数の設定値のうち初期数値（後述する第１設定値［０１］）とは異なる設定値を特定可能な情報を表示可能に構成されている。
【０２３２】
次に、ＣＰＵ３０ａは、設定スイッチ（ＲＷＭクリアボタン１０４）から操作信号を受信したか否かに基づいて、設定スイッチが操作されたか否かを判定する（Ｓ１０７）。設定スイッチが操作されている場合（Ｓ１０７：ＹＥＳ）、ＣＰＵ３０ａは、現在設定している設定値を変更する。ここで、ＣＰＵ３０ａは、設定スイッチが操作される毎に、第１設定値→第２設定値→第３設定値→第１設定値・・・というように、設定している設定値をループするように切り替える。ＣＰＵ３０ａは、設定値を切り替えるときには、ＲＷＭ領域のうち所定の領域に格納されている情報であって、かつその時点において設定している設定値を特定可能な情報を、切り替え後の設定値を特定可能な情報に書き換える。
【０２３３】
ステップＳ１０８の処理を終了した場合、又は設定スイッチが操作されていない場合（Ｓ１０７：ＮＯ）、ＣＰＵ３０ａは、設定器１０６から操作信号を受信しているか否かに基づいて、設定キーＯＦＦされているか否か、つまり設定器１０６がオフ状態に操作されているか否かを判定する（Ｓ１０９）。設定キーＯＦＦされていない場合（Ｓ１０９：ＮＯ）、ＣＰＵ３０ａは、ステップＳ１０６の処理に戻る。ステップＳ１０９から戻ったときのステップＳ１０６の処理において、ＣＰＵ３０ａは、その時点において設定している変更後の設定値を報知する表示を行うように表示器１０５を制御する。
【０２３４】
設定キーＯＦＦされている場合（Ｓ１０９：ＹＥＳ）、ＣＰＵ３０ａは、現在設定している設定値が第１設定値、第２設定値、及び第３設定値の何れかであるか否かを判定する（Ｓ１１０）。具体的に言えば、ＣＰＵ３０ａは、現在設定している設定値を特定可能な情報として所定の数値を格納する領域において、現実に格納されている数値が、第１設定値を示す数値、第２設定値を示す数値、及び第３設定値を示す数値の何れかであるとき、肯定判定する。その一方で、ＣＰＵ３０ａは、現在設定している設定値を特定可能な情報として所定の数値を格納する領域において、現実に格納されている数値が、第１設定値を示す数値、第２設定値を示す数値、及び第３設定値を示す数値の何れでもないとき、否定判定する。即ち、ＣＰＵ３０ａは、設定値を特定可能な数値が適正な数値範囲にないとき、設定値エラーと判定する。
【０２３５】
設定値エラーではない場合（Ｓ１１０：ＹＥＳ）、ＣＰＵ３０ａは、デバイス設定を行う（Ｓ１１１）。デバイス設定において、ＣＰＵ３０ａは、各スイッチＳ１〜Ｓ１０による検知結果の読み込みを開始する。つまり、電源投入から無効であった各スイッチＳ１〜Ｓ１０が何れも有効になる。ステップＳ１１１の処理は、全スイッチが何れも有効である状態に移行させるための移行処理に相当する。なお、各スイッチＳ１〜Ｓ１０は、この移行処理の期間中も無効である。また、ＣＰＵ３０ａは、ステップＳ１０３の初期化処理によって初期化された遊技情報に基づいて、変動ゲームを実行可能な状態に復帰する。即ち、ＣＰＵ３０ａは、ステップＳ１１１の処理によって、大当り抽選の結果に基づく特図変動ゲームを実行可能な通常制御状態へ移行する。
【０２３６】
次に、ＣＰＵ３０ａは、外部情報出力をＯＦＦする（Ｓ１１２）。具体的に、ＣＰＵ３０ａは、外部端子板４０からのセキュリティ信号の出力を停止させる。ここで、ＣＰＵ３０ａは、ステップＳ１０２の処理によってセキュリティ信号の出力を開始してから、ステップＳ１１２の処理によってセキュリティ信号の出力を停止するまでの期間（出力期間）が所定期間（例えば５０ｍｓ）に満たない場合、セキュリティ信号の出力を前記所定期間が経過するまで延長する。ＣＰＵ３０ａは、セキュリティ信号の出力を延長しないで、又は延長してから停止すると、ステップＳ１１２の処理を終了する。
【０２３７】
次に、ＣＰＵ３０ａは、電源投入初期時指定コマンドを副基板４２に送信する（Ｓ１１３）。ここで、副基板４２は、電源投入初期時指定コマンドを受信すると、設定変更モード（設定変更状態）中であることを特定可能な情報の報知を終了する。つまり演出表示装置１１、スピーカＳｐ、及び装飾ランプＬａでは、設定変更報知が終了する。また、副基板４２は、電源投入初期時指定コマンドを受信すると、演出図柄の図柄変動ゲームを実行可能な状態に制御する。例えば、演出表示装置１１の画像表示部ＧＨには、複数列の演出図柄の初期組み合わせや、所定の背景画像といった初期画面が表示される。なお、パチンコ遊技機１０は、初期画面を表示してから、所定期間が経過しても特図変動ゲームを開始しない場合など、デモ演出の実行条件が成立したときには、デモ演出を実行するように構成されていてもよい。なお、デモ演出を実行させるための処理については第１の実施形態と同様である。そして、ステップＳ１１３の処理を終了すると、ＣＰＵ３０ａは、電源投入処理を終了する。
【０２３８】
また、設定値エラーである場合（Ｓ１１０：ＮＯ）、ＣＰＵ３０ａは、全ての遊技に関する処理を停止する遊技停止状態へ移行する（Ｓ１１４）。ステップＳ１１４の処理において、ＣＰＵ３０ａは、設定値に関する情報を初期化する。具体的に言えば、ＣＰＵ３０ａは、ＲＷＭ領域のうち、現在設定している設定値を特定可能な数値（情報）を格納する領域に初期数値（この実施形態では、第１設定値［０１］を示す数値）を格納する。なお、遊技停止状態は、電源断をしてから電源を再投入しなければ解除できない。この実施形態では、設定値エラーと判定されることにより、特定初期化条件が成立すると、バックアップされている設定値が初期化される。なお、ＲＷＭの初期化を行う初期化条件のうち、特定初期化条件以外の初期化条件は、通常初期化条件である。上記初期数値に示される初期設定値は、初期設定情報に相当する。
【０２３９】
また、ステップＳ１１４の処理において、ＣＰＵ３０ａは、設定値エラーコマンドを副基板４２に送信する。ここで、副基板４２は、設定値エラーコマンドを受信すると、設定値エラーであることを特定可能な情報の報知（以下、「設定値エラー報知」と示す）を行う。例えば、演出表示装置１１の画像表示部ＧＨでは、「設定値エラー」などの文字列を示す画像が表示される。設定値エラー報知は、スピーカＳｐや装飾ランプＬａによって行ってもよい。
【０２４０】
また、設定器１０６がオン状態に操作されていない場合（Ｓ１０４：ＮＯ）、ＣＰＵ３０ａは、上記ステップＳ１０５〜Ｓ１０９の処理を実行することなく、ステップＳ１１０の処理へ移行する。つまり、パチンコ遊技機１０は、設定変更状態及び設定確認状態の何れにも移行せず、かつ初期化処理を行ってから通常制御状態へ移行する。この実施形態のパチンコ遊技機１０は、ＲＷＭクリアボタン１０４の操作状態がオン状態であり、且つ、設定器１０６の操作状態がオン状態である状態にて電源投入されたときには、設定制御状態のうち、ステップＳ１０４〜Ｓ１０９の処理から構成される設定変更状態へ移行する。設定変更状態へ移行する場合にはＲＷＭの初期化が行なわれる。そして、設定変更状態の終了後には、初期化処理によって初期化された遊技情報に基づいて通常制御状態へ移行する。また、この実施形態のパチンコ遊技機１０は、ＲＷＭクリアボタン１０４の操作状態がオン状態であり、且つ、設定器１０６の操作状態がオフ状態である状態にて電源投入されたときには、設定変更状態へ移行せずに、ＲＷＭの初期化を行う。ＲＷＭの初期化の終了後には、初期化した遊技情報に基づいて通常制御状態へ移行する。
【０２４１】
一方、ＲＷＭクリアボタン１０４がオン状態に操作されていない場合（Ｓ１０１：ＮＯ）、ＣＰＵ３０ａは、バックアップ異常であるか否か、つまりＲＷＭ領域の記憶内容に異常があるか否かを確認する（Ｓ１１５）。バックアップ異常である場合（Ｓ１１５：ＹＥＳ）、ＣＰＵ３０ａは、ステップＳ１０３と同様にＲＷＭの初期化を行う（Ｓ１１６）。ステップＳ１１６の処理を終了した場合、又はバックアップ異常ではない場合（Ｓ１１５：ＮＯ）、ＣＰＵ３０ａは、現在設定している設定値が第１設定値、第２設定値、及び第３設定値の何れかであるか否かを判定する（Ｓ１１７）。すなわちステップＳ１１０の処理と同様に、設定値エラーではないか否かを判定する。
【０２４２】
設定値エラーである場合（Ｓ１１７：ＮＯ）、ＣＰＵ３０ａは、ステップＳ１１８の処理へ移行し、ステップＳ１１４と同様の処理を行う。設定値エラーではない場合（Ｓ１１７：ＹＥＳ）、ＣＰＵ３０ａは、設定キーＯＮされているか否か、つまり設定器１０６がオン状態に操作されているか否かを判定する（Ｓ１１９）。
【０２４３】
設定器１０６がオン状態に操作されている場合（Ｓ１１９：ＹＥＳ）、ＣＰＵ３０ａは、外部情報出力をＯＮする（Ｓ１２０）。具体的に言えば、ＣＰＵ３０ａは、外部端子板４０からセキュリティ信号の出力を開始させる。この実施形態において、セキュリティ信号の出力は、ステップＳ１２０の処理で出力を開始した場合、後述するステップＳ１２５の処理において出力が停止されるまで継続される。
【０２４４】
次に、ＣＰＵ３０ａは、設定確認報知コマンドを副基板４２に送信する（Ｓ１２１）。ここで、副基板４２は、設定確認報知コマンドを受信すると、設定確認モード（設定確認状態）中であることを特定可能な情報の報知（以下、「設定確認報知」と示す）を行う。例えば、演出表示装置１１の画像表示部ＧＨには、設定確認モード中であることを特定可能な情報として、「設定確認中」などの文字列を示す画像が表示される。例えば、スピーカＳｐでは、設定確認モード中であることを特定可能な情報として、設定確認モードに専用の音が出力される。設定確認報知を構成する専用音は、例えば「設定確認中」の文字列を読み上げた音声を１の単位報知とし、当該単位報知を繰返す（ループする）ことにより構成されている。例えば、装飾ランプＬａでは、設定確認モード中であることを特定可能な情報として、設定確認モードに専用の発光が行われる。設定確認報知を構成する専用発光は、例えば設定確認モードに専用の発光パターンによる発光を１の単位報知とし、当該単位報知を繰返す（ループする）ことにより構成されている。なお、設定確認報知は、表示演出、発光演出、及び音声演出のうち１つ、又は２つを組み合わせて構成してもよい。設定確認報知は、第１種報知に相当する。この実施形態において、設定変更報知と、設定確認報知とは異なる報知態様である。
【０２４５】
電源投入処理の説明に戻り、ＣＰＵ３０ａは、ステップＳ１２１の処理を終了すると、設定値を表示させる（Ｓ１２２）。ステップＳ１２２の処理において、ＣＰＵ３０ａは、ＲＷＭ領域に記憶されている現在の設定値を読み出し、当該読み出した設定値を報知する表示を行うように表示器１０５を制御する。ここで表示される設定値は、設定変更状態へ移行したときと同様、直近の電源断がされたときに設定されていた設定値であって、かつバックアップ機能によって記憶保持されていた設定値である。
【０２４６】
次に、ＣＰＵ３０ａは、設定キーＯＦＦされているか否か、つまり設定器１０６がオフ状態に操作されているか否かを判定する（Ｓ１２３）。設定キーＯＦＦされていない場合（Ｓ１２３：ＮＯ）、ＣＰＵ３０ａは、ステップＳ１２２の処理に戻る。すなわち、ＣＰＵ３０ａは、現在設定している設定値を報知する表示を継続するように表示器１０５を制御する。ここで、ＣＰＵ３０ａは、設定スイッチ（ＲＷＭクリアボタン１０４）が操作されても、現在設定している設定値を切り替えない。つまりＣＰＵ３０ａは、設定スイッチの操作を契機とした設定情報の変更を許容しない。
【０２４７】
設定キーＯＦＦされている場合（Ｓ１２３：ＹＥＳ）、ＣＰＵ３０ａは、デバイス設定を行う（Ｓ１２４）。ステップＳ１２４の処理において、ＣＰＵ３０ａは、各スイッチＳ１〜Ｓ１０による検知結果の読み込みを開始する。つまり、電源投入から無効であった各スイッチＳ１〜Ｓ１０が何れも有効になる。すなわちステップＳ１２４の処理は、全スイッチが何れも有効である状態に移行させるための移行処理に相当する。なお、各スイッチＳ１〜Ｓ１０は、この移行処理の期間中も無効である。また、ＣＰＵ３０ａは、原則として、バックアップされていた遊技情報に基づいて、変動ゲームを実行可能な状態に復帰する。すなわち、ＣＰＵ３０ａは、ステップＳ１２４の処理によって、通常制御状態へ移行する。このように、通常制御状態は、設定制御状態（設定変更状態及び設定確認状態）とは異なる制御状態である。なお、ステップＳ１１６で初期化処理が行われた場合には、初期化された遊技情報に基づいて、通常制御状態に移行する。
【０２４８】
次に、ＣＰＵ３０ａは、外部情報出力をＯＦＦする（Ｓ１２５）。具体的に言えば、ＣＰＵ３０ａは、外部端子板４０からのセキュリティ信号の出力を停止させる。ここで、ＣＰＵ３０ａは、ステップＳ１２０の処理によってセキュリティ信号の出力を開始してから、ステップＳ１２５の処理によってセキュリティ信号の出力を停止するまでの期間が所定期間（例えば５０ｍｓ）に満たない場合、セキュリティ信号の出力を前記所定期間が経過するまで延長する。ＣＰＵ３０ａは、セキュリティ信号の出力を延長しないで、又は延長してから停止すると、ステップＳ１２５の処理を終了する。次に、ＣＰＵ３０ａは、電源投入初期時指定コマンドを副基板４２へ送信する（Ｓ１２６）。ここで、副基板４２は、電源投入初期時指定コマンドを受信すると、設定確認モード（設定確認状態）中であることを特定可能な情報の報知を終了する。つまり演出表示装置１１、スピーカＳｐ、及び装飾ランプＬａでは、設定確認報知を終了する。副基板４２によるその他の処理については、前記ステップ１１３のときの処理と同様である。そして、ステップＳ１２６の処理を終了すると、ＣＰＵ３０ａは、電源投入処理を終了する。
【０２４９】
また、設定器１０６がオン状態に操作されていない場合（Ｓ１１９：ＮＯ）、ＣＰＵ３０ａは、上記ステップＳ１２０〜Ｓ１２５の処理を実行することなく、ステップＳ１２６の処理へ移行する。つまり、パチンコ遊技機１０は、設定変更状態及び設定確認状態の何れにも移行せず、かつ初期化処理を行わないで通常制御状態へ移行する。この実施形態のパチンコ遊技機１０は、ＲＷＭクリアボタン１０４の操作状態がオフ状態であり、且つ、設定器１０６の操作状態がオン状態である状態にて電源投入されたときには、設定制御状態のうち、ステップＳ１２０〜Ｓ１２５の処理から構成される設定確認状態へ移行する。設定確認状態へ移行する場合には、原則としてＲＷＭの初期化を行わず、バックアップされている遊技情報に基づいて通常制御状態へ移行する。また、この実施形態のパチンコ遊技機１０は、ＲＷＭクリアボタン１０４の操作状態がオフ状態であり、且つ、設定器１０６の操作状態がオフ状態である状態にて電源投入されたときには、設定変更状態及び設定確認状態へ移行せずに、原則としてＲＷＭの初期化を行わず、バックアップされている遊技情報に基づいて通常制御状態へ移行する。
【０２５０】
以上のように、電源投入処理を実行するＣＰＵ３０ａは、特別遊技に関する有利度合いを定めた複数の設定情報のうち何れかの設定情報を設定する制御を少なくとも可能に構成された設定制御手段として機能する。設定情報に関する制御を行う設定制御状態への移行条件には、設定器１０６をオン状態とする操作が含まれている。設定器１０６をオン状態とする操作は、所定態様操作及び第１態様操作に相当する。具体的に言えば、設定変更状態への第１移行条件には、設定器１０６をオン状態とする操作が含まれている。設定確認状態への第２移行条件には、設定器１０６をオン状態とする操作が含まれている。また、設定制御状態の終了条件には、設定器１０６をオフ状態とする操作が含まれている。設定器１０６をオフ状態とする操作は、第２態様操作に相当する。具体的に言えば、設定変更状態の終了条件には、設定器１０６をオフ状態とする操作が含まれている。設定確認状態の終了条件には、設定器１０６をオフ状態とする操作が含まれている。
【０２５１】
この実施形態のパチンコ遊技機１０は、各種のエラーを検知し、検知したエラーを特定可能な情報の報知（以下、「エラー報知」と示す）を行う。
図１９に示すように、例えば、エラーとしては、磁気エラー、振動エラー（誘導磁界検知エラー）、大入賞口不正入賞エラー、及び普通電動役物不正入賞エラーのほか、扉開放エラーがある。なお、ＲＷＭクリアについては、エラーには該当しないものの、エラーと同様に扱って報知する。
【０２５２】
ＣＰＵ３０ａは、通常制御状態において、パチンコ遊技機１０におけるエラーを検知するための処理（以下、「エラー処理」と示す）を行う。この実施形態では、エラー処理を実行するＣＰＵ３０ａが機体の状態を判定する機体判定手段として機能する。
【０２５３】
具体的に言えば、ＣＰＵ３０ａは、磁気スイッチＳ８から磁気の検知信号を受信すると、磁気エラーを検知する。ＣＰＵ３０ａは、振動スイッチＳ９から振動の検知信号を受信すると、振動エラーを検知する。ＣＰＵ３０ａは、磁気エラー又は振動エラーを検知すると、遊技停止状態へ移行し、遊技の進行に係る各種処理を停止する。ここで、例えば、遊技の進行に関する各種処理は、遊技球の検知信号の受信に関する処理（受信処理）、特図変動ゲームの実行に関する処理、及び大当り遊技の進行に関する処理などである。ＣＰＵ３０ａは、遊技停止状態へ移行すると、電源断がされるまで待機する。なお、ここでの遊技停止状態では、設定値に関する情報の初期化を行ってもよく、行わなくてもよい。
【０２５４】
ＣＰＵ３０ａは、大当り遊技（特別遊技）中ではないときにカウントスイッチＳ３から遊技球の検知信号を受信すると、大入賞口不正入賞エラーを検知する。ＣＰＵ３０ａは、普通図柄の当選に基づく第２始動口１３の開放中ではないときに始動口スイッチＳ２から遊技球の検知信号を受信すると、普通電動役物不正入賞エラーを検知する。ＣＰＵ３０ａは、枠スイッチＳ１０から枠開放の検知信号（枠開放信号）を受信すると、扉開放エラーを検知する。ＣＰＵ３０ａは、大入賞口不正入賞エラー、普通電動役物不正入賞エラー、又は扉開放エラーを検知しても、遊技停止状態へ移行せず、前記遊技の進行に関する各種処理を継続する。
【０２５５】
ＣＰＵ３０ａは、エラーを検知すると、検知したエラーを特定可能なエラーコマンドを副基板４２に送信する。副基板４２は、エラーコマンドを受信すると、受信したエラーコマンドに示されるエラーを区別して特定可能となるようにエラー報知を行う。例えば、演出表示装置１１の画像表示部ＧＨでは、「扉開放エラー」などのように、エラーの種類を特定可能な文字列を示す画像が表示される。例えば、スピーカＳｐでは、「扉開放エラー」の文字列を読み上げた音声など、エラーの種類を特定可能な音が出力される。例えば、装飾ランプＬａでは、エラーの種類を特定可能な発光パターンによる発光が行われる。なお、エラー報知は、表示演出、発光演出、及び音声演出のうち１つ、又は２つを組み合わせて構成してもよい。
【０２５６】
副基板４２は、磁気エラーを特定可能なエラーコマンドを受信した場合に、磁気エラーを特定可能な情報の報知を、電源断がされるまで行なう。副基板４２は、振動エラーを特定可能なエラーコマンドを受信した場合に、振動エラーを特定可能な情報の報知を、電源断がされるまで行なう。副基板４２は、大入賞口不正入賞エラーを特定可能なエラーコマンドを受信した場合に、大入賞口不正入賞エラーを特定可能な情報の報知を、エラーコマンドの受信（エラー発生）から所定時間（例えば３０ｓ）が経過するまで行う。副基板４２は、普通電動役物不正入賞エラーを特定可能なエラーコマンドを受信した場合に、普通電動役物不正入賞エラーを特定可能な情報の報知を、エラーコマンドの受信（エラー発生）から所定時間（例えば３０ｓ）が経過するまで行う。
【０２５７】
副基板４２は、扉開放エラーを特定可能なエラーコマンドを受信した場合に、扉開放エラーを特定可能な情報の報知（以下、「扉開放エラー」と示す）を、エラーコマンドの受信（エラー発生）から所定時間（例えば３０ｓ）が経過する第１報知終了条件、及び扉開放エラーが解消される第２報知終了条件の両報知終了条件が成立するまで行う。なお、ＣＰＵ３０ａは、枠スイッチＳ１０から枠開放信号を受信しなくなると、扉開放エラーを非検知とする。ＣＰＵ３０ａは、扉開放エラーが非検知になると、報知終了コマンドを副基板４２に送信する。副基板４２は、報知終了コマンドを受信すると、扉開放エラーが解消されたこと、すなわち第２報知終了条件の成立を特定できる。この実施形態において、扉開放エラーの報知は、特殊報知に相当し、搭載枠（中枠ＷＮ及び前枠ＷＭ）が外枠ＷＳに対して開放されている状態は、機体の状態のうち特定状態に対応する。即ち、パチンコ遊技機１０は、演出表示装置１１、スピーカＳｐ、装飾ランプＬａ、及び特図表示装置２３などからなる特殊報知手段では、状態判定手段により機体の状態が特定状態であると判定されたときに特殊報知を行うことが可能に構成されている。そして、搭載枠が閉鎖されることは、特定状態が解消されることに相当する。
【０２５８】
また、ＣＰＵ３０ａは、エラーを検知すると、外部端子板４０を通じて所定の外部信号の出力を開始させる。具体的に言えば、ＣＰＵ３０ａは、磁気エラー、振動エラー、大入賞口不正入賞エラー、又は普通電動役物不正入賞エラーを検知した場合、セキュリティ信号を所定期間（例えば５０ｍｓ以上）にわたって出力させる。ＣＰＵ３０ａは、扉開放エラーを検知してから、扉開放エラーが非検知となるまでの期間にわたって、外部端子板４０から扉開放信号を出力させる。
【０２５９】
なお、この実施形態において、設定確認状態であることの情報の報知（設定確認報知）は、上述のように、特図表示装置２３を用いる報知、及び演出表示装置１１、スピーカＳｐ、並びに装飾ランプＬａを用いる報知の何れであっても、設定確認状態である期間（セキュリティ信号を出力中である期間）にわたって行われる。また、セキュリティ信号は、設定確認状態が開始してから終了するまでの期間（但し５０ｍｓ以上）にわたって出力される。また、この実施形態において、設定変更状態であることの情報の報知（設定変更報知）は、上述のように、特図表示装置２３を用いる報知、及び演出表示装置１１、スピーカＳｐ、並びに装飾ランプＬａを用いた報知の何れであっても、設定変更状態である期間（セキュリティ信号を出力中である期間）にわたって行われる。また、セキュリティ信号は、設定変更状態が開始してから終了するまでの期間（但し５０ｍｓ以上）にわたって出力される。設定確認状態へ移行したときに出力するセキュリティ信号と、設定変更状態へ移行したときに出力するセキュリティ信号とは、同じ外部信号である。
【０２６０】
次に、ＲＷＭクリアに関する報知とセキュリティ信号の出力について説明する。
この実施形態では、ＲＷＭ領域の初期化処理が行われた場合であっても、設定変更状態へ移行してから電源投入処理が終了したときと、設定変更状態へ移行しないで電源投入処理が終了したときとで異なる処理を行う。
【０２６１】
設定変更状態へ移行した場合の処理について説明する。
上述したように、この実施形態のパチンコ遊技機１０において、設定器１０６、設定スイッチ（ＲＷＭクリアボタン１０４）、及び電源スイッチ３８ａの各操作部分は、何れも遊技盤ＹＢの裏側に設けられているため、搭載枠を開放しなければアクセス不能なように構成されている。つまり、遊技場の管理者が設定値の変更又は確認をしようとする場合、搭載枠は、電源投入前から電源投入処理の実行中を含めて、原則として開放されており、設定キーＯＦＦを契機に設定変更状態及び設定確認状態が終了してから閉鎖されることになる。この実施形態のパチンコ遊技機１０は、設定変更状態へ移行する場合にＲＷＭの初期化が行われた場合、バックアップされている遊技情報が初期化されたことの報知（以下、「初期化報知」と示す）を、設定変更状態が終了した後、より詳しくは搭載枠が閉鎖されたことを契機として行う。
【０２６２】
すなわち初期化報知は、設定変更状態が開始してから、設定器１０６がオフ状態に操作されるとき（設定変更状態が終了するとき）までは少なくとも規制される。また、初期化報知は、さらに特定状態が解消されるまで規制される。すなわち初期化報知は、特定状態が解除されてから行なわれる。なお、設定確認状態へ移行するときには、原則としてＲＷＭの初期化が行われないことから、初期化報知は、設定確認状態が終了した後であっても、搭載枠が閉鎖されたことを契機としては基本的に行われない。つまり、この実施形態において、初期化報知は、所定の報知（予め定めた報知）及び第２種報知に相当する。そして、特定報知手段では、設定変更状態が終了したことを契機として所定の報知を行う一方で、設定確認状態が終了したことを契機として所定の報知を行わない。
【０２６３】
ＣＰＵ３０ａは、電源投入処理のステップＳ１１１，Ｓ１２４におけるデバイス設定によって、有効化された各スイッチＳ１〜Ｓ１０から検知信号の受信を開始することに伴い、電源投入処理が終了した時点においては、枠スイッチＳ１０からも枠開放信号を受信している状態となる。そして、ＣＰＵ３０ａは、枠スイッチＳ１０から枠開放信号を受信しなくなると、外部端子板４０からセキュリティ信号を所定期間（例えば５０ｍｓ以上）にわたって出力させる。つまり、パチンコ遊技機１０の起動時に設定変更状態へ移行する場合、ＲＷＭの初期化に対応するセキュリティ信号の出力は、設定変更状態の終了タイミングや電源投入処理の終了タイミングではなく、設定変更状態が終了した後であって、搭載枠が閉鎖されたタイミングにて開始される。
【０２６４】
ここで、ＣＰＵ３０ａは、セキュリティ信号の出力中（延長中）に搭載枠が閉鎖されたときには、設定変更状態に関するセキュリティ信号の出力に続けてＲＷＭの初期化に関するセキュリティ信号を続けて出力する。すなわち、ＣＰＵ３０ａは、設定変更状態が終了した場合であって、セキュリティ信号が出力されていないときには、セキュリティ信号を再出力する一方で、セキュリティ信号が出力されているときには、セキュリティ信号の出力を延長することとなる。すなわち、ＣＰＵ３０ａは、再出力制御と出力延長制御を可能に構成されている。なお、再出力制御と出力延長制御のうち一方を省略してもよい。また、ＣＰＵ３０ａは、セキュリティ信号の出力に関して、表示器１０５を第１表示状態及び第２表示状態の何れに制御しているかを区別しない。つまり、第１ベース値を表示しているときに出力されるセキュリティ信号と、第２ベース値を表示しているときに出力されるセキュリティ信号とは、同じ外部信号である。
【０２６５】
また、ＣＰＵ３０ａは、枠スイッチＳ１０から枠開放信号を受信しなくなると、初期化報知コマンドを副基板４２に送信する。副基板４２は、初期化報知コマンドを受信した場合に、初期化報知を、初期化報知コマンドの受信から所定期間（例えば３０ｓ）が経過するまで行う。つまり、パチンコ遊技機１０の起動時に設定変更状態を行なった場合、初期化報知は、設定変更状態の終了タイミングや電源投入処理の終了タイミングではなく、設定変更状態が終了した後であって、搭載枠が閉鎖されたタイミングにて開始される。例えば、演出表示装置１１の画像表示部ＧＨでは、「ＲＷＭクリア」などのように、遊技情報が初期化されたことを特定可能な文字列を示す画像が表示される。例えば、スピーカＳｐでは、「ラムクリア」の文字列を読み上げた音声など、遊技情報が初期化されたことを特定可能な音が出力される。例えば、装飾ランプＬａでは、遊技情報が初期化されたことを特定可能な発光パターンによる発光が行われる。なお、初期化報知は、表示演出、発光演出、及び音声演出のうち１つ、又は２つを組み合わせて構成してもよい。
【０２６６】
次に、設定変更状態へ移行しなかった場合の処理について説明する。
ＣＰＵ３０ａは、電源投入処理を終了すると、枠スイッチＳ１０から枠開放信号を受信しなくなることを待たずに、外部端子板４０からセキュリティ信号を所定期間（例えば５０ｍｓ以上）にわたって出力させる。つまり、パチンコ遊技機１０に起動時に設定変更状態へ移行しなかった場合、セキュリティ信号の出力は、電源投入処理の終了タイミング（すなわち、ＲＷＭが初期化されたタイミング）にて開始される。また、ＣＰＵ３０ａは、電源投入処理を終了すると、枠スイッチＳ１０から枠開放信号を受信しなくなることを待たずに、初期化報知コマンドを副基板４２に送信する。副基板４２は、初期化報知コマンドを受信した場合に、初期化報知を、初期化報知コマンドの受信から所定時間（例えば３０ｓ）が経過するまで行う。つまり、パチンコ遊技機１０の起動時に設定変更状態へ移行しなかった場合、初期化報知は、電源投入処理の終了タイミング（すなわち、ＲＷＭが初期化されたタイミング）にて開始される。
【０２６７】
なお、この実施形態において、設定変更状態へ移行せず、ＲＷＭの初期化だけが行なわれる状況とは、ＲＷＭクリアボタン１０４をオン状態に操作し、かつ設定器１０６をオフ状態に操作した状態にて電源投入したときである。また、設定変更状態へ移行せず、ＲＷＭの初期化だけが行なわれる状況とは、ＲＷＭクリアボタン１０４及び設定器１０６をオン状態に操作しないで電源投入した場合であって、かつバックアップ異常に起因してＲＷＭの初期化が行なわれたときである。以上のように、設定変更状態（及び設定確認状態）であるときに出力されるセキュリティ信号は、設定変更状態ではないとき（設定変更状態が終了した後）に出力される外部信号と同じ端子から出力される同じ外部信号である。
【０２６８】
次に、この実施形態のパチンコ遊技機１０において、遊技場などの管理者が設定値を変更せずに確認のみするときの手順と制御の流れについて、その作用とともに説明する。なお、以下の説明では、演出表示装置１１、スピーカＳｐ、及び装飾ランプＬａを纏めて「報知装置」と示す場合がある。
【０２６９】
図２０に示す、時点Ｘ１０では、パチンコ遊技機１０の電源投入がされていないものとする。時点Ｘ１０では、電源投入がされていないことから、各スイッチＳ１〜Ｓ１０、ＲＷＭクリアボタン１０４、及び設定器１０６が作動していない。時点Ｘ１０では、表示器１０５が非表示であり、外部端子板４０では外部信号が出力されておらず、報知装置においてエラー報知が行われておらず、ＣＰＵ３０ａも起動していない。
【０２７０】
最初に、遊技場の管理者は、自身が管理する枠キー（鍵）を用いて施錠装置ＳＳを解錠し、搭載枠（中枠ＷＮ及び前枠ＷＭ）を開放するとともに、設定キー（鍵）を用いて設定器１０６をオン状態に操作する（時点Ｘ１１）。次に、遊技場の管理者は、ＲＷＭクリアボタン１０４をオン状態に操作していない状態（オフ状態）にて、電源スイッチ３８ａをオン状態に操作（電源ＯＮ）するなどし、パチンコ遊技機１０の電源投入を行う（時点Ｘ１２）。このとき、設定器１０６は、オン状態に維持されている。
【０２７１】
時点Ｘ１２〜Ｘ１３までの特別期間においてＣＰＵ３０ａは、図中において「ブート中」と示すように、起動処理（ブート処理）を実行し、各種処理を実行可能な状態に立ち上がる。時点Ｘ１３〜Ｘ１４までの期間においてＣＰＵ３０ａは、設定制御状態に関するスイッチの検知結果を読み込む。設定制御状態に関するスイッチは、例えばＲＷＭクリアボタン１０４、及び設定器１０６である。この実施形態において、設定制御状態に関するスイッチは、設定器１０６を含む第２種検知手段に相当する。また、設定制御状態に関するスイッチ以外のスイッチ（各スイッチＳ１〜Ｓ１０など）は、設定器１０６を含まない第１種検知手段に相当する。
【０２７２】
時点Ｘ１４においてＣＰＵ３０ａは、電源投入処理を開始する。時点Ｘ１４においてＣＰＵ３０ａは、ＲＷＭクリアボタン１０４がオフ状態であり、かつ設定器１０６がオン状態であることから、図中に「設定確認中」と示すように、設定確認状態へ移行する。なお、時点Ｘ１４の経過後においてＣＰＵ３０ａは、図中において「入力不問」と示すように、ＲＷＭクリアボタン１０４の操作状態がオン状態であるか否かに基づいた各種処理を行わない。
【０２７３】
次に、遊技場の管理者は、設定キー（鍵）を用いて設定器１０６をオフ状態に操作する（時点Ｘ１５）。時点Ｘ１５においてＣＰＵ３０ａは、設定器１０６の操作状態がオフ状態に切り替えられたことから、設定確認状態を終了する。そして、時点Ｘ１５〜Ｘ１６までの期間においてＣＰＵ３０ａは、図中において「設定確認終了中」と示すように、設定確認状態を終了して通常制御状態へ移行するための移行処理を行う。時点Ｘ１６においてＣＰＵ３０ａは、図中において「通常遊技中」と示すように、通常制御状態へ移行する。この実施形態においてＣＰＵ３０ａは、設定確認状態へ移行する場合、電源投入がされてから通常制御状態へ移行する迄の間に、原則としてＲＷＭの初期化を行わない。
【０２７４】
時点Ｘ１２〜Ｘ１６までの期間（すなわち電源投入されてから通常制御状態へ移行するまでの期間）においてＣＰＵ３０ａは、ベース値の表示に関する制御だけでなく、ベース値の計数に関する制御も行わない。つまりＣＰＵ３０ａは、設定確認状態であるときにベース値を計数しない。時点Ｘ１６においてＣＰＵ３０ａは、設定確認状態が終了したことから、バックアップされている各種情報に基づいて、遊技の進行に関する各種処理のほか、ベース値の計数に関する制御と、ベース値の表示に関する制御とを開始する。具体的に言えば、ＣＰＵ３０ａは、バックアップ機能によって記憶保持されている通常時賞球カウンタ、通常時有効球カウンタ、全状態時有効球カウンタ、通常時賞球バッファ、及び通常時有効球バッファの各値に基づいて、ベース値の計数を再開するとともに、ベース値を表示させる制御を再開する。したがって、表示器１０５には、電力供給が停止した際に表示されていたベース値の表示が復帰する。つまり、表示器１０５の識別子表示部及びベース表示部の表示内容は、電力供給が開始されると、電力供給が停止したときの状態に復帰する。その後、遊技球の発射に伴って遊技が進行すると、それにあわせてベース値の計数が行なわれる。
【０２７５】
時点Ｘ１４までの期間において表示器１０５は、図中において「表示消灯」と示すように、消灯状態となる。時点Ｘ１４〜Ｘ１６までの期間において表示器１０５は、第３表示状態となり、その時点において設定されている設定値を報知する表示を行う。したがって、遊技場の管理者は、遊技盤ＹＢの裏側にある表示器１０５の表示内容を視認することで、パチンコ遊技機１０に設定されている設定値を認識できる。なお、表示器１０５は、仮に設定確認状態のまま（すなわち、設定器１０６をオフ状態に操作しないまま）で搭載枠を閉鎖しても、第３表示状態（設定値の表示）を維持する。つまり、ＣＰＵ３０ａは、機体の状態が特定状態でなくても、その時点において設定されている設定値を確認できるように表示器１０５を制御可能に構成されている。時点Ｘ１６以降の期間において表示器１０５は、第１の実施形態にて詳細に説明した通り、第１表示状態（第１ベース値の表示）と第２表示状態（第２ベース値の表示）とを切り替えながら、ベース値及び識別子の表示を常時（継続的に）行う。したがって、遊技場の管理者は、遊技盤ＹＢの裏側にある表示器１０５の表示内容を視認することで、ベース値を認識できる。
【０２７６】
時点Ｘ１４までの期間において外部端子板４０では、何れの外部信号も出力されない。時点Ｘ１４〜Ｘ１５までの期間において外部端子板４０では、セキュリティ信号が出力される。この実施形態において、セキュリティ信号の出力期間は、設定確認状態である期間、及び所定期間（例えば５０ｍｓ）のうち何れか長い期間である。つまり、設定値に関する情報が表示されているときには、セキュリティ信号が出力される。このため、遊技場の管理者のうち、パチンコ遊技機１０の整備を直接行う者以外の者であっても、ホールコンピュータＨＣを用いることによって、パチンコ遊技機１０が設定確認状態又は設定変更状態であることを容易に推認できる。なお、時点Ｘ１６以降の期間において外部端子板４０では、エラーが検知されているときに、当該検知されたエラーに応じた外部信号が出力される。
【０２７７】
時点Ｘ１４までの期間において報知装置は、何れの報知も行わない。時点Ｘ１４〜Ｘ１６までの期間において報知装置は、設定確認報知を行う。この実施形態において、設定確認報知の実行期間は、設定確認状態である期間、及び所定期間（例えば５０ｍｓ）のうち何れか長い期間である。したがって、遊技場の管理者は、搭載枠（遊技盤ＹＢ）の裏側を覗きこまなくても、報知装置の報知内容から、設定確認状態中であることを把握できる。例えば、設定確認報知を構成する１の単位報知に要する時間は、１秒である。一般に、管理者が設定確認を行うのに数分を要することから、設定確認報知を行う期間（特定期間）の長さは、設定確認報知の単位報知を少なくとも２回行うことができる長さの期間である。設定確認報知は、特定報知に相当する。
【０２７８】
なお、時点Ｘ１６以降の期間において報知装置は、エラーが検知されているときに、当該検知されたエラーに応じた報知を行う。また、この実施形態の報知装置は、遊技に関連した各種演出（遊技演出）を実行する演出装置とも兼用されている。したがって、時点Ｘ１６以降の期間において報知装置（演出装置）は、エラーが検知されていないのであれば、特図変動ゲームや大当り遊技に関連した遊技演出を行う。なお、時点Ｘ１６において演出表示装置１１は、初期画面を表示する。
【０２７９】
時点Ｘ１４までの期間において特図表示装置２３は、何れの情報の報知も行わない消灯状態となる。時点Ｘ１４〜Ｘ１５までの期間において特図表示装置２３は、図中において「設定確認中表示」と示すように、設定報知パターンによる表示を行なう。したがって、遊技場の管理者は、搭載枠（遊技盤ＹＢ）の裏側を覗きこまなくても、特図表示装置２３を視認すれば、パチンコ遊技機１０が設定確認状態又は設定変更状態であることを認識できる。時点Ｘ１５〜Ｘ１６までの期間において特図表示装置２３は、再び消灯状態となる。時点Ｘ１６以降の期間において特図表示装置２３は、設定報知パターンによる表示を行なわず、特図変動ゲームの表示を行う。なお、時点Ｘ１６において特図表示装置２３は、予め定めた初期特別図柄（例えばはずれ図柄など）を表示する。
【０２８０】
時点Ｘ１３までの期間において各スイッチＳ１〜Ｓ１０、ＲＷＭクリアボタン１０４、及び設定器１０６（以下、纏めて「スイッチ類」と示す場合がある）は、そもそもＣＰＵ３０ａ自体が立ち上がっておらず、その検知結果がＣＰＵ３０ａによって読み込まれることもない。ＣＰＵ３０ａがスイッチ類の検知結果を読み込むことは、各スイッチから検知信号を受信しているか否かに応じて、ＲＷＭ領域のうち各スイッチに各別に対応付けた領域に、検知信号の受信の有無を特定可能な情報を格納することを意味する。そして、スイッチ類に関して無効であることは、検知結果の読み込みを行わないことを意味し、スイッチ類に関して有効であることは、検知結果の読み込みを行うことを意味する。なお、スイッチ類が無効である状況には、そもそもスイッチ類が作動していない状況、及びスイッチ類が作動しているもののＣＰＵ３０ａが検知結果を読み込まない状況が想定できる。
【０２８１】
したがって、時点Ｘ１３までの期間において全てのスイッチ類は、図中において「全スイッチ無効」と示すように、何れも無効である。時点Ｘ１３〜Ｘ１６までの期間において、スイッチ類のうち各スイッチＳ１〜Ｓ１０は、ＣＰＵ３０ａによって検知結果が読み込まれることがなく、無効である。つまり、設定確認状態であるときには、設定制御状態に関するスイッチ以外のスイッチは無効である。一方、時点Ｘ１３〜Ｘ１６までの期間において、スイッチ類のうちＲＷＭクリアボタン１０４、及び設定器１０６は、ＣＰＵ３０ａによって検知結果が読み込まれるようになっており、有効である。つまり、設定確認状態であるときには、設定制御状態に関するスイッチは有効である。時点Ｘ１６以降の期間において全てのスイッチ類は、図中において「全スイッチ有効」と示すように、何れも有効である。つまり、ベース値に関する情報を表示しているときには、少なくとも各スイッチＳ１〜Ｓ１０は有効である。また、時点Ｘ１５〜Ｘ１６までの期間（移行処理を行う期間）において、各スイッチＳ１〜Ｓ１０は、無効のままである。
【０２８２】
なお、時点Ｘ１４以降の期間においてＲＷＭクリアボタン１０４の検知結果は、図中において「入力不問」と示すように、ＣＰＵ３０ａによって参照されず、各種処理に供されることもない。つまり、時点Ｘ１４〜Ｘ１５までの期間においてＣＰＵ３０ａは、ＲＷＭクリアボタン１０４が操作されても、ＲＷＭの初期化を行わず、かつ設定されている設定値の変更も行わない。また、時点Ｘ１５以降の期間においてＣＰＵ３０ａは、ＲＷＭクリアボタン１０４が操作されても、ＲＷＭの初期化を行わず、設定されている設定値の変更も行わず、かつ設定値の表示（第３表示状態への移行）も行わない。また、時点Ｘ１６以降の期間において設定器１０６の操作結果は、図中において「入力不問」と示すように、ＣＰＵ３０ａによって参照されず、各種処理に供されることもない。つまり、時点Ｘ１６以降の期間（設定確認状態の終了後、すなわちベース値を表示しているとき）においてＣＰＵ３０ａは、設定器１０６が操作されても、設定制御状態（設定変更状態及び設定確認状態）へ移行せず、かつ設定値の表示（第３表示状態への移行）も行わない。
【０２８３】
そして、遊技場の管理者は、設定確認を終えると、搭載枠を閉鎖する（時点Ｘ１７）。時点Ｘ１７においてＣＰＵ３０ａは、ＲＷＭの初期化が行われていないことから、初期化報知を行わせない。つまり、時点Ｘ１７において報知装置は、初期化報知を行わない。時点Ｘ１７において外部端子板４０では、セキュリティ信号が出力されない。したがって、この実施形態のパチンコ遊技機１０では、設定確認状態へ移行するとセキュリティ信号が出力されるが、設定確認状態が終了するとセキュリティ信号が再出力されず、且つ、セキュリティ信号の出力が延長されない。
【０２８４】
したがって、図２１に示すように、パチンコ遊技機１０における設定確認方法は、次の通り手順１から手順５を含んで構成される。
最初に、パチンコ遊技機１０の電源投入がされていない状態（電源断の状態）であって、かつ搭載枠を開放した状態とする（手順１）。具体的に言えば、例えば外部電源からパチンコ遊技機１０に対して電力を供給している状態にて中枠ＷＮを開放し、電源スイッチ３８ａをオフ状態に操作したり、外部電源の電力供給をしていない状態にて中枠ＷＮを開放し、電源スイッチ３８ａをオフ状態に操作した後、外部電源から電力供給を開始したりする。
【０２８５】
次に、設定キーをシリンダ１０６ｂに挿し込んで回動操作を行い、設定器１０６をオフ状態からオン状態とする（手順２）。次に、ＲＷＭクリアボタン１０４をオフ状態としたまま、パチンコ遊技機１０に電源投入する（手順３）。具体的に言えば、外部電源からパチンコ遊技機１０に対して電力を供給している状態にて電源スイッチ３８ａをオン状態に操作したり、電源スイッチ３８ａをオン状態としたまま、外部電源から電力供給を開始したりする。これにより、パチンコ遊技機１０は起動し、設定確認状態へ移行する。つまり遊技場の管理者は、その時点において設定されている設定値を確認できる。
【０２８６】
次に、設定器１０６をオフ状態に操作し、設定キーを抜き取る（手順４）。これにより、パチンコ遊技機１０は、設定確認状態を終了し、通常制御状態へ移行する。次に、搭載枠を閉鎖する（手順５）。このとき、報知装置では初期化報知が行われない。これにより、パチンコ遊技機１０は、遊技者によって遊技を可能な状態となる。
【０２８７】
次に、この実施形態のパチンコ遊技機１０において、遊技場などの管理者が設定値を変更及び確認するときの手順と制御の流れについて、その作用とともに説明する。なお、以下の説明では、設定確認状態（設定確認モード）へ移行させるときとは異なる点についてのみ詳しく説明し、共通する点については詳しい説明を省略する。
【０２８８】
図２２に示すように、最初に、遊技場の管理者は、自身が管理する枠キーを用いて施錠装置ＳＳを解錠し、搭載枠（中枠ＷＮ及び前枠ＷＭ）を開放するとともに、設定キーを用いて設定器１０６をオン状態に操作する（時点Ｘ１１）。次に、遊技場の管理者は、ＲＷＭクリアボタン１０４をオン状態に操作した状態にて、電源スイッチ３８ａをオン状態に操作（電源ＯＮ）し、パチンコ遊技機１０の電源投入を行う（時点Ｘ１２）。
【０２８９】
ＣＰＵ３０ａは、時点Ｘ１２〜Ｘ１３において起動処理を実行し、時点Ｘ１３〜Ｘ１４においてＲＷＭクリアボタン１０４、及び設定器１０６の検知結果を読み込む。時点Ｘ１４においてＣＰＵ３０ａは、電源投入処理を実行する。時点Ｘ１４においてＣＰＵ３０ａは、ＲＷＭクリアボタン１０４がオン状態であり、設定器１０６がオン状態であることから、図中に「設定変更中」と示すように、設定変更状態へ移行する。
【０２９０】
時点Ｘ１４〜Ｘ１５までの期間においてＣＰＵ３０ａは、設定スイッチとしてのＲＷＭクリアボタン１０４から操作信号（検知信号）を入力する毎に、現在設定している設定値を次の設定値に変更する。時点Ｘ１４〜Ｘ１５までの期間においてＣＰＵ３０ａは、現在設定している設定値を表示するように表示器１０５を制御する。すなわち、時点Ｘ１４〜Ｘ１５において表示器１０５は、設定スイッチの操作前であればバックアップされていた設定値を表示し、設定スイッチの操作後であれば設定スイッチが操作される毎に変更後の設定値を表示する。なお、表示器１０５は、仮に設定変更状態のまま（すなわち、設定器１０６をオフ状態に操作しないまま）で搭載枠を閉鎖しても、第３表示状態（設定値の表示）を維持する。つまり、ＣＰＵ３０ａは、機体の状態が特定状態でなくても、複数の設定値のうち、その時点において設定されている設定値を確認できるように表示器１０５を制御可能に構成されている。
【０２９１】
次に、遊技場の管理者は、設定キーを用いて設定器１０６をオフ状態に操作する（時点Ｘ１５）。時点Ｘ１５においてＣＰＵ３０ａは、設定器１０６の操作状態がオフ状態に切り替えられたことから、設定変更状態を終了する。つまり、時点Ｘ１５において、設定値が確定する。そして、時点Ｘ１５〜Ｘ１６までの期間においてＣＰＵ３０ａは、図中において「設定変更終了中」と示すように、設定変更状態を終了して通常制御状態へ移行するための移行処理を行う。時点Ｘ１６においてＣＰＵ３０ａは、図中において「通常遊技中」と示すように、通常制御状態へ移行する。この実施形態においてＣＰＵ３０ａは、設定変更状態へ移行する場合には、電源投入がされてから通常制御状態へ移行する迄の間に、ＲＷＭの初期化を行う。
【０２９２】
時点Ｘ１２〜Ｘ１６までの期間においてＣＰＵ３０ａは、ベース値の表示に関する制御だけでなく、ベース値の計数に関する制御も行わない。つまりＣＰＵ３０ａは、設定変更状態であるときにベース値を計数しない。時点Ｘ１６においてＣＰＵ３０ａは、設定変更状態が終了したことから、初期化された遊技情報に基づいて、遊技の進行に関する各種処理を開始するほか、バックアップされている情報に基づいて、ベース値の計数に関する制御と、ベース値の表示に関する制御とを開始する。このとき、ＣＰＵ３０ａは、今回の設定変更状態において、実際に設定値が変更して設定されたか否かを問わない。つまりＣＰＵ３０ａは、今回の設定変更状態において、設定値が変更して設定されたとき、及び設定値が変更して設定されていないときの何れであっても、バックアップされている各種情報に基づいて、ベース値の計数に関する制御と、ベース値の表示に関する制御とを開始する。したがって、表示器１０５には、設定変更の有無に関係なく、電力供給が停止した際に表示されていたベース値の表示が復帰する。
【０２９３】
時点Ｘ１４〜Ｘ１６までの期間において表示器１０５は、第３表示状態となり、その時点において設定されている設定値を報知する表示を行う。したがって、遊技場の管理者は、遊技盤ＹＢの裏側にある表示器１０５の表示内容を視認することで、パチンコ遊技機１０に設定されている設定値（変更後を含む）を認識できる。時点Ｘ１６以降の期間において表示器１０５は、第１表示状態と第２表示状態とを切り替えながら、ベース値及び識別子の表示を常時（継続的に）行う。したがって、遊技場の管理者は、遊技盤ＹＢの裏側にある表示器１０５の表示内容を視認することで、ベース値を認識できる。
【０２９４】
時点Ｘ１４〜Ｘ１６までの期間において外部端子板４０では、セキュリティ信号が出力される。つまり、設定値に関する情報が表示されているときには、セキュリティ信号が出力される。したがって、遊技場の管理者のうち、パチンコ遊技機１０の整備を直接行う者以外の者であっても、ホールコンピュータＨＣを用いることによって、パチンコ遊技機１０が設定確認状態又は設定変更状態であることを容易に推認できる。
【０２９５】
時点Ｘ１４〜Ｘ１６までの期間において報知装置は、設定変更報知を行う。この実施形態において、設定変更報知の実行期間は、設定変更状態である期間、及び所定期間（例えば５０ｍｓ）のうち何れか長い期間である。したがって、遊技場の管理者は、中枠ＷＮ（遊技盤ＹＢ）の裏側を覗きこまなくても、報知装置の報知内容から、設定変更状態中であることを把握できる。例えば、設定変更報知を構成する１の単位報知に要する時間は、１秒である。一般に、管理者が設定変更を行うのに数分を要することから、設定変更報知を行う期間（特定期間）の長さは、設定変更報知の単位報知を少なくとも２回行うことができる長さの期間である。設定変更報知は、特定報知に相当する。
【０２９６】
時点Ｘ１４〜Ｘ１５までの期間において特図表示装置２３は、図中において「設定確認中表示」と示すように、設定報知パターンによる表示を行なう。したがって、遊技場の管理者は、中枠ＷＮ（遊技盤ＹＢ）の裏側を覗きこまなくても、特図表示装置２３を視認すれば、パチンコ遊技機１０が設定確認状態又は設定変更状態であることを認識できる。
【０２９７】
そして、遊技場の管理者は、設定変更を終えると、搭載枠を閉鎖する（時点Ｘ１７）。時点Ｘ１７においてＣＰＵ３０ａは、ＲＷＭの初期化が行われていることから、初期化報知を行わせる。時点Ｘ１７において報知装置は、所定期間（例えば３０ｓ）にわたって初期化報知を行う。時点Ｘ１７において、外部端子板４０では、セキュリティ信号が出力される。つまり、ベース値に関する情報の表示に切り替えられた後に、設定制御状態であるときと同じ外部信号が出力される。
【０２９８】
時点Ｘ１３までの期間（特別期間を含む）において全てのスイッチ類は、図中において「全スイッチ無効」と示すように、何れも無効である。時点Ｘ１３〜Ｘ１６までの期間において、スイッチ類のうち各スイッチＳ１〜Ｓ１０は無効である一方、スイッチ類のうちＲＷＭクリアボタン１０４、及び設定器１０６は有効である。時点Ｘ１６以降の期間において全てのスイッチ類は、図中において「全スイッチ有効」と示すように、何れも有効である。また、時点Ｘ１５〜Ｘ１６において移行処理を行う期間では、各スイッチＳ１〜Ｓ１０は、無効のままである。
【０２９９】
なお、時点Ｘ１５以降の期間においてＲＷＭクリアボタン１０４の検知結果は、図中において「入力不問」と示すように、ＣＰＵ３０ａによって参照されず、各種処理に供されることもない。つまり、時点Ｘ１５以降の期間においてＣＰＵ３０ａは、ＲＷＭクリアボタン１０４が操作されても、ＲＷＭの初期化を行わず、設定されている設定値の変更も行わず、かつ設定値の表示（第３表示状態への移行）も行わない。また、時点Ｘ１６以降の期間において設定器１０６の操作結果は、図中において「入力不問」と示すように、ＣＰＵ３０ａによって参照されず、各種処理に供されることもない。つまり、時点Ｘ１６以降の期間（設定変更状態の終了後、すなわちベース値を表示しているとき）においてＣＰＵ３０ａは、設定器１０６がオン状態に操作されても、設定制御状態（設定変更状態及び設定確認状態）へ移行せず、かつ設定値の表示（第３表示状態への移行）も行わない。
【０３００】
したがって、図２３に示すように、パチンコ遊技機１０における設定変更方法は、次の通り手順１から手順６を含んで構成される。
最初に、パチンコ遊技機１０の電源投入がされていない状態（電源断の状態）であって、かつ搭載枠を開放した状態とする（手順１）。次に、設定キーをシリンダ１０６ｂに挿し込んで回動操作を行い、設定器１０６をオン状態とする（手順２）。次に、ＲＷＭクリアボタン１０４をオン状態としたまま、パチンコ遊技機１０に電源投入する（手順３）。これにより、パチンコ遊技機１０は起動し、設定変更状態へ移行する。
【０３０１】
設定変更状態において、設定スイッチを操作することにより、設定中の設定値を変更する（手順４）。つまり、遊技場の管理者は、その時点において設定されている設定値を確認しながら変更できる。次に、設定器１０６をオフ状態に操作し、設定キーを抜き取る（手順５）。これにより、パチンコ遊技機１０は、設定値を確定して設定変更状態を終了し、通常制御状態へ移行する。次に、搭載枠を閉鎖する（手順６）。これにより、パチンコ遊技機１０は、遊技者によって遊技を可能な状態となる。このとき、報知装置では初期化報知が行われる。以上のように、この実施形態のパチンコ遊技機１０は、機体の状態が搭載枠の開放状態（特定状態）であるとき、複数の設定値のうち何れかの設定値に変更して設定可能に構成されているといえる。
【０３０２】
なお、第１の実施形態では、ベース値の計数に関する制御、及びベース値の表示に関する制御を説明したが、これらの制御は、第１〜第３設定値の何れが設定されている場合、及び設定値が変更された場合であっても、同一制御を行う。つまりベース値の計数に関する制御においてＣＰＵ３０ａは、計数する処理（通常時賞球カウンタ、通常時有効球カウンタ、全状態時有効球カウンタ）、全状態時有効球数が所定数に達したときに取得する処理（通常時賞球バッファ、通常時有効球バッファ）、第１ベース値と第２ベース値とを計算式で計数する処理を、設定値に関係なく同じ内容で行う。また、ベース値の表示に関する制御においてＣＰＵ３０ａは、表示器１０５の第１表示状態と第２表示状態の切り替え処理、全状態時有効球数に応じた第１表示状態又は第２表示状態のそれぞれにおけるベース表示部及び識別子表示部の表示態様の処理を、設定値に関係なく行う。
【０３０３】
そして、この実施形態のパチンコ遊技機１０は、設定器１０６の操作とＲＷＭクリアボタン１０４の操作によって所望の設定制御状態（設定制御モード）へ移行させているが、例えば設定器１０６をオン操作せずにＲＷＭクリアボタン１０４を操作して電源を投入した場合には第１の実施形態で説明したようにＲＷＭ領域の初期化のみが行われる。また、例えば設定器１０６をオン操作せずに、さらにＲＷＭクリアボタン１０４も操作せずに電源を投入した場合には第１の実施形態で説明したように電力供給が停止した場合でも保持している遊技制御に関する情報によって復帰する（復電処理）。
【０３０４】
したがって、この実施形態によれば、第１の実施形態の効果（１−１）〜（１−１４）に加えて、以下に示す効果を得ることができる。
（２−１）パチンコ遊技機１０の設定値（大当り確率）を変更可能に構成した。このため、設定値の変更によって、同一の演出などを行うパチンコ遊技機１０に変化を生じさせることができる。また、遊技者には、どのパチンコ遊技機１０の優位性が高いかを推測させる楽しみを与えることができる。
【０３０５】
（２−２）パチンコ遊技機として、大当り遊技に関する有利度合いを定めた複数の設定値のうち何れかの設定値を設定可能であるとともに、設定器１０６の操作によって、設定値に関する制御を行う設定制御状態へ簡便に移行させることもできる。したがって、遊技者の興趣の低下を抑制できる。
【０３０６】
（２−３）設定値を変更できる設定変更状態（設定変更モード）と、その時点において設定されている設定値の確認のみできる設定確認状態（設定確認モード）と、を区別することで、例えば、設定値の変更や確認をしようとする作業者に対して、設定値に関する制御を理解し易くできる。
【０３０７】
（２−４）設定変更状態へ移行するために、ＲＷＭクリアボタン１０４をオン状態にする操作、及び設定器１０６をオン状態とする操作を伴った電源投入を要求する。このため、例えば不正な遊技者などが設定値を容易に変更できないようにすることで、設定値についてのセキュリティ性を高めることができる。
【０３０８】
（２−５）設定確認状態へ移行するために、設定器１０６をオン状態とする操作を伴った電源投入を要求する。このため、例えば不正な遊技者などが設定値を容易に確認できないようにすることで、設定値についてのセキュリティ性を高めることができる。
【０３０９】
（２−６）通常制御状態へ移行した後には、設定器１０６をオン状態に操作しても設定変更状態及び設定確認状態へ移行しない。このため、特図変動ゲームの実行中に設定値に関する制御が行われ得ることで、遊技者に疑念を持たせることを抑制できる。また、例えば、設定器１０６を誤操作したときなどに、ベース値に関する情報を確認できなくなることを抑制できる。また、パチンコ遊技機１０において重要度（機密性）が高い設定値に関する情報を表示可能な期間に制限を設けることができるから、パチンコ遊技機１０としてのセキュリティ性を高めることができる。
【０３１０】
（２−７）設定変更状態へ移行する場合には、バックアップされている遊技情報が初期化される。このため、設定値が変更されたにも関わらず、バックアップされている遊技情報、すなわち設定値の変更前における遊技情報に基づいて制御が行われ、予期せぬ不具合が生じることを抑制できる。
【０３１１】
（２−８）その一方で、設定確認状態へ移行する場合には、バックアップされている遊技情報が初期化されない。このため、設定値の確認後、バックアップされている遊技情報に基づいて、電源断がされたときの状態に復帰させることができる。
【０３１２】
（２−９）バックアップされている設定値は、設定変更状態への移行する場合などに行なわれるＲＷＭの初期化によっては初期化されない。したがって、電源断がされるときの設定値を参考にしながら、遊技場の管理者などが適切に設定値を変更して設定できる。
【０３１３】
（２−１０）バックアップされている設定値は、通常初期化条件が成立したことを契機としては初期化されないが、特定初期化条件が成立したことを契機として初期化される。このため、設定値に関して利便性を高めることができる。また、破損した情報に基づいて、予期しない制御が行われてしまうことも抑制できる。
【０３１４】
（２−１１）設定変更状態では、設定変更報知が行われる。また、設定確認状態では、設定確認報知が行われる。このため、設定制御状態において、これらの報知が行われることによって、設定値に関する制御が行われていることを、遊技場の管理者などに対して認識させ得る。
【０３１５】
（２−１２）設定変更状態の終了後には、初期化報知が行われる。一方、設定確認状態の終了後には、初期化報知が行われない。このため、設定変更報知とは異なる報知（初期化報知）の有無によって、パチンコ遊技機１０にとって重要性が高い設定値を変更する制御が行われていたかを、遊技場の管理者などに対して明確に認識させ得る。また、設定変更状態であるときに初期化報知を行う構成に比して、ＲＷＭの初期化を認識させ易くできる。また、異なる観点によれば、初期化報知に関して、「設定変更状態の終了」及び「遊技情報の初期化」の報知として兼用化し、管理者などにおける確認の負担を軽減できるという効果もある。
【０３１６】
（２−１３）設定変更状態の終了後における初期化報知は、搭載枠が閉鎖されたことを契機として行なわれる。このため、搭載枠の閉鎖と、初期化報知とを連動させ、設定値を変更しようとする管理者自身に対して、設定値を変更する一連の作業の完了（区切り）を認識させ易くできる。
【０３１７】
（２−１４）設定変更状態へ移行しない場合の初期化報知と、設定変更状態へ移行する場合の初期化報知とは、異なるタイミングで行なわれる。具体的に言えば、設定変更状態へ移行しない場合には、搭載枠を閉鎖する前であって、かつＲＷＭの初期化が行なわれたときに初期化報知が行なわれる一方で、設定変更状態へ移行する場合には、搭載枠を閉鎖するときに初期化報知が行なわれる。すなわち、初期化報知は、設定変更状態が開始してから、設定器１０６がオフ状態に操作されるときまでは少なくとも規制される。したがって、初期化報知のタイミングによって、設定変更状態に起因した初期化であるかを認識させ易くできる。
【０３１８】
（２−１５）表示器１０５では、設定制御状態であるとき、その時点において設定されている設定値を表示する。したがって、設定されている設定値を容易に認識させ得る。ここで、設定制御状態へ移行したときには、その時点において設定されている設定値（すなわち、バックアップされている設定値）が最初に表示される。また、設定制御状態では、設定スイッチなどの操作手段の操作を必要とせずに、初期設定値とは異なる設定値を表示可能である。このため、遊技場の管理者は、設定値の確認を簡単にできる。
【０３１９】
（２−１６）この実施形態のパチンコ遊技機１０では、ベース値に関する情報の表示と、設定値に関する情報の表示と、を行うことが何れも可能である。このため、例えば遊技場の管理者に、遊技の状態を適切に把握させ得る。
【０３２０】
（２−１７）表示器１０５は、設定値の表示（第３表示状態）と、ベース値の表示（第１，第２表示状態）とで兼用している。したがって、パチンコ遊技機１０の構成、特に主基板３０の構成を簡略化できる。これに加えて、パチンコ遊技機１０に関する重要な情報を分散して表示する構成に比して、例えば管理者の注意が分散してしまうことを抑制し、より適切なパチンコ遊技機１０の管理に資することができる。なお、設定制御状態では、設定値が表示され、かつセキュリティ信号が出力されることから、両者を連動させ、設定変更状態などであることの監視をより容易にできる。
【０３２１】
（２−１８）表示器１０５では、設定制御状態であるときに設定値が表示され、設定制御状態が終了すると、設定値からベース値へ表示が切り替わる。したがって、表示器１０５を視認することで、設定制御状態であることを容易に監視できる。また、ベース値に関する報知は、設定制御状態においては発生し得ない遊技行為という事象に関するものであり、さらに第３表示状態は、第１，第２表示状態とは異なる専用態様である。このため、表示器１０５を兼用しても、遊技場の管理者などに対して、表示内容を混同し難くできる。また、パチンコ遊技機１０に関する重要な情報を同時に表示しないことから、個々の情報を適切に認識させ、適切なパチンコ遊技機１０の管理にさらに資することができる。
【０３２２】
（２−１９）第３表示状態であるときと、第１，第２表示状態であるときとでは、表示器１０５における表示内容の一部が同じになるときがあるから、表示内容の一部を兼用することで、表示に関する構成を簡略化できる。
【０３２３】
（２−２０）設定変更状態へ移行すること、設定確認状態へ移行すること、ＲＷＭの初期化を行ってから通常制御状態へ移行すること、及び、ＲＷＭの初期化を行わずに通常制御状態へ移行することを、設定器１０６と、ＲＷＭクリアボタン１０４と、を用いることで実現できる。したがって、少ない数の操作手段によって、きめ細やかに制御の状態を切り替え可能になる。
【０３２４】
（２−２１）搭載枠が開放状態であるときに、設定値を変更する制御を可能である。搭載枠を開放することは、一般的な遊技者にとって困難である。このため、パチンコ遊技機１０にとって重要度（機密度）が高い設定値に関して、単に設定器１０６をオン状態とする操作のみを要求する場合に比して、セキュリティ性を高めることができる。その一方で、設定値を確認させるための制御については、搭載枠が開放状態でなくても行なえる。このため、設定値の確認については、セキュリティ性を緩和し、その時点において設定されている設定値の確認を簡便にできる。
【０３２５】
（２−２２）設定変更状態であるときには、セキュリティ信号を出力する。このため、設定変更状態であることについて、セキュリティ信号から容易に監視できる。なお、上述のように、設定変更状態であるときは、基本的に搭載枠が開放状態であることから、搭載枠が開放状態であるかの監視に流用することもできる。
【０３２６】
（２−２３）設定確認状態であるときには、セキュリティ信号を出力する。このため、設定確認状態であることについて、セキュリティ信号から容易に監視できる。特に、設定変更状態及び設定確認状態の何れにおいてもセキュリティ信号を出力することで、セキュリティ性を好適に高め得る。
【０３２７】
（２−２４）設定制御状態（設定変更状態及び設定確認状態）は、設定器１０６をオフ状態に操作したことを契機として終了する。そして、設定制御状態の終了を契機として、すなわち設定器１０６の操作を契機として、設定制御状態に対応するセキュリティ信号の出力が終了する。このため、遊技場の管理者などは、セキュリティ信号に基づいて、このような設定確認状態である期間を正確に監視できる。
【０３２８】
（２−２５）設定変更状態が終了したときに、セキュリティ信号を出力中でなければ、セキュリティ信号が再出力され、セキュリティ信号を出力中であれば、セキュリティ信号の出力が延長される。このため、設定変更状態が終了した後に、セキュリティ信号を出力していない状況が発生しないようにできる。
【０３２９】
（２−２６）設定変更状態が終了したときには、セキュリティ信号の再出力又は出力の延長を行うが、設定確認状態が終了したときには行わない。このため、設定確認状態に比して、重要度が高い設定変更状態について、外部信号を用いた監視をさらに行い易くできる。また、設定確認状態が終了したときにまで過剰に外部信号が出力され、監視の負担が増加することを抑制できる。
【０３３０】
（２−２７）設定変更状態であるとき（すなわち設定値に関する情報が表示されているとき）と、設定変更状態が終了した後（すなわちベース値に関する情報が表示されてから）とで、同じセキュリティ信号を出力する。このため、ベース値に関する情報が表示されること、及び、設定情報に関する情報の表示がされていることを、１種類の外部信号から適切に監視できる。
【０３３１】
（２−２８）設定情報に関する情報を表示しているときと、ベース値に関する情報を表示しているときとでは、セキュリティ信号の出力態様が異なっている。具体的に言えば、セキュリティ信号は、設定制御状態では、当該設定制御状態である期間（但し５０ｍｓ以上）にわたって出力される一方で、設定制御（変更）状態が終了した後には所定期間（例えば５０ｍｓ）だけ送信される。したがって、この実施形態では、何れの情報を表示しているかをセキュリティ信号から容易に監視できる。
【０３３２】
（２−２９）第１ベース値を表示しているとき（第１表示状態）、及び第２ベース値を表示しているとき（第２表示状態）の何れであっても、同じセキュリティ信号が出力される。このため、情報表示についての監視を容易にしつつも、外部信号の種類が多くなり過ぎることを抑制できる。
【０３３３】
（２−３０）セキュリティ信号は、設定変更状態へ移行したときと、設定確認状態へ移行したときとで同じ外部信号である。また、セキュリティ信号は、所定のエラーが発生しているときに出力される外部信号と同じ外部信号とすることもできる。このため、個別に外部信号を備える構成に比して、外部信号の種類が多くなり過ぎることを抑制できる。
【０３３４】
（２−３１）報知装置では、設定変更状態であるときに、設定変更報知を行う。このため、報知装置による報知によって、設定変更状態であることを容易に認識できる。また、報知装置では、設定確認状態であるときに、設定確認報知を行う。このため、報知装置による報知によって、設定確認状態であることを容易に認識できる。特に、この実施形態において、設定変更報知と設定確認報知とは、異なる報知態様であることから、設定変更状態中であるか、設定確認状態中であるかを、容易に認識できる。また、認識できる設定制御状態に応じて、ＲＷＭの初期化や初期化報知などが行われるかも認識できる。
【０３３５】
（２−３２）設定変更報知の単位報知は、設定変更状態であるときに少なくとも２回は行われ得る。また、設定確認報知の単位報知は、設定確認状態であるときに少なくとも２回は行われ得る。このため、設定変更状態や設定確認状態であることを、さらに容易に認識できる。
【０３３６】
（２−３３）特図表示装置２３では、設定変更状態であるとき及び設定確認状態であるときに特別報知（設定報知パターンによる発光）を行なう。したがって、特図表示装置２３を視認することで、設定制御状態であることを容易に監視できる。また、この実施形態における特図表示装置２３は、特図変動ゲームを伴う当落報知などの別の報知を行う報知手段としても兼用されていることから、パチンコ遊技機１０としての構成を簡略化できる。ここで、前記当落報知は、設定制御状態において発生しない事象に関するものである。また、前記設定報知パターンは、特別報知に専用の発光パターンである。このため、特図表示装置２３を兼用しても、遊技場の管理者に対して、報知を混同し難くできる。
【０３３７】
（２−３４）設定変更状態であるときの各種報知、及び設定変更状態が終了してからの各種報知と連動して、兼用化されたセキュリティ信号が出力される。このため、セキュリティ信号に基づいて、設定変更状態であるか否か、及び設定変更状態が終了したか否かを認識可能としつつ、外部信号の種類が多くなり過ぎることを抑制できる。
【０３３８】
（２−３５）電源投入がされてから、設定値に関する情報を表示するまでの期間のうちの特別期間（時点Ｘ１２〜Ｘ１３）では、全スイッチ（第１種検知手段及び第２種検知手段）の何れも無効であるから、例えば起動処理などに制御的な資源を十分に割り当てることができる。
【０３３９】
（２−３６）設定制御状態であるとき（つまり、設定値に関する情報を表示しているとき）には、当該制御状態に関係する第２種検知手段についてのみ有効とし、他の第１種検知手段については無効としている。したがって、第１種検知手段の検知結果によって、設定値に関する制御に予期しない悪影響を及ぼしてしまうことを抑制できる。また、検知手段に関する制御的な負担の増加を抑制できる。
【０３４０】
（２−３７）ベース値に関する情報を表示しているときには、少なくとも第１種検知手段は有効である。したがって、ベース値の計数や表示を適切に行える。
（２−３８）第１種検知手段が無効である状態から、全スイッチが有効である状態に移行させるための移行処理が行われる場合、当該移行処理の期間中も第１種検知手段が無効である。このため、移行処理に制御的な資源を十分に割り当てることができる。
【０３４１】
（２−３９）表示器１０５と設定器１０６を同一基板（主基板３０）に実装している。このため、設定器１０６を操作したときに表示される設定情報の視認性を向上させることができる。また、関連し合う表示器１０５と設定器１０６を同一基板に実装することで、パチンコ遊技機１０の構成にまとまりを持たせることができる。
【０３４２】
（２−４０）設定器１０６が主基板３０と同じ主基板ケース８１内に設けられていることから、セキュリティ性を向上させ得る。また、設定器１０６のシリンダ１０６ｂのうち、鍵穴１０６ａがある先端面のみが主基板ケース８１から露出している。したがって、設定器１０６の操作性を確保しつつ、セキュリティ性を向上できる。
【０３４３】
（２−４１）設定器１０６は、オン状態、及び、オフ状態のうち一方の状態に維持できることから、設定器１０６を操作し続ける必要がなく、設定値に関する作業を簡単にできるようになる。
【０３４４】
（２−４２）設定スイッチは、ＲＷＭクリアボタン１０４として兼用されていることから、パチンコ遊技機１０の構成を簡略化できる。
（２−４３）表示器１０５は、遊技盤ＹＢの裏側に設けられている。このため、ベース値に関する情報の表示に加えて、設定値に関する情報の表示は、搭載枠を開放しなければ視認できない。このため、パチンコ遊技機１０のセキュリティ性を高めることができる。
【０３４５】
（２−４４）ＣＰＵ３０ａは、設定確認状態であるときには、ベース値の計数をしない。そして、設定確認状態が終了すると、設定値の表示が終了する一方で、設定確認状態の開始前におけるベース値（すなわち、電源断されたときのベース値）の表示が開始される。したがって、設定確認状態の終了後におけるベース値に関する情報の表示を正確にできる。
【０３４６】
（２−４５）ＣＰＵ３０ａは、設定変更状態であるときには、ベース値の計数をしない。そして、設定変更状態が終了すると、設定値の表示が終了する一方で、設定変更状態の開始前におけるベース値（すなわち、電源断されたときのベース値）の表示が開始される。したがって、設定変更状態の終了後におけるベース値に関する情報の表示を正確にできる。
【０３４７】
（２−４６）ＣＰＵ３０ａは、設定確認状態が終了するとベース値の計数を開始する。ＣＰＵ３０ａは、設定変更状態が終了するとベース値の計数を開始する。すなわち、設定制御状態が終了して通常制御状態へ移行すると、バックアップされているベース値からベース値の計数を開始（再開）する。このため、変動ゲームを実行可能になる通常制御状態へ移行したことに連動して、ベース値の計数が開始されることから、ベース値の計数を正確にできる。そして、設定制御状態の開始前におけるベース値から計数したベース値を特定可能な情報の表示を正確にすることができる。
【０３４８】
（２−４７）設定変更状態が終了した場合には、今回の設定変更状態における設定値の変更の有無に関係なく、バックアップされている各種情報に基づいて、ベース値の計数に関する制御と、ベース値の表示に関する制御とを開始する。したがって、設定値の変更の有無に関係なく、ベース値に関する情報を正確に把握させ得る。
【０３４９】
（２−４８）ベース値の計数に関する制御及びベース値の表示に関する制御は、設定されている設定値の種類に影響されることなく、設定値が変更された場合でも同一制御を行う。このため、ベース値の計数に関する基準を統一化でき、例えば他のパチンコ遊技機のベース値と比較する場合でも同一基準で比較することができる。このため、ベース値の信頼性を維持することができる。
【０３５０】
（第３の実施形態）
この実施形態のパチンコ遊技機１０は、その時点において設定されている設定値に関する演出（以下、「特別演出」と示す）を実行可能に構成されている。特別演出としては、設定されている設定値を示唆する示唆演出と、設定されている設定値を報知する報知演出と、のうち一方又は両方を設けることができる。
【０３５１】
例えば、示唆演出は、特定の演出図柄、特定のキャラクタ、特定の文字列、及び特定の背景などが出現したときに、特定の設定値が設定されている可能性が高い、又は確定する態様により行うことができる。例えば、示唆演出は、所定条件が成立すると通常であれば出現する演出図柄、キャラクタ、文字列、及び背景が、前記所定条件が成立しても出現しないときに、特定の設定値が設定されている可能性が高い、又は確定する態様により行うことができる（所謂、法則崩れ）。例えば、報知演出は、「第３設定値です」の文字列のように、設定されている設定値を直接的に特定可能な態様により行うことができる。
【０３５２】
この実施形態のＣＰＵ３０ａは、図１８に示す電源投入処理のうち、ステップＳ１１３，Ｓ１２６において、その時点において設定されている設定値を特定可能な設定値コマンドを副基板４２に送信する。副基板４２は、設定値コマンドから特定可能な設定値に基づいて、特別演出を実行する。具体的に言えば、副基板４２は、予め定めた特別条件が成立したことを契機として、特別演出を実行するように報知装置（演出装置）を制御する。
【０３５３】
特別条件としては、以下に例示する通り、各種条件を定めることができるとともに、１つ条件、又は複数の条件を任意に選択して適用できる。
例えば、特別条件は、第１始動口１２へ入球したこと、第２始動口１３入球したこと、大入賞口１５へ入球したこと、普通入賞口１６，１７に入球したこと、作動ゲート１８に入球したこと、アウト口２１に入球したこと、及びこれらの入球口とは異なる演出用の入球口に入球したこと、などである。例えば、特別条件は、電源投入されてからの経過時間が特定時間となったこと、特定時刻になったこと、特定日時になったこと、及び特定の曜日や季節になったこと、などである。なお、副基板４２は、リアルタイムクロック（ＲＴＣ）機能を搭載することにより、時間、時刻、日付、曜日、及び季節の特定を可能に構成できる。
【０３５４】
例えば、特別条件は、低確かつ低ベースにおける特図変動ゲームの実行回数が所定回数に達したこと、大当り遊技の付与回数が所定回数に達したこと、待機状態へ移行したこと、及びデモ演出を開始したこと、などである。例えば、特別条件は、第１ベース値が所定値になったこと、第２ベース値が所定値になったこと、通常時賞球カウンタが所定値になったこと、通常時有効球カウンタが所定値になったこと、及び全状態時有効球カウンタが所定値になったこと、などである。例えば、特別条件は、大当り遊技のオープニングが開始したこと、所定のラウンド遊技が開始したこと、エンディングが開始したこと、高ベース状態が開始したこと、高ベース状態が終了したこと、高確率が開始したこと、及び高確率が終了したこと、などである。
【０３５５】
したがって、この実施形態によれば、第１の実施形態の効果（１−１）〜（１−１４）、及び第２の実施形態の効果（２−１）〜（２−４８）に加えて、以下に示す効果を得ることができる。
【０３５６】
（３−１）特別演出を実行することによって、その時点において設定されている設定値を推測するための要素を積極的に提供し、自身にとって有利な設定値が設定されていることに期待する遊技者の興趣を向上させ得る。
【０３５７】
なお、各実施形態は以下のように変更してもよい。
・各実施形態において、ＣＰＵ３０ａは、所定の計数周期毎（有効球が所定数に達する毎）に格納される通常時賞球バッファの値と通常時有効球バッファの値を取得し、（低確かつ低ベース時の賞球の総数÷低確かつ低ベース時の有効球の総数）×１００の計算式によって、第２ベース値を計数する。有効球の所定数は、例えば６００００である。そして、ＣＰＵ３０ａは、今回の計数周期において、前回の計数周期における第２ベース値を表示する。これに代えて、パチンコ遊技機１０は、第２表示状態において、前回の計数周期における第２ベース値を含み、新しいものから複数である所定回分の第２ベース値を切り替えて表示可能に構成されていてもよい。所定回としては、例えば３回であるが、適宜変更してもよい。
【０３５８】
この場合、ＲＷＭ領域には、前記所定回分の通常時賞球バッファと通常時有効球バッファを個別に定めておき、所定回分の各バッファに格納された値をもとに第２ベース値をそれぞれ計数（計算）してもよい。また、ＲＷＭ領域には、計数周期毎に計数した第２ベース値を格納するバッファとして、前記所定回分のバッファを定めておき、最新のものから所定回分の第２ベース値を格納するようにしてもよい。これらのバッファは、所謂「リングバッファ」としてそれぞれ構成し、同じ記憶領域を繰り返し利用してもよい。
【０３５９】
また、ＣＰＵ３０ａは、所定回分の第２ベース値を計数できていないとき、すなわち有効球が所定数と所定回とを乗算した基準数（例えば６００００×３）に達していないとき、第２表示状態における表示態様を、前記基準数に達しているときとは異なる特定態様としてもよい。例えば特定態様は、計数できている第２ベース値を切り替えないで、又は切り替えて表示するとともに、識別子を点滅表示させる態様である。さらに、ＣＰＵ３０ａは、前記所定回分の計数周期を通しての通算ベース値を計数し、当該通算ベース値を表示させてもよい。
【０３６０】
・各実施形態において、第１ベース値を識別する識別子、及び第２ベース値を識別する識別子の表示パターンを変更してもよい。なお、表示器１０５における数字や文字の表示パターンは、他の数字や文字との混同を避けるように構成するとよい。
【０３６１】
・各実施形態において、表示器１０５の構成を変更してもよい。具体的には、表示器１０５を構成する表示要素Ｄ１〜Ｄ４の数（７セグメントＬＥＤの数）を増減させてもよい。また、表示要素Ｄ１〜Ｄ４の配列を一列の横並びに代えて、例えば２つの表示要素を２段に配列したり、一列の縦並びに配列してもよい。
【０３６２】
・各実施形態において、図１１及び図１２で説明した全状態時有効球数に応じた識別子の表示態様やベース値の表示態様を変更してもよい。
・ベース値の計数やベース値の表示に関する球数Ｙ１，Ｙ２，Ｙ３は、任意に変更可能である。例えば、球数Ｙ３を２００００球としてもよい。
【０３６３】
・各実施形態において、図１１の時点Ｘ２の段階で一旦、通常時賞球カウンタ（通常時賞球数）、通常時有効球カウンタ（通常時有効球数）、及び全状態時有効球カウンタ（全状態時有効球数）を零クリアしてもよい。そして、これらのカウンタを零クリアした後、時点Ｘ２からの１回目の計測を開始させてもよい。
【０３６４】
・上記別例において、例えば、１回目の期間における時点Ｘ１〜Ｘ２において、第１ベース値の表示態様を［−−］に代えて、その他の表示パターンに変更してもよいし、第３，第４表示要素Ｄ３，Ｄ４に何も表示しないようにしてもよい。この別例は、１回目の期間における時点Ｘ１〜Ｘ４において、第２ベース値も同様である。また、時点Ｘ１〜Ｘ２において第１ベース値を計数し、その計数結果を表示してもよい。
【０３６５】
・上記別例において、１回目の期間における時点Ｘ１〜Ｘ２の第１表示状態時の識別子の表示態様と時点Ｘ２〜Ｘ３の第１表示状態時の識別子の表示態様を異ならせてもよい。例えば、時点Ｘ２〜Ｘ３のときは、識別子を点灯表示させてもよい。この場合、時点Ｘ２〜Ｘ３と時点Ｘ３〜Ｘ４における識別子の表示態様は同一となる。同様に、時点Ｘ４〜Ｘ５などの第１表示状態時の識別子、つまり全状態時有効球数が球数Ｙ３に達するまでの識別子を点灯表示させてもよい。
【０３６６】
・上記別例において、第１ベース値及び第２ベース値の各識別子を点滅表示させるときの周期は任意に変更してもよい。
・各実施形態において、例えばベース値として閾値を設定しておき、計数の結果、閾値を超えるベース値を表示する場合は異なる表示態様（例えば点滅表示）で表示させてもよい。例えば、閾値は、想定されるベース値よりも高いベース値に設定しておくことで、エラーや不正などの指標とすることができる。また、各実施形態では、ベース値が９９のときはベース表示部に［９９］を表示させ、ベース値が１００以上のときにはベース表示部に［９９．］というようにドットを付加した表示としている。通常、ベース値が１００以上になることは想定し難いので、「．（ドット）」を付加した表示又は報知は想定し難い状況が発生していることを認識させる指標となり得る。
【０３６７】
・各実施形態において、ベース値が［１００］以上の場合の表示態様を変更してもよい。例えば、［ＦＦ］などの表記としてもよい。また、表示パターンを［９９］として点滅表示させてもよい。
【０３６８】
・各実施形態において、主基板３０に、第１ベース値を表示する表示器と第２ベース値を表示する表示器を別々に搭載してもよい。この場合の各表示器は、各実施形態と同様に４つの表示要素Ｄ１〜Ｄ４で構成し、識別子とベース値を表示するようにしてもよい。また、表示器を別々にする場合において、各表示器を例えば２つの表示要素で構成し、それぞれのベース値を識別する識別子を主基板３０の実装面にプリントしてもよい。
【０３６９】
・各実施形態において、通常時賞球カウンタ、通常時有効球カウンタ、全状態時有効球カウンタ、通常時賞球バッファ、通常時有効球バッファ、計数した第１ベース値及び第２ベース値など、ベース値の計数に関する制御における計数結果や制御に必要な情報を格納するＲＷＭ領域を初期化する手段を設けてもよい。なお、この手段は、遊技場の管理者など特定の人のみが操作可能であって、遊技者は操作不能に設けるようにする。
【０３７０】
・各実施形態において、ＣＰＵ３０ａが計数したベース値を特定可能な情報を副基板４２へ送信し、副基板４２が制御する例えば演出表示装置１１にベース値を表示させてもよい。このようにすれば、遊技者もベース値を認識することが可能である。また、この場合、ベース値を報知する手段は、遊技盤ＹＢの盤面や演出表示装置１１を取り付けるセンター枠に設けた７セグメントＬＥＤとしてもよい。
【０３７１】
・各実施形態において、アウトスイッチＳ７の配置を変更してもよい。例えば、アウトスイッチＳ７を遊技盤ＹＢに設けてもよい。この場合、アウトスイッチＳ７は、遊技盤ＹＢにあるアウト口２１よりも下方であって、遊技盤ＹＢの最下位部に配置してもよい。
【０３７２】
・各実施形態において、アウトスイッチＳ７を複数配置してもよい。この場合、通常時有効球カウンタや全状態時有効球カウンタの計数は複数のアウトスイッチＳ７の検知結果の合算となる。
【０３７３】
・各実施形態において、通常遊技以外の遊技におけるベース値を計数してもよい。この場合の計数したベース値を報知する手段を、主基板３０に搭載してもよいし、副基板４２の制御によって例えば演出表示装置１１に表示させてもよい。
【０３７４】
・各実施形態において、主基板３０のＣＰＵ３０ａによって計数されたベース値を特定可能な情報を副基板４２へ送信し、副基板４２は特定したベース値に応じて例えば演出表示装置１１で所定の演出を行わせてもよい。例えば、ベース値が想定される値に一致又はほぼ一致しているときには「調子よい」などのメッセージを表示させ、ベース値が想定される値と離れているときには「調子悪い」などのメッセージを表示させてもよい。また、例えば、ベース値が想定される値に一致又はほぼ一致しているときには「調整よい」などのメッセージを表示させ、ベース値が想定される値と離れているときには「調整悪い」などのメッセージを表示させてもよい。
【０３７５】
・各実施形態において、主基板３０のＣＰＵ３０ａによって計数されたベース値を特定可能な情報を外部装置に送信してもよい。外部装置は、例えばホールコンピュータＨＣや、遊技機設置設備に配置されているデータカウンタであり、データカウンタにてベース値を報知してもよい。
【０３７６】
・パチンコ遊技機１０では、例えば入球率向上状態の残り回数など、主基板３０のＣＰＵ３０ａが計数した結果を、副基板４２の制御によって例えば演出表示装置１１に表示することが行われている。このように主基板３０で計数し、副基板４２で報知する情報については、ＲＷＭ領域の初期化指示によって初期化される情報である。
【０３７７】
・各実施形態において、主基板３０における表示器１０５の配置は任意に変更してもよい。また、各実施形態では、表示器１０５の情報表示部１０５ａが主基板ケース８１外に露出しているが、表示器１０５全体が主基板ケース８１内に配置されていてもよい。
【０３７８】
・各実施形態において、主基板ケース８１における番号表示部１０１の配置は任意に変更してもよい。つまり、表示器１０５の情報表示部１０５ａと番号表示部１０１とが重ならなければよい。
【０３７９】
・また、各実施形態において、表示器１０５の情報表示部１０５ａは、主基板ケース８１に番号表示部１０１以外の情報を表示する表示部（例えば、二次元コード、外部端子板４０の端子を説明する表示部）を設ける場合においてこれらの表示部と重ならない位置に配置されていることが好ましい。
【０３８０】
・各実施形態において、表示器１０５を、払出基板３１に搭載してもよいし、主基板３０と払出基板３１との間の中継端子板３７に搭載してもよい。
・第２，第３の実施形態において、表示器１０５と設定器１０６を別の基板に搭載してもよい。例えば、表示器１０５は主基板３０に搭載し、設定器１０６を払出基板３１に搭載してもよい。
【０３８１】
・第２，第３の実施形態において、表示器１０５を、ベース値を報知する手段と設定情報を報知する手段とで兼用させずに、設定情報を報知する手段を別途設けてもよい。この場合、設定情報を報知する手段は、主基板３０に搭載してもよいし、払出基板３１に搭載してもよいし、主基板３０と払出基板３１との間の中継端子板３７に搭載してもよい。
【０３８２】
・第２，第３の実施形態において、ＣＰＵ３０ａは、設定変更状態及び設定確認状態の一方又は両方において、設定している設定値を特定可能な情報を副基板４２へ送信し、副基板４２が制御する例えば演出表示装置１１に設定値を表示させてもよい。
【０３８３】
・パチンコ遊技機１０は、搭載枠（前枠ＷＭ、中枠ＷＮ）が開放されたことを検知できるように搭載枠の開放を検知する手段（枠スイッチＳ１０）を備えている。このため、第２，第３の実施形態では、搭載枠の開放を検知できることを利用して、搭載枠が開放された状態で設定器１０６の操作が行われたときには、設定制御状態（設定変更状態又は設定確認状態）へ移行し得るようにしてもよい。その一方で、搭載枠が開放されていない状態（つまり、閉鎖されている状態）で設定器１０６の操作が行われたときには、設定制御状態（設定変更状態又は設定確認状態）へ移行せず、エラー報知を行うようにしてもよい。この別例では、設定確認状態への移行条件には、搭載枠が外枠ＷＳに対して開放されている特定状態であることを含む。また、本別例では、設定変更状態への移行条件には、搭載枠が外枠ＷＳに対して開放されている特定状態であることを含む。
【０３８４】
・上記別例において、搭載枠が開放されていない状態で設定器１０６の操作が行われたときには、設定制御状態（設定変更状態又は設定確認状態）へ移行し得るようにしてもよい。その一方で、搭載枠が開放されている状態で設定器１０６の操作が行われたときには、エラー報知を行うようにしてもよい。
【０３８５】
・第２，第３の実施形態において、搭載枠が開放されていなければ、設定制御状態（設定変更状態又は設定確認状態）であっても、表示器１０５において設定値を表示しないようにしてもよい。遊技者にとって基本的に開放が困難である搭載枠が開放されているときに、何れかの設定値を表示可能であることから、セキュリティ性を好適に高め得る。
【０３８６】
・第２，第３の実施形態において、搭載枠が開放されていなければ、設定変更状態であっても、設定スイッチの操作信号を受信したときに、設定値を変更しないようにしてもよい。遊技者にとって基本的に開放が困難である搭載枠が開放されているときに、何れかの設定値に変更可能であることから、セキュリティ性を好適に高め得る。
【０３８７】
・第２，第３の実施形態において、設定確認状態及び設定変更状態のうち一方又は両方について、セキュリティ信号の出力を省略してもよい。
・第２，第３の実施形態において、設定確認状態及び設定変更状態のうち一方又は両方について、報知装置における報知を省略してもよい。
【０３８８】
・第２，第３の実施形態において、設定確認状態及び設定変更状態のうち一方又は両方について、特図表示装置２３における報知を省略してもよい。
・第２，第３の実施形態において、設定確認状態又は設定変更状態であることの報知には、特図表示装置２３に加えて、又は代えて、表示装置２４，２５のうち一方又は両方を用いてもよい。即ち、設定確認状態又は設定変更状態であることの報知は、ＣＰＵ３０ａが表示内容を制御する表示装置であれば、特図表示装置２３のみを用いることに限定されず、表示装置２４，２５や、これらとは異なる表示装置を用いてもよい。また、設定確認状態又は設定変更状態であることの報知は、設定されている設定値を報知する表示と兼ねてもよい。すなわち、例えば特図表示装置２３の単体を、又は報知対象が異なる複数の表示装置を一纏まりの７セグメントＬＥＤとするのであれば、当該７セグメントＬＥＤを用いて設定値を表示してもよい。
【０３８９】
・第２，第３の実施形態において、設定確認状態及び設定変更状態のうち一方又は両方について、セキュリティ信号に加えて、又は代えて、セキュリティ信号とは異なる外部信号を出力してもよい。例えば、設定確認状態及び設定変更状態の両方に共通かつ専用の外部信号、又は設定変更状態に専用の外部信号、若しくは設定確認状態に専用の外部信号などであってもよい。セキュリティ信号とは異なる外部信号と兼用されていてもよい。
【０３９０】
・第２，第３の実施形態において、設定確認状態及び設定変更状態のうち一方又は両方について、セキュリティ信号の最低出力時間を変更してもよい。例えば、最低出力時間としては、３０秒を定めてもよい。
【０３９１】
・第２，第３の実施形態において、ＣＰＵ３０ａは、設定確認状態及び設定変更状態の何れかに移行したときに、所定期間（例えば５０ｍｓ）にわたってセキュリティ信号を出力させ、設定器１０６がオフ状態に操作されることを待たずに、セキュリティ信号の出力を停止してもよい。
【０３９２】
・第２，第３の実施形態において、設定変更状態が終了した後、セキュリティ信号の出力（延長）中に枠スイッチＳ１０から枠開放信号を受信しなくなったときには、セキュリティ信号を再出力してもよい。
【０３９３】
・第２，第３の実施形態において、ＣＰＵ３０ａは、設定変更状態へ移行した場合についても、初期化報知に対応するセキュリティ信号を、設定器１０６がオフ状態に操作されたときや、電源投入処理を終了したときに出力させてもよい。つまり、セキュリティ信号の再出力又は出力の延長は、設定器１０６をオフ状態に操作したタイミングにて行われるようにしてもよい。
【０３９４】
・第２，第３の実施形態において、ＣＰＵ３０ａは、設定変更状態へ移行してから、設定器１０６がオフ状態に操作された後に枠スイッチＳ１０から枠開放信号を受信しなくなる迄の間、再出力や出力を延長する処理を伴わずに、セキュリティ信号を継続して出力させてもよい。
【０３９５】
・第２，第３の実施形態において、ＣＰＵ３０ａは、設定変更状態へ移行した場合についても、設定器１０６がオフ状態に操作されたときや、電源投入処理を終了したときに、初期化報知コマンドを副基板４２に送信してもよい。つまり、設定変更状態へ移行した場合でも、初期化報知は、設定器１０６をオフ状態に操作したタイミングにて開始してもよい。
【０３９６】
・第２，第３の実施形態において、ＣＰＵ３０ａは、ＲＷＭの初期化が行われた時点で、初期化報知コマンドを副基板４２に送信してもよい。つまり、初期化報知は、常にＲＷＭの初期化が行われたタイミングにて開始してもよい。
【０３９７】
・第２，第３の実施形態において、設定確認状態へ移行してからの経過時間が、設定確認報知の単位報知に要する時間の２倍以上に定めた規定時間に達していない場合に、設定器１０６をオフ状態とする操作がされたときには、前記規定時間が経過してから設定確認状態を終了するようにしてもよい。設定変更状態についても同様に変更してもよい。この別例によれば、単位報知が少なくとも２回以上にわたって、確実に行われ得ることから、遊技場の管理者などに設定値に関する制御が行われていることを認識させ易い。
【０３９８】
・第２，第３の実施形態において、設定確認報知及び設定変更報知などの設定制御状態に関する各種の報知態様は、設定確認状態と設定変更状態とで同じ態様であってもよく、異なっていてもよい。
【０３９９】
・第２，第３の実施形態において、特図表示装置２３では、特別報知を実行しているときと、これとは異なる報知を実行しているときとで、表示内容の少なくとも一部が異なればよく、一部が共通していてもよい。本別例によれば、特図表示装置２３を兼用しても、報知を混同し難くできる。
【０４００】
・第２，第３の実施形態において、設定確認状態及び設定変更状態のうち一方又は両方について、移行した直後には表示器１０５を非表示としておき、設定スイッチの操作を契機として設定値の表示（第３表示状態）を開始するようにしてもよい。
【０４０１】
・第２，第３の実施形態において、表示器１０５の第３表示状態を変更してもよい。例えば、第１，第２表示要素Ｄ１，Ｄ２を用いて設定値を示す識別子を表示してもよい。
・第２，第３の実施形態において、電源投入処理（ステップＳ１１０，Ｓ１１７）にて設定値エラーと判定したときの処理内容を変更してもよい。例えば、ステップＳ１１４，Ｓ１１８の処理において、ＣＰＵ３０ａは、設定値に関する情報を初期化しなくてもよい。また、副基板４２は、設定値エラーコマンドを受信すると、設定値の変更を推奨する報知（以下、「変更推奨報知」と示す）を行ってもよい。例えば、演出表示装置１１の画像表示部ＧＨには、「ＲＷＭ異常です」や「設定値を確認して下さい」などの文字列を示す画像が表示される。
【０４０２】
・第２，第３の実施形態において、ＣＰＵ３０ａは、起動処理においてＲＷＭ領域のチェックを行い、当該チェックでＲＷＭ領域に異常が検知されたときに、遊技停止状態へ移行してもよい。この場合、ＣＰＵ３０ａは、設定値に関する情報を初期化してもよく、上記別例と同様に、設定値に関する情報を初期化しなくてもよい。副基板４２の制御についても、上記別例と同じように構成できる。
【０４０３】
・第２，第３の実施形態において、通常制御状態（すなわち、ベース値に関する情報を表示しているとき）では第２種検知手段を無効にしてもよい。すなわち、少なくとも第１種検知手段が有効であればよい。例えば、ＣＰＵ３０ａは、操作不問としている期間について、第２種検知手段の検知結果を読み込まないようにするとよい。
【０４０４】
・各実施形態において、非入球率向上状態中は、普通図柄の当り抽選に当選しないようにしてもよい。つまり、非入球率向上状態中は、作動ゲート１８へ遊技球を通過させても、当り抽選に当選せず、全てがはずれの扱いとなることから、第２始動口１３も開放されず、第２特図変動ゲームの始動条件や第２始動口１３への入球に基づく賞球の払出条件を成立させることができないようにしてもよい。なお、この場合であっても、普通図柄のはずれ図柄を導出するために普通図柄の変動パターンが決定され、普図変動ゲームが行われる。
【０４０５】
・確率変動機能を搭載したパチンコ遊技機１０として、次回の当りに当選するまで確変状態を付与する仕様や、転落抽選に当選するまで確変状態を付与する仕様（転落機）、あるいは予め定めた回数分の図柄変動ゲームが終了するまで確率変動状態を付与する仕様（ＳＴ機）がある。また、確率変動機能を搭載したパチンコ遊技機には、遊技球が特定領域を通過することを契機に確変状態を付与する仕様（Ｖ確変機）がある。各実施形態のパチンコ遊技機１０は、これらの何れの仕様のパチンコ遊技機に具体化してもよい。また、パチンコ遊技機１０は、上記した転落機とＶ確変機を混合させた仕様のパチンコ遊技機であってもよい。
【０４０６】
・各実施形態のパチンコ遊技機１０を、遊技球が特定領域を通過することを契機に大当り遊技を付与する遊技機（所謂１種２種混合機）に具体化してもよい。この場合、ベース値を計数する通常遊技は、低ベースであって、大当り遊技中ではないときの遊技である。
【０４０７】
・各実施形態は、パチンコ遊技機１０として、「羽根もの」、「ヒコーキタイプ」とも言われる第２種に分類されるパチンコ遊技機に具体化してもよい。この種のパチンコ遊技機では、始動口への遊技球の入球を契機に入球装置（大入賞口）の開閉羽根（開閉部材）が開き、入球装置へ入球した遊技球が特別入賞口へ入球することによって大当り遊技が生起される。この場合、ベース値を計数する通常遊技は、大当り遊技中ではないときであり、始動口への入球によって入球装置の開閉羽根が開いているとき（小当り）はベース値を計数する対象としてもよい。
【０４０８】
・主基板３０に搭載される遊技の進行を制御する手段をワンチップマイクロコンピュータとしてもよい。
・各実施形態のパチンコ遊技機１０を、特別図柄のみを用いるパチンコ遊技機に具体化してもよい。また、各実施形態のパチンコ遊技機１０を、複数の大入賞口を有するパチンコ遊技機、単一の始動口を有し、単一の特別図柄を用いるパチンコ遊技機、若しくは複数の始動口を有し、単一の特別図柄を用いるパチンコ遊技機に具体化してもよい。すなわち、パチンコ遊技機１０の構成、特に遊技盤ＹＢの具体的な構成は任意に変更してもよい。
【０４０９】
次に、上記実施形態及び別例から把握できる技術的思想を以下に追記する。
（ａ）大入賞口と当該大入賞口とは異なる複数の入賞口とを備え、大入賞口へ遊技球が入球した場合には１球の入球に対して所定個数の賞球の払出しが行われるとともに、前記入賞口へ遊技球が入球した場合には１球の入球に対して入賞口毎に定められた個数の賞球の払出しが行われる遊技機において、遊技に使用された有効球を検知する有効球検知手段と、遊技に使用された有効球のうち、前記入賞口へ入球した遊技球を検知する入球検知手段と、遊技機から通常遊技時に払出された賞球の総数を計数する通常時賞球計数手段と、通常遊技時において遊技に使用された有効球の総数を計数する通常時有効球計数手段と、全ての遊技状態において遊技に使用された有効球の総数を計数する全状態時有効球計数手段と、全状態時有効球計数手段で計数されている遊技に使用された有効球の総数が所定数に達したときの通常時賞球計数手段で計数されている賞球の総数を記憶する賞球記憶手段と、全状態時有効球計数手段で計数されている遊技に使用された有効球の総数が所定数に達したときの通常時有効球計数手段で計数されている遊技に使用された有効球の総数を記憶する有効球記憶手段と、通常遊技時において遊技に使用された有効球の総数に対する通常遊技時における賞球の総数の割合を示すベース値を計数するベース値計数手段と、表示手段と、を備え、ベース値には、所定数に達するまでに計数される第１ベース値と、所定数に達したときの第２ベース値と、があり、表示手段は、ベース値を表示するベース表示部と、ベース表示部に表示されているベース値の識別子を表示する識別子表示部と、を有し、ベース表示部には、第１ベース値と、前回の計数で所定数に達したときの第２ベース値と、が表示され、識別子には、第１ベース値を識別する第１識別子と第２ベース値を識別する第２識別子と、がある遊技機。
【０４１０】
（ｂ）第１識別子は、所定数よりも小さい特定数に達するまでと特定数に達してからとで異なる表示態様で表示されるとよい。
（ｃ）第２識別子は、遊技機が第２ベース値を保持している場合と第２ベース値を保持していない場合とで異なる表示態様で表示されるとよい。
【０４１１】
（ｄ）表示手段は、第１ベース値と第１識別子とを表示する第１表示状態と、第２ベース値と第２識別子とを表示する第２表示状態と、に所定の周期毎に切り替わるとよい。
（ｅ）有効球検知手段は、遊技盤の搭載枠の最下部位、又は遊技盤に設けられているとともに、遊技盤において大入賞口及び複数の入賞口の何れにも入賞せずに遊技領域から排出される遊技球が入球するアウト口よりも下方の遊技盤の最下部位に配置されているとよい。
【０４１２】
（ｆ）遊技機への電力供給が停止した場合でも保持されている情報の初期化を行う初期化手段を備え、通常時賞球計数手段及び通常時有効球計数手段の各計数内容、並びに賞球記憶手段及び有効球記憶手段の各記憶内容については、初期化手段による初期化が不能とされ、電力供給が開始されたときの表示手段には、電力供給が停止した際に表示されていたベース値の表示が復帰するとよい。
【０４１３】
（ｇ）所定条件の成立によって計数を行う計数手段を備え、遊技機への電力供給が停止した場合でも保持されている情報には、通常時賞球計数手段及び通常時有効球計数手段の各計数内容と、賞球記憶手段及び有効球記憶手段の各記憶内容と、計数手段の計数内容と、を含み、計数手段の計数内容は初期化手段による初期化が可能である一方で、通常時賞球計数手段及び通常時有効球計数手段の各計数内容、並びに賞球記憶手段及び有効球記憶手段の各記憶内容は初期化手段による初期化が不能であるとよい。
【０４１４】
（ｈ）ベース表示部には、全状態時有効球計数手段で計数されている有効球の総数が所定数よりも小さい一定数に達するまでの間はベース値が表示されず、一定数に達するまでの間の数には零を含むとよい。
【０４１５】
（ｉ）外部装置を接続することができる外部接続手段を備え、外部接続手段からは、有効球検知手段によって検知された有効球が一定の球数に達する毎に情報が出力されるとよい。
【０４１６】
（ｊ）有利度合いを定めた複数の設定情報のうち何れかの設定情報を設定する設定手段を備え、表示手段は、設定情報を表示する設定情報表示部として兼用されているとよい。
（ｋ）遊技機は、設定手段によって設定情報が変更された場合でも、ベース値の計数に関する制御及びベース値の表示に関する制御として同一制御を行うとよい。
【０４１７】
（ｌ）有利度合いを定めた複数の設定情報のうち何れかの設定情報を設定する設定手段と、設定手段が設定情報を変更する契機を与える変更契機手段と、を備え、表示手段と変更契機手段は同一基板に実装されているとよい。
【０４１８】
（ｍ）前記設定操作手段とは別に初期化操作手段を備え、前記設定操作手段の操作状態が第１操作状態であり、且つ、前記初期化操作手段の操作状態が初期化操作状態である状態にて電源投入がされたときには、前記設定変更状態へ移行し、前記設定操作手段の操作状態が前記第１操作状態であり、且つ、前記初期化操作手段の操作状態が非初期化操作状態である状態にて電源投入がされたときには、前記設定確認状態へ移行し、前記設定操作手段の操作状態が第２操作状態であり、且つ、前記初期化操作手段の操作状態が前記初期化操作状態である状態にて電源投入がされたときには、前記設定変更状態を移行せずに、前記初期化制御を行い、前記設定操作手段の操作状態が前記第２操作状態であり、且つ、前記初期化操作手段の操作状態が前記非初期化操作状態である状態にて電源投入がされたときには、前記初期化制御を行わず、前記バックアップされている遊技情報に基づいて前記通常制御状態へ移行するとよい。
【０４１９】
（ｎ）前記設定操作手段は、第１操作状態と、第２操作状態と、のうち何れかの操作状態に切り替える操作を可能であって、切り替え後における一方の操作状態を維持するように構成されており、前記第１態様操作は、前記設定操作手段を前記第１操作状態とする操作であり、前記第２態様操作は、前記設定操作手段を前記第２操作状態とする操作であるとよい。
【０４２０】
（ｏ）前記設定情報の変更を指示する操作を可能に構成された変更操作手段を備え、前記変更操作手段は、遊技情報の初期化を指示する操作を可能に構成された初期化操作手段、又は、エラー報知の終了を指示する操作を可能に構成された終了操作手段と兼用されているとよい。
【０４２１】
（ｐ）前記設定変更状態又は前記設定確認状態の終了後には、前記当り抽選に基づいた変動ゲームを実行可能な通常制御状態へ移行し、当該通常制御状態では、前記設定操作手段の所定態様操作があっても前記設定変更状態及び前記設定確認状態へ移行しないとよい。
【０４２２】
（ｑ）ケースと、前記ケースに収容されている基板と、を備え、前記設定制御手段は、前記基板に実装された演算素子を含んで構成され、前記設定操作手段は、前記ケース内に設けられているとよい。
【０４２３】
（ｒ）始動条件の成立を契機とした大当り抽選に当選したことを条件として、大入賞口を開放する大当り遊技を付与する遊技機において、所定の操作を可能に構成された設定操作手段と、前記設定操作手段の操作を受付け可能であって、設定情報を設定する制御を少なくとも可能に構成された設定制御手段と、前記設定制御手段によって設定された設定情報に応じた大当り確率にて、前記大当り抽選を行う大当り抽選手段と、前記大当り抽選に当選したことを条件として、大当りの変動ゲームの終了後に前記大入賞口を開放する制御を行い、前記大当り遊技を付与する大当り遊技付与手段と、外部信号の出力を可能に構成された外部信号出力手段と、を備え、前記設定情報を設定可能な設定変更状態への第１移行条件、及び、前記設定情報を確認可能な設定確認状態への第２移行条件には、前記設定操作手段の第１態様操作が含まれており、前記設定変更状態の終了条件、及び、前記設定確認状態の終了条件には、前記設定操作手段の第２態様操作が含まれており、前記設定変更状態、又は、前記設定確認状態へ移行すると特定の外部信号が出力され、前記設定変更状態が終了すると前記特定の外部信号が再出力される、又は、前記特定の外部信号の出力が延長される一方で、前記設定確認状態が終了すると前記特定の外部信号が再出力されず、且つ、前記特定の外部信号の出力が延長されないように構成され、前記設定変更状態が最低出力時間以内に終了しても、前記特定の外部信号が少なくとも当該最低出力時間にわたって出力され、前記設定確認状態が最低出力時間以内に終了しても、前記特定の外部信号が少なくとも当該最低出力時間にわたって出力され、前記設定変更状態と前記設定確認状態とでは最低出力時間が異なるとよい。
【０４２４】
（ｓ）前記大当り抽選の結果に応じて変動パターンを決定する変動パターン決定手段と、前記変動パターン決定手段が決定した変動パターンに基づいて変動ゲームを実行させるゲーム制御手段と、を備え、前記変動パターン決定手段による前記変動パターンの振分態様は、前記設定制御手段による前記設定情報の設定状況によらず一定であるとよい。
【０４２５】
（ｔ）枠体の開放を検知する検知手段と、初期化操作手段と、を備え、前記設定操作手段の前記第１態様操作がされており、前記初期化操作手段が操作されており、且つ、前記枠体が開放されている状態にて電源投入がされたときには前記設定変更状態へ移行するとともに第１報知が行われ、前記設定操作手段の前記第１態様操作がされており、前記初期化操作手段が操作されておらず、且つ、前記枠体が開放されている状態にて電源投入がされたときには前記設定確認状態へ移行するとともに第２報知が行われ、前記設定操作手段の前記第１態様操作がされており、且つ、前記枠体が開放されていない状態にて電源投入がされたときには前記設定変更状態及び前記設定確認状態へ移行せずに前記第１報知及び前記第２報知の何れとも異なる報知が行われるとよい。
【符号の説明】
【０４２６】
１０…パチンコ遊技機、１２…第１始動口、１３…第２始動口、１５…大入賞口、１６，１７…普通入賞口、３０…主基板、３０ａ…ＣＰＵ、３０ｂ…ＲＯＭ、３０ｃ…ＲＷＭ、３０ｄ…乱数生成回路、４０…外部端子板、４２…副基板、８１…主基板ケース、８５…第１カシメ部、８８…第２カシメ部、１０１…番号表示部、１０４…ＲＷＭクリアボタン、１０５…表示器、１０５ａ…情報表示部、１０６…設定器、Ｓ１，Ｓ２…始動口スイッチ、Ｓ５，Ｓ６…普通口スイッチ、Ｓ７…アウトスイッチ、ＹＢ…遊技盤、ＷＮ…中枠、ＨＣ…ホールコンピュータ。
【図１】
2020192406.tif 000003
【図２】
2020192406.tif 000004
【図３】
2020192406.tif 000005
【図４】
2020192406.tif 000006
【図５】
2020192406.tif 000007
【図６】
2020192406.tif 000008
【図７】
2020192406.tif 000009
【図８】
2020192406.tif 000010
【図９】
2020192406.tif 000011
【図１０】
2020192406.tif 000012
【図１１】
2020192406.tif 000013
【図１２】
2020192406.tif 000014
【図１３】
2020192406.tif 000015
【図１４】
2020192406.tif 000016
【図１５】
2020192406.tif 000017
【図１６】
2020192406.tif 000018
【図１７】
2020192406.tif 000019
【図１８】
2020192406.tif 000020
【図１９】
2020192406.tif 000021
【図２０】
2020192406.tif 000022
【図２１】
2020192406.tif 000023
【図２２】
2020192406.tif 000024
【図２３】
2020192406.tif 000025